(57)【要約】【課題】  危険や疲労や煩わしさを減少し、釣り動作を機敏にするひき舟の提供。【解決手段】  鮎の取り出し口（２）を、前方又は後方に向けて設け、小型化を可能にするひき舟の提供等。【選択図】              図１９
2006204105.tif 000002
【特許請求の範囲】
【請求項１】
鮎の取り出し口を、前方又は後方に向けて設け小型化を可能にするひき舟。
【請求項２】
ひき舟本体部の横幅を、従来ひき舟本体部の横幅より狭くして、鮎の取り出し口の横幅を狭くし、更に水より引き揚げての鮎の運搬時に於いて、縦方向に長い貯水部を備える位置に鮎の取り出し口を設けた請求項１のひき舟。
【請求項３】
ひき舟本体部の容積を従来ひき舟より小さくして、鮎の取り出し口を小さくした請求項１、２のひき舟。
【請求項４】
鮎の運搬時に於いて、水漏れを防止する鮎の取り出し口を設けた請求項１、２、３のひき舟。
【請求項５】
鮎の取り出し口の蓋を、ひき舟本体部の正面に設けた請求項１、２、３、４のひき舟。
【請求項６】
鮎の取り出し口の蓋を、ひき舟本体部の背面に設けた請求項４のひき舟。
【請求項７】
鮎の取り出し口を、鮎の投入口の後方に設けた請求項１、２、３、４のひき舟。
【請求項８】
ひき舟本体部の正面に設けた鮎の取り出し口の蓋が、両脇に仕切り壁を備え、軸を中心として開閉し、外側方向に開口する着脱部を備えた請求項１、２、３、４、５のひき舟。
【請求項９】
鮎の取り出し口が鮎の投入口を兼用でき、この鮎の取り出し口の蓋を正面に設けたひき舟であり、鮎の取り出し口の蓋は、両脇に仕切り壁を設け、軸を中心として開閉でき、弾性部材により外側方向にワンタッチで開放される着脱部を設け、水に浮かべてのひき舟の使用時には、ロック部が蓋の閉塞を保持し、鮎の投入に係わる開放は、ロック部の解除により、弾性部材により押された蓋が外側方向に開口し、この時、蓋の開放角度の制御部が、鮎の投入に適した口の角度と広さを確保し鮎の飛び出しを防止し、鮎の取り出しに係わる開放は、蓋の開放角度の制御部の解除により、蓋が更に弾性部材に押され全開する請求項１、２、３、４、５、８のひき舟。
【請求項１０】
ひき舟本体部の正面に設けた鮎の取り出し口の蓋が、軸を中心として開閉し、弾性部材により鮎の取り出し口の蓋側を内側方向より本体部側に押し付けて閉塞し、内側方向に押し開口する着脱部を備えた請求項１、２、３、４、５のひき舟。
【請求項１１】
鮎の取り出し口が鮎の投入口を兼用でき、この鮎の取り出し口の蓋を本体部の正面に設けたひき舟であり、軸を中心として開閉でき、弾性部材により鮎の取り出し口の蓋側を内側方向より本体部側に押し付け閉塞する着脱部を備えたひき舟であり、鮎の投入に係わる開放は、弾性部材により閉塞している蓋を内側方向に押さえ開口し、鮎の取り出しに係わる開放は、蓋を更に内側方向に押し内壁に押し付けロック部で固定する請求項１、２、３、４、５、１０のひき舟。
【請求項１２】
鮎の取り出し口を、前方又は後方に向けて設け、小型化を可能し、従来ひき舟より釣り人の機敏な動作を可能にする請求項１から１１のひき舟。
【請求項１３】
開閉可能な通水孔を設けた請求項１から１２のひき舟。
【請求項１４】
複数の貫通穴を備える通水孔の開閉操作部を１、２個所に集約した請求項１３のひき舟。
【請求項１５】
１つの動作で操作できる開閉操作部を設けた請求項１３、１４のひき舟。
【請求項１６】
水平安定板を設けた請求項１から１５のひき舟。
【請求項１７】
水平安定板をひき舟本体部の前部の底面に設けた請求項１６のひき舟。
【請求項１８】
垂直安定板を設けた請求項１から１７のひき舟。
【請求項１９】
舵を設けた請求項１から１８のひき舟。
【請求項２０】
垂直安定板を可動式にした舵を設けた請求項１９のひき舟。
【請求項２１】
水平安定板を可動式にした舵を設けた請求項１９のひき舟。
【請求項２２】
収める事ができる安定板を設けた１から２１のひき舟。
【請求項２３】
装着部を設けた請求項１から２２のひき舟。
【請求項２４】
鉤型装着部を設けた請求項２３のひき舟。
【請求項２５】
へら部を備えベルトに引っ掛けて使用する鉤型装着部を設けた請求項２４ひき舟。
【請求項２６】
環状装着部を設けた請求項２３のひき舟。
【請求項２７】
収める事ができる装着部を設けた請求項２３、２４、２５、２６のひき舟。
【請求項２８】
取っ手を設けた請求項１から２７のひき舟。
【請求項２９】
ひき舟の水に浮かべての使用時には、形体を一定に保持でき、握り部とアーム部の内側に一挙に手を挿入し握り締める事ができるスペースを備え、更に握り部を前方に向け水面より上方に保持した、或はひき舟本体部の上部にひき舟本体部の上面と平行に保持した取っ手を設けた請求項２８のひき舟。
【請求項３０】
ひき舟の水に浮かべての使用時には、持ち上げ易い位置にロックし、ひき舟の水より引き揚げての鮎の運搬時には、水がこぼれ難い位置にロックし、保持位置の切り替えを可能にした取っ手を設けた請求項２８、２９のひき舟。
【請求項３１】
ひき舟の水に浮かべての使用時には、持ち上げ易い位置にロックし、ひき舟の水より引き揚げての鮎の運搬時には、水をこぼれ難くする為に、可動状態に切り替えを可能にした取っ手を設けた請求項２８、２９のひき舟。
【請求項３２】
収める事ができる取っ手を設けた２８から３１のひき舟。
【発明の詳細な説明】
【技術分野】
【０００１】
主に、鮎釣用ひき舟に関する。
【背景技術】
【０００２】
鮎釣に用いられ、掛り鮎や親鮎を活かしておく為の容器は、囮缶や通い筒やひき舟がある。
囮缶は、車両搭載や釣場の一定場所に沈め、鮎を長時間活かしておく事を目的とし、通い筒は、一匹の鮎を、短時間に陸上を運搬する事を目的としている。
【０００３】
ひき舟は、鮎を長時間活かしておくことを目的として、釣り人の移動にも対応し、（即ち、囮缶と通い筒の両機能を備え、)この用途目的に見合う様に、現在まで進歩してきた数多くの優れた技術を備えており、単純に、囮缶や通い筒が代用できないほどの優位性を持つ独自技術でもある。
【０００４】
従来から広く一般的に市販され、広く一般的に使用されているふね形の従来ひき舟は、これを結ぶ紐（本願書では、この紐を以降、腰紐と呼称する）を釣人の腰のベルト等につなぎ、釣り人の釣場移動に合わせ率いられ、鮎を長時間活かしておく事に適した道具であるが、形体が大きい為、扱いや移動に際しては、釣人は、煩わしさや不便さを感じ、疲れ易い欠点を持っている。
【０００５】
特に、釣人が激流に立ち込む時は、ひき舟が水の強い抵抗を受けて、下流に強く引っ張られる為、危険をともない、又浅場や水面よりつき出している石で混雑する瀬の移動では、ひき舟が石等に当り、音や振動を発生させ、傾斜や転覆する為、釣り場の魚を散らし、容器内の魚を弱らせる。
更に、掛り鮎の取り込みや釣りトラブルなどで、釣人が急いで下流や水中より陸上に移動する際には、竿を持つ手に重いひき舟を加えなければならない為、思い通りの竿操作が十分に行えない。
【０００６】
この為、釣人は、事前に、この引き舟の腰紐をベルト等から外し、石や岩や流木などに止めて使用する事が非常に多くなるが、遠方に移動中に鮎が掛れば、取り込んだ鮎を入れたタモを水中に沈めながら（即ち無理な姿勢で）、引き舟を沈めた元の場所に戻らなければならない。
【０００７】
論点を変えて、既存技術の問題点について考えてみれば、先ず、一般的な従来ひき舟が形体を大きくする理由は、一般的な従来ひき舟の鮎の取り出し口が、ひき舟の上面に上方に向けて設けてあり、鮎が取り出し難い構造にある。
この欠陥を補う為に、大きくして設けた鮎の取り出し口が、ひき舟の大型化の要因を作り出している。
【０００８】
更に、一般的な従来ひき舟が形体を大きくする理由は、終日、一つの容器で釣ができる様にと、何十匹の鮎を収容できる十分な大きさの容積に加えて、水面より引き揚げての鮎の運搬時に於いて、鮎が立ちあがらないで自然体で泳ぐ様にと、鮎の体長に合わせて、ひき舟の横幅が広く設けられている事にある。
横幅を広くする事の弊害は、容積即ち重量を大きくする事に加えて、水流抵抗を受けやすくしている。
【０００９】
実願平１１‐８４０は、移動筒に関する発明であり、ひき舟（本発明）とは技術基盤が相違する。
「水に浮くのか、沈むのか」、と言うこだわりすら必要が無く、ただ単に、一匹の鮎を陸路運搬するだけの目的で作られた移動筒を日々進歩し優位性を備えるひき舟に単純に転用する事は、困難である。又従来から囮缶と移動筒を兼用する技術としてひき舟が存在した。
【００１０】
以上、この項目の概要を著したが、その他詳細に就いては、「課題を解決するための手段」等で補足する。
【発明の開示】
【発明が解決しようとする課題】
【００１１】
総じては、「機敏な動作を可能にするひき舟」の提供である。
【００１２】
即ち、「機敏な動作を可能にするひき舟」は、危険を防止し、
「機敏な動作を可能にするひき舟」は、疲労を減少させ、
「機敏な動作を可能にするひき舟」は、煩わしさを感じさせない。
【００１３】
或は、「機敏な動作を可能にするひき舟」は、激流や、岩や石が混雑する浅瀬などでも釣を容易にする。
「機敏な動作を可能にするひき舟」は、余分な事に気を使う事無く、思い通りに近い鮎の誘導、急な引き寄せ、確実な取りこみ等実践に集中できる。
「機敏な動作を可能にするひき舟」は、従来ひき舟と同様に、水に浮かべての使用時の安定を保ち、内部の鮎を元気よく活かす事を前提とする。
「機敏な動作を可能にするひき舟」は、身軽に手軽に自由な行動を可能にする。
「機敏な動作を可能にするひき舟」は、例えば敏速確実な鮎のタモ内に移し替え、敏速確実な鮎のタモ内よりの移し替え、容易な中身の確認など便利に使用できる。
【００１４】
或は、「機敏な動作を可能にするひき舟」は、小型、軽量により可能にする。
「機敏な動作を可能にするひき舟」は、運搬時の貯水率の向上、水漏れの抑制により可能にする。
「機敏な動作を可能にするひき舟」は、水流抵抗を小さくして可能にする。
「機敏な動作を可能にするひき舟」は、釣り人の身体に装着したり、手に保持したりして、携帯する事により更に機敏にする。
【００１５】
「機敏な動作を可能にするひき舟」は、小型、軽量等により可能にするが、請求項２、３の発明に於いては、鮎の収容匹数や鮎の運搬時の姿勢にこだわらない事によりこれを可能にする。
即ち、終日一つのひき舟に頼らず、必要に応じて囮缶やクーラーに鮎を移動させ、又水より引き揚げての鮎の運搬時の鮎の形体を自然体にこだわらない事でもある。
（鮎の運搬は、短時間であれば、鮎の姿勢の立ち上がりなど多少窮屈であっても鮎の活力には、大きく支障が及ばないはずである。）
【００１６】
以上、この項目の概要を著したが、その他詳細に就いては、「課題を解決するための手段」等で補足する。
【課題を解決するための手段】
【００１７】
本項目は、請求項１から１２に関しては、説明の重複を避け書面の簡素化を図る為、実施例の概要を兼ねた説明として著し、これ以外の詳細やその他の実施例は、必要に応じて実施例の項目で補足する。
請求項１３から３２に関しては、説明の重複を避け書面の簡素化を図る為、本項目での記載を省略し、実施例の項目でこれを兼ねた説明として著す。
【００１８】
本項目以降は、各要点を概要図で示す事を多用するが、これらの概要図は、特別な説明をしない場合は、例えば「前方」、「上面」等の方向、位置を示すひき舟の名称は、ひき舟を水に浮かべての使用時の釣人より見た呼称に統一する。
尚、図中に符号で示している場合は符号に準じ、又文中に説明があれば説明に準ずる。
【００１９】
図は、使用時の形体に合わせて著す事があり、投影図を天地逆や縦向きや横向きにして著す事がある。
【００２０】
側面断面図は、特別な説明をしない場合は、関係平面図の中央の切断面とし、この表示を省略する。
（その他の場合は、一点鎖線の両端に矢印と符号を付け示す。或は「図面の簡単な説明」の項目で著す。）
【００２１】
概要図の符号は、分類区分で付してあり、各代表図間に於いては同一形体で無い場合がある。
【００２２】
請求項１は、「鮎の取り出し口（２）を、前方（ア）又は後方（イ）に向けて設け小型化を可能にするひき舟（１）」である。
【００２３】
請求項１の発明は、
１、貯水率を増加させ、ひき舟の小型化（軽量化）を可能にする。
２、鮎の取り出しを容易にする。
３、ひき舟内部の観察を容易にする。
等の進歩性を備える。
【００２４】
図１、２は、前記（段落００２３）の１に関して著す。
図１は、広く一般的に市販され広く一般的に使用されている従来ひき舟（１Ｘ）あり、水より引き揚げての鮎の運搬時の貯水部（貯水量）（エＸ）を示す。〔符号（サ）は、ひき舟よりこぼれ落ちる水を示す。〕
従来ひき舟の鮎の取り出し口（２Ｘ）は、上面（キ）に上方（ウ）方向に向けて大きく設けてあり貯水部（貯水量）（エＸ）の減少要因になっている。
（鮎の取り出し口が小さいと、鮎の取り出しは更に困難になる。）
【００２５】
図２は、請求項１のひき舟を示す代表例であり、水より引き揚げての鮎の運搬時の貯水部（貯水量）（エ）を示す。
図が示す様に、鮎の取り出し口（２）の取り付け方向を前方（ア）又は後方（イ）に向けて設ける事により、前後方向に大きく占める従来ひき舟の鮎の取り出し口のスペースをほぼ無くし、貯水部（貯水量）（エ）を増加させる事を可能にする。
【００２６】
即ち、請求項１のひき舟は、水より引き揚げての鮎の運搬時に於いて、従来ひき舟より貯水率を大きくする為、従来ひき舟よりも容積を小さくしても、水不足による鮎の活力の衰退を防止し、釣り人の機敏な動作を可能にする。加えて生きた鮎の車両搭載時の水漏れを抑制する。
【００２７】
図３、４は、前記（段落００２３）の２に関して著す。
図３は、従来ひき舟の鮎の取り出しを示す。
この鮎の取り出し口（２Ｘ）は、上面に位置する為、鮎の取り出し手順は、取り出し口の開放後、
１、ひき舟を立てる。
２、ひき舟を寝かせる。
の、２ステップの動作、或はこの２ステップの動作の繰り返しを要する。
【００２８】
図４は、請求項１のひき舟（１）の鮎の取り出しを示す。
この鮎の取り出し口（２）は、正面に位置する為、鮎の取り出し手順は、取り出し口の開放後、
１、ひき舟を立てる。
の、１ステップの動作で（ストレートに）取り出す事が出来る。
【００２９】
即ち、請求項１のひき舟は、鮎の取り出しを敏速にする。
更に、確実である為、従来ひき舟の欠陥である鮎を取り出し忘れ、内部に鮎を残す事故が無い。
又、確実である為、タモ内部に鮎を流し入れる際、従来ひき舟の様に誤って逃がす事故が無い。
【００３０】
更に、従来のひき舟の鮎の取り出し口は、上面に位置する為、内部を観察する事は容易ではないが、請求項１のひき舟の鮎の取り出し口は、正面（或は背面）に位置する為、内部の隅々までを観察が出来、其々の鮎の健康状態の確認が容易である。
【００３１】
請求項１の実施例の概要は、図２、４の代表例が示す通り、鮎の取り出し口（２）が前方（ア）又は後方（イ）に向く様に、ひき舟本体部の縦方向を横切る様に分割をする着脱部（３）を設ける事で実施可能にする。
【００３２】
更に、これを実施例の詳細として著せば、代表例の着脱部（３）は、ひき舟本体部（１）の前部（１Ａ）側を細口（３Ａ）にし、後部（１Ｂ）側を太口（３Ｂ）にし、底面（ク）に軸（３Ｃ）である蝶番を設け開閉可能にしている。
又、上面（キ）にロック部（４）を設け閉塞状態の保持と解除の切り替えを可能にしている。
【００３３】
請求項２は、「ひき舟本体部（１）の横幅（コ）を、従来ひき舟の横幅（コＸ）より狭くして、鮎の取り出し口（２）の横幅を狭くし、更に水より引き揚げての鮎の運搬時に於いて、縦方向（ケ）に長い貯水部（エ）を備える位置に鮎の取り出し口（２）を設けた請求項１のひき舟。」である。
【００３４】
請求項２の発明は、
１、ひき舟の横幅を狭くして、更に小型化（軽量化）を可能にする。
２、水漏れを抑制する。
３、水流抵抗を軽減する。
等の進歩性を備える。
又、請求項２の発明は、
４、ひき舟の水より引き揚げての鮎の運搬時に於いて、鮎の姿勢を自然体にこだわらない事により実施可能にする。
【００３５】
図５、６は、前記（段落００３４）の１、４に関して著す。
図５（ア）は、従来ひき舟（１Ｘ）の水に浮かべての使用時であり、鮎が活かし部（シＸ）内を自然体で泳ぐ状態を示す。
図５（イ）は、従来ひき舟（１Ｘ）の水より引き揚げての鮎の運搬時であり、鮎が貯水部（エＸ）内を自然体で泳ぐ状態を示す。
【００３６】
図６（ア）は、請求項２のひき舟（１）の水に浮かべての使用時であり、鮎が活かし部（シ）内を自然体で泳ぐ状態を示す。
図６（イ）は、請求項２のひき舟（１）の水より引き揚げての鮎の運搬時であり、鮎が貯水部（エ）内を自然体で泳ぐ事にこだわらず活きている状態を示す。
【００３７】
即ち、請求項２の発明は、図６（イ）が示す様に、従来ひき舟の横幅（コＸ）より横幅（コ）を狭くして鮎の運搬時の姿勢を自然体にこだわらない事により、鮎の取り出し口（２）の横幅を狭くして、更にひき舟の小型化（軽量化）を可能にし、更に釣り人の機敏な動作を可能にする。
【００３８】
更に、図７、８は、前記（段落００３４）の２に関して著す。
同一容量を貯水した２個の容器に、同一角度の横揺れ（セ）が生じた場合の容器の横幅（コＸ、コ）の広狭の比較に於いて、
図７は、容器の横幅（コＸ）が広くこぼれ落ちる水量（図の網かけ部分）が多い事を示す。
図８は、容器の横幅（コ）が狭くこぼれ落ちる水量（図の網かけ部分）が少ない事を示す。
【００３９】
即ち、図８は、従来ひき舟より横幅を狭くした請求項２のひき舟に相当し、こぼれ落ちる水量比率が少ない事を示す。
【００４０】
この為、この発明は、ひき舟の水面よりの揚げ下ろしや運搬で生じる横揺れに対してこぼれ落ちる水量を抑制し、水不足、水切れによる鮎の衰退を防止しひき舟の小型（軽量）化を可能にする。
釣り最中に水不足、水切れの気遣いを少なくし釣りに集中でき、ひき舟の水面よりの揚げ下ろし時や運搬時の動作を機敏にする。
【００４１】
図９、１０は前記（段落００３４）の３に関して著す。
図９は、従来ひき舟（１Ｘ）の水に浮かべての使用時であり、水流（ス）を受ける面、即ち横幅（コＸ）が広く水流抵抗が大きい事を示す。
図１０は、請求項２のひき舟（１）の水に浮かべての使用時であり、水流（ス）を受ける面、即ち横幅（コ）が狭く水流抵抗を軽減する事を示す。
【００４２】
即ち、請求項２のひき舟は、水に浮かべての使用時に於いて、常時ひき舟が下流に引っ張られるのを軽減し、水に立ち入っての釣りに於いて、危険や疲労や煩わしさを減少させる。
又、ひき舟の引き寄せを容易にし、鮎の取りこみやトラブル発生時には敏速で適切な行動を可能にする。
【００４３】
請求項２の実施例の概要は、図６の代表例が示す通り請求項１のひき舟（１）の横幅（コ）を従来ひき舟の横幅より狭くして、鮎の取り出し口（２）の横幅を狭くし、更に水より引き揚げての鮎の運搬時に於いて、縦方向（ケ）に長い貯水部（エ）を備える位置に鮎の取り出し口（２）を設ける事で実施可能にする。
【００４４】
請求項３は、「ひき舟本体部の容積を従来ひき舟より小さくして、鮎の取り出し口（２）を小さくした請求項１、２のひき舟」である。
【００４５】
請求項１、２の提供により、従来ひき舟より容積を小さくしても、ひき舟としての機能を喪失しないひき舟の提供が可能であるが、あえて本請求項内にこれを明確に著すことにより、本請求項が１匹ないし数匹の鮎を収容する為の小形（軽量）のひき舟の提供である事を明確にする。
【００４６】
請求項３のひき舟は、鮎の収容を必要に応じて、終日この１つのひき舟にだけ頼らずおとり缶やクーラーに移動させて使用するが、ひき舟本体部の容積を従来ひき舟より小さくして鮎の取り出し口を小さくする事により、釣り最中であっても、準備、移動中であっても、或は激流であっても、浅場であっても、岩や石が散在する瀬の中であっても、陸上であっても、或は貯水状態であっても、水抜き状態であっても、或は常時であっても、とっさであっても、腰や肩等に装着したり手で保持したりして携帯する事が可能であり、水流などによる危険を防止して疲労や煩わしさを減少させ機敏な動作を可能にする。  
【００４７】
特に、本来の鮎の友釣りは、釣り人が親鮎に鼻カンを通し釣りを開始すれば、「次の鮎が掛るまでの間」は、鮎の入った重いひき舟が釣り人の身近には不用となるはずだが、従来のひき舟では、この間も依然と、水に浮かべたひき舟の腰紐を腰のベルトにつなぎ曳き従えなければならなかった。
【００４８】
請求項３のひき舟は、この「次の鮎が掛るまでの間」を、水切り状態で腰や肩等に装着したり手で保持したりして携帯する事により、従来ひき舟の欠陥である激流に立ちこむ危険や疲労を無くし、浅場や、岩や石が散在する瀬の中での釣り辛さを無くし、掛り鮎の取りこみ、異物の引っ掛かり、エビ状態等の釣り最中の急な動作やトラブルにより、釣り人が急遽、上流や下流、水中より陸上、陸上より水中などに移動する際のまごつき、不手際を解消し、釣り動作を機敏にする。
【００４９】
又、鮎をタモ内よりひき舟に移し替える際には、請求項３の小型化（軽量化）したひき舟をタモ内にすっぽり入れ鮎の収容を可能にする為、従来ひき舟の欠点である鮎を誤って逃がす事故を防止する。
【００５０】
更に、鮎をひき舟内よりタモ内に移し替える際には、請求項３の小型化（軽量化）したひき舟の口を、タモの口内に確実に乗せ鮎の流し入れを可能にする為、従来ひき舟の欠点である鮎を誤って逃がす事故を防止する。
【００５１】
請求項３の実施例の概要は、請求項１、２のひき舟を従来ひき舟より容積を小さくし、鮎の取り出し口を小さくして設ける事で実施可能にする。（図示省略。）
【００５２】
請求項４は、「鮎の運搬時に於いて、水漏れを防止する鮎の取り出し口（２）を設けた請求項１、２、３のひき舟（１）」であり、図１１がこの代表例を示す。
【００５３】
この発明は、前記（段落００５２)により、鮎の運搬時に於いて貯水部（貯水量）（エ）を、水漏れ要因である鮎の投入口（５）や通水孔（７）等の際である水位上限（ソ）まで増加させる。
〔図１１は、鮎の投入口（５）を水位上限（ソ）として示している。〕
【００５４】
この為、請求項４のひき舟は、
請求項１、２、３のひき舟より、更に貯水率を大きくして、
請求項１、２、３のひき舟より、更に小型（軽量）のひき舟を可能にして、
請求項１、２、３のひき舟より、更に危険、疲労、煩わしさ等を減少し、釣り動作を機敏にする
【００５５】
請求項４の実施例の概要は、図１１の代表例が示す通り請求項１、２、３のひき舟（１）の鮎の取り出し口（２）の着脱部（３）にゴムパッキング（６）等を設け、水漏れを防止する事で実施可能にする。
【００５６】
請求項５は、「鮎の取り出し口（２）の蓋（１Ｃ)を、ひき舟本体部（１）の正面（オ）に設けた請求項１、２、３、４のひき舟であり、図１２がこの代表例を示す。
【００５７】
この発明は、前記(段落００５６)により、ひき舟の水より引き揚げての鮎の運搬時に於いて、この口をひき舟本体部の最上部に引き上げ、貯水部（貯水量）（エ）を、水漏れ要因である鮎の投入口（５）や通水孔（７）等の際である水位上限（ソ）まで増加させる。
〔図１２は、鮎の投入口（５）を水位上限（ソ）として示している。〕
【００５８】
この為、請求項５のひき舟は、パッキング等の水漏れ防止の有無に関係無く、
従来ひき舟より、貯水率を大きくして、
従来ひき舟より、小型（軽量）のひき舟を可能にして、
従来ひき舟より、危険、疲労、煩わしさ等を減少し、釣り動作を機敏にする。
【００５９】
請求項５の実施例の概要は、図１２の代表例が示す通り請求項１、２、３、４のひき舟の鮎の取り出し口（２）の蓋（１Ｃ）を、ひき舟本体部（１）の正面（オ）に設ける事で実施可能にする。
【００６０】
これを更に詳細に著せば、代表例は、ひき舟本体部（１）の底面近くに設けた軸（３Ｃ）を中心に蓋（１Ｃ）を開閉する着脱部（３）を設け、更に本体部の上面に、この口の閉塞を保持し解除するためのロック部（４）を設けている。
【００６１】
請求項６は、「鮎の取り出し口（２）の蓋（１Ｃ）を、ひき舟本体部（１）の背面（カ）に設けた請求項４のひき舟」であり、図１３がこの代表例を示す。
【００６２】
この発明は、前記(段落００６１)により、ひき舟の水より引き揚げての鮎の運搬時に於いて、この部が水漏れ防止機能を備えており、貯水部（貯水量）（エ）を水漏れ要因である鮎の投入口（５）や通水孔（７）等の際である水位上限（ソ）まで増加させる。
〔図１３は、鮎の投入口（５）を水位上限（ソ）として示している。〕
【００６３】
この為、請求項６のひき舟は、
従来ひき舟より、貯水率を大きくして、
従来ひき舟より、小型（軽量）のひき舟を可能にして、
従来ひき舟より、危険、疲労、煩わしさ等を減少し、釣り動作を機敏にする。
【００６４】
更に、下流に向けてひき舟内部に入れた鮎は、ひき舟内部で上流に向きを変える習性を持ち、小型化したひき舟に於いては、大型鮎や衰弱した鮎は、これを困難にする場合があるが、請求項６の鮎の取り出し口（２）は、大型鮎や衰弱した鮎をひき舟内部に、直接上流に向けて投入することを可能にする。
【００６５】
請求項６の実施例の概要は、図１３の代表例が示す通り請求項４のひき舟の鮎の取り出し口（２）の蓋（１Ｃ）をひき舟本体部（１）の背面（カ）に設ける事で実施可能にする。
【００６６】
これを更に詳細に著せば、代表例は、ひき舟本体部側を太口にし、背面断面を円形にした蓋を本体部内部に挿入し嵌め外しする着脱部（３）を設け、着脱部の奥の本体部側に環形のパッキング（６）を嵌め込み水漏れを防止している。
【００６７】
更に代表例の着脱部にねじを設け、回転により着脱を確実にして着脱部が緩むのを防止することが一般的であり、この際、つまみ（１Ｃ２）は着脱を容易にする。
【００６８】
請求項７は、「鮎の取り出し口（２）を、鮎の投入口（５）の後方（イ）に設けた請求項１、２、３、４のひき舟」であり、図１４がこの代表例を示す。
【００６９】
この発明は、前記(段落００６８)により、ひき舟の水より引き揚げての鮎の運搬時に於いて、この口をひき舟本体部の上部に引き上げ、貯水部（貯水量）（エ）を水漏れ要因であるこの鮎の取り出し口（２）や通水孔（７）等の際である水位上限（ソ）まで増加させる。
〔図１４は、鮎の取り出し口（２）を水位上限（ソ）として示している。〕
【００７０】
尚、念のため著せば、発明（小型化）を可能にする為には、水漏れ要因であるこの鮎の取り出し口と鮎の投入口を「支障が無く可能な限り」、余分なスペースを作らず前方（ア）に設けたり、或は鮎の取り出し口にパッキング等の水漏れを防止する機能を設けたりして、従来ひき舟より貯水率を増加させることが不可欠である。
（この「支障が無く可能な限り」とは、この部の着脱が可能である事、この部が使い易い事、この部の取り付けが容易である事、この部が耐久性を備える事等の常識を備える事である。）
【００７１】
即ち、請求項７のひき舟は、
従来ひき舟より、貯水率を大きくして、
従来ひき舟より、小型（軽量）のひき舟を可能にして、
従来ひき舟より、危険、疲労、煩わしさ等を減少し、釣り動作を機敏にする。
【００７２】
請求項７の実施例の概要は、図１４の代表例が示す通り請求項１、２、３、４の鮎の取り出し口（２）を鮎の投入口（５）の後方（イ）に設ける事で実施可能にする。
【００７３】
更に、これを詳細に著せば、代表例は、従来様式の鮎の投入口（５）をひき舟の上面（キ）に設け、鮎の取り出し口（２）の前部本体部（１Ａ）側を太口、後部本体部（１Ｂ）側を細口にして抜き差し可能な着脱部（３）を設けている。
更に、この双方の口は、余分なスペースを作らず「支障が無く可能な限り」、ひき舟本体部（１）の前方（ア）に設けている。
尚、代表例のロック部は、図示を省略している。
【００７４】
請求項８は、「ひき舟本体部（１）の正面（オ）に設けた鮎の取り出し口（２）の蓋（１Ｃ）が、両脇に仕切り壁（１Ｃ１）を備え、軸（３Ｃ）を中心として開閉し、外側方向に開口する着脱部（３）を備えた請求項１、２、３、４、５のひき舟。」であり、
【００７５】
請求項９は、「鮎の取り出し口が鮎の投入口を兼用でき、この鮎の取り出し口（２）の蓋（１Ｃ）を正面（オ）に設けたひき舟（１）であり、鮎の取り出し口の蓋（１Ｃ）は、両脇に仕切り壁（１Ｃ１）を設け、軸（３Ｃ）を中心として開閉でき、弾性部材（３Ｄ）により外側方向にワンタッチで開放される着脱部（３）を設け、
水に浮かべてのひき舟の使用時には、ロック部（４）が蓋の閉塞を保持し、
鮎の投入に係わる開放は、ロック部の解除により、弾性部材（３Ｄ）により押された蓋が外側方向に開口し、この時、蓋の開放角度の制御部（１０）が、鮎の投入に適した口の角度と広さを確保し鮎の飛び出しを防止し、
鮎の取り出しに係わる開放は、蓋の開放角度の制御部（１０）の解除により、蓋が更に弾性部材に押され全開する請求項１、２、３、４、５、８のひき舟。」であり、図１５、１６、１７が、請求項８、９の代表例を示す。
【００７６】
図１５は、ひき舟の水に浮かべての使用時であり、本体部（１）に設けた溝部（４Ｂ）と仕切り壁（１Ｃ１）に設けた突部（４Ａ）から成るロック部（４）が、弾性部材（４Ｄ）であるねじりバネにより噛み合い蓋（１Ｃ）を固定し、鮎の取り出し口（兼投入口）（２）の閉塞を保持した状態を示す。
【００７７】
図１６は、鮎の投入時であり、ロック部の操作部（４Ｂ１）である押しボタンを押し下げると、溝部（４Ｂ）は突部（４Ａ）より引き上げられロックが解除され、蓋（１Ｃ）が弾性部材（３Ｄ）であるねじりバネにより外側方向に押され、軸（３Ｃ）を中心として回転し鮎の取り出し口（兼投入口）（２）が開放された状態を示す。
（請求項８の発明は、この操作により鮎の取り出し口（２）を全開させ鮎の取り出しを可能にする事ができる。）
【００７８】
この際、蓋の両側に取り付けた仕切り壁（１Ｃ１）は、鮎が脇方向より飛び出すのを防止し、更にストッパー突部（１０Ａ）とガイド溝部（１０Ｂ）から成る蓋の開放角度の制御部（１０）が、鮎の投入に適した口の角度と広さを確保し、鮎の投入を容易にし、鮎の飛び出しを防止する。
【００７９】
図１７は、鮎の取り出し時であり、蓋の開放角度の制御部の操作部（１０Ａ１）であるストッパーのつまみを外に引き、これに連結しているストッパー突部（１０Ａ）をガイド溝部（１０Ｂ）から抜き取る事により、蓋の開放角度の制御部の作用が解除され、更にねじりバネ（３Ｄ）により蓋（１Ｃ）が外側方向に押され、鮎の取り出し口（兼投入口）（２）が全開し、「ひき舟を立てるだけの１ステップの動作」で鮎が取り出せることを示す。
【００８０】
即ち、請求項８、９のひき舟は、ひき舟の水より引き揚げての鮎の運搬時に於いて、この口をひき舟本体部の最上部に引き上げ、
従来ひき舟より、貯水率を大きくして、
従来ひき舟より、小型（軽量）のひき舟を可能にして、
従来ひき舟より、危険、疲労、煩わしさ等を減少し釣り動作を機敏にする。
加えて、蓋の紛失を防止して、鮎の出し入れを更に敏速、確実、容易にする。
【００８１】
特に、請求項９のひき舟は、鮎の取り出し口（兼投入口）（２）を、１つの操作で鮎の投入口として開口し、鮎の逃げ出しを防止し、鮎を敏速、確実、容易に収容し、更に、１つの操作で鮎の取り出し口として開口し、鮎の取り出しを敏速、確実、容易にする。
【００８２】
請求項８、９の実施例は、前記（段落００７４から００７９）により可能にする。
【００８３】
請求項１０は、「ひき舟本体部（１）の正面（オ）に設けた鮎の取り出し口（２）の蓋（１Ｃ）が、軸（３Ｃ）を中心として開閉し、弾性部材（３Ｄ）により鮎の取り出し口の蓋側を内側方向より本体部側に押し付けて閉塞し、内側方向に押し開口する着脱部（３）を備えた請求項１、２、３、４、５のひき舟。」であり、
【００８４】
請求項１１は、「鮎の取り出し口が鮎の投入口を兼用でき、この鮎の取り出し口（２）の蓋（１Ｃ）を本体部（１）の正面（オ）に設けたひき舟であり、軸（３Ｃ）を中心として開閉でき、弾性部材（３Ｄ）により鮎の取り出し口の蓋側を内側方向より本体部側に押し付け閉塞する着脱部（３）を備えたひき舟であり、
鮎の投入に係わる開放は、弾性部材により閉塞している蓋を内側方向に押さえ開口し、
鮎の取り出しに係わる開放は、蓋を更に内側方向に押し内壁に押し付けロック部（４）で固定する請求項１、２、３、４、５、１０のひき舟。」であり、図１８、１９、２０が、請求項１０、１１の代表例を示す。
【００８５】
図１８は、ひき舟の水に浮かべての使用時であり、本体部（１）の正面（オ）に、軸（３Ｃ）を中心に開閉するように取り付けた鮎の取り出し口（兼投入口）（２）の蓋（１Ｃ）を、弾性部材（３Ｄ）であるねじりバネにより、内側方向より本体部側の蓋止め（１Ｄ）に押し付け閉塞した状態を示す。
【００８６】
図１９は、鮎の投入時であり、蓋（１Ｃ）を指や鮎の身体で内側方向に押さえ、鮎の取り出し口（兼投入口）（２）を開口した状態を示す。
【００８７】
図２０は、鮎の取り出し時であり、更に蓋（１Ｃ）を指で内壁に押し付け、ロック部（４）で固定し、ひき舟を立てるだけの１ステップの動作で鮎が取り出せることを示す。
尚、代表例のロック部（４）は、ひき舟外部に設けたロック部の操作部（４Ｂ１）であるつまみを回転させ、これに連動する溝部(４Ｂ)のひかかり部分が、蓋の先端を挟み固定する。
【００８８】
このロック部を設けない請求項１０のひき舟、或はこの動作が面倒であれば、指で蓋をひき舟の内壁に押しつづければ、開口は継続され鮎の取り出しが可能となる。
【００８９】
即ち、請求項１０、１１のひき舟は、ひき舟の水より引き揚げての鮎の運搬時に於いて、この口をひき舟本体部の最上部に引き上げ、
従来ひき舟より、貯水率を大きくして、
従来ひき舟より、小型（軽量）のひき舟を可能にして、
従来ひき舟より、危険、疲労、煩わしさ等を減少し、釣り動作を機敏にする。
加えて、蓋の紛失を防止して、鮎の出し入れを敏速、確実、容易にする。
【００９０】
特に、請求項１１のひき舟は、鮎の取り出し口（２）を１つの操作で鮎の投入口として開口し、鮎の逃げ出しを防止し、鮎を敏速、確実、容易に収容し、更に１つの操作で鮎の取り出し口として開口し、鮎の取り出しを敏速、確実、容易にする。
【００９１】
請求項１０、１１の実施例は、前記（段落００８３から００８８）により可能にする。
【００９２】
請求項１２は、「鮎の取り出し口（２）を、前方又は後方に向けて設け、小型化を可能し、従来ひき舟より釣り人の機敏な動作を可能にする請求項１から１１のひき舟。」である。
【００９３】
請求項１２の課題を解決する手段及び実施例の概要は、既に著した通りである。
【００９４】
詳細（請求項で著す「機敏な動作」）については、以降の実施例内で数多くの関連技術を著すことにするが、この理由は次の通りである。
１、従来ひき舟に於いては、「機敏な動作」を可能にする為の際立った技術が見当たらず(即ち、本発明が比較し参考にできる際立った技術が見当たらず)、この技術について、具体的に著すことを省略すれば、本請求項が曖昧な記述になることを懸念する。
２、即ち、実施例内で「機敏な動作」を可能にする技術の存在を数多く著し、又、この技術が小型化を可能にする本発明に適用可能であることを著し、具体的で明確な発明とする。
【００９５】
この項目の最後に、発明に関する語義を整理する。
着脱部、ロック部、パッキングは、本発明の鮎の取り出し口等に用いる技術である。
着脱部は、「開閉」、「抜き差し」、「嵌め外し」、「取り付け、取り外し」、「開放、閉塞」、「着装、離脱」、その他等表現し使用する部であり、一般的な周知技術である。
【００９６】
ロック部は、着脱部の状態を保持し解除する部であり、一般的な周知技術である。
【００９７】
パッキングは、着脱部等よりの水漏れを防止する為の最も代表的な技術であり、一般的な周知技術である。
【００９８】
着脱部は、ひき舟本体部を二つに分割し、分割後のこの部を「前部（本体部）と後部（本体部）」或は「蓋とひき舟（本体部）」と呼称するが、この呼称名区分は、一般的に常用される通りであり、〔即ち、占有比の小さいものを「前部（本体部）と後部（本体部）」、占有比の大きいものを「蓋とひき舟（本体部）」と呼称しており、〕本願書内に於いても、これに準じ、これ以上の明確な定義を設けていない。
又、「ひき舟（本体部）」は、統括的表現として「蓋、前部（本体部）と後部（本体部）」も含めた語意として用いる事が有るが、これも一般的に常用される通りである。
【発明の効果】
【００９９】
本発明は、総じては、機敏な動作を可能にする。
詳細は、発明が解決しようとする課題で著した通りである。
又、実施例の項目で著す。
【０１００】
加えて、請求項３のひき舟等は、２艘目のひき舟として活きの良い鮎だけ或は活きの悪い鮎だけを選別していれる容器として利用し、素早く、容易に、親に適した鮎を取り出すことを可能にする。
【０１０１】
又、請求項全般のひき舟は、鮎以外の一般釣魚を対象にして用い、例えば、釣った魚の釣り後の放流目的、鮮度保持目的、生き餌（生き魚）入れなど、終日、魚を活かしておく為の容器として、利用が可能である。
（「技術分野」で「主に」と記載した理由は、本段落による。）
【実施例】
【０１０２】
実施例の項目は、次の項目に細分して著す。
＜１、鮎の取り出し口の全般を統括した実施例＞  
＜２、個々の発明に適用した鮎の取り出し口の実施例＞
＜３、鮎の取り出し口に大きく係わる他の部分の実施例＞
＜４、鮎の取り出し口以外の実施例＞
【０１０３】
＜１、鮎の取り出し口の全般を統括した実施例＞  
願書の記載内容や記載量の見極めは容易ではないが、実施例の最初に本項目表題について著す。
この理由は次の通りである。
１、個々の実施例の一つ一つを対象にして、具体的な解説や図を付け加えて著そうとすれば、莫大な（おそらく、数千、数万に及ぶ）類似した実施例を延々と著すことになる。
２、この全般を統括した実施例で著す着脱部やロック部やパッキングは、広く一般分野でも利用されている周知技術であり、個々の一つ一つの技術に当てはめて著さなくても実施可能と判断する。（実施に際しては、簡単な応用を必要とする技術や、対象技術と除外技術の選択を必要とする場合が若干は含まれるが、これらは、常識的な技術水準の範囲で実施が容易に可能であると判断する。）
３、この全般を統括した実施例の記載を省略すれば、本発明が、具体性を欠く技術に相当する事になるのを懸念する。
【０１０４】
本項目は、更に次の項目に細分化して著す。
≪１-１、着脱部の全般を統括した実施例≫
≪１-２、ロック部の全般を統括した実施例≫
≪１-３、パッキングの全般を統括した実施例≫
【０１０５】
≪１-１、着脱部の全般を統括した実施例≫
図２１は、着脱部の全般を統括した実施例であり、着脱部の基本的形体の概要を示す代表例である。
図２１の（Ａ）は、太口（３Ｂ）の内周を細口（３Ａ）の外周より微かに太くし、抜き差しする着脱部である。
代表例は、内周面と外周面が滑り合う抜き差し部（３Ｅ）と、正面方向と背面方向が向き合う対面部（３Ｆ）を備える着脱部である。
【０１０６】
代表例の双方（３Ｅ）（３Ｆ）は、口の周囲を連続して一周しているが、双方（３Ｅ）（３Ｆ）を口の周囲に断続的に設けることも可能である。
【０１０７】
代表例の内周と外周を円形にし、其々の円周にねじを設け、回転により着脱を確実にすることが可能である。
又、他の部分をふね型のままので、着脱部のみを円形にしてねじを設ける事が可能である。
【０１０８】
代表例は、着脱部の細口（３Ａ）側を前部本体部、太口（３Ｂ）側を後部本体部として著しているが、細口側（又は太口側）は、後部本体部であっても、蓋であっても、本体部であっても可能である。
【０１０９】
図２１の（Ｂ）は、前図（Ａ）の１対内に２個ある対面部（３Ｆ）を１個にした着脱部の代表例である。
【０１１０】
図２１の（Ｃ）は、前図（Ａ）の抜き差し部（３Ｅ）のみを設けた着脱部の実施例である。
代表例は、希望する位置に細口を止める為の止め部を太口内に設けている。
【０１１１】
図２１の（Ｄ）は、前図（Ａ）の１対内の抜き差し部（３Ｅ）と対面部（３Ｆ）を其々複数にした着脱部の実施例である。
代表例は、１対内の抜き差し部を２個、対面部を３個設けている。
【０１１２】
図２１の（Ｅ）は、前図（Ａ）、（Ｂ）、（Ｃ）、（Ｄ）の抜き差し部（３Ｅ）に傾斜を設けた着脱部の実施例である。
挿入につれて装着が強くなる。
代表例は、前図（Ｃ）の抜き差し部に傾斜を設けている。
【０１１３】
図２１の（Ｆ）は、前図（Ａ）の対面部（３Ｆ）のみを設けた着脱部の実施例である。
代表例は、対面部に凹凸を設け、噛み合せの位置を決定している。
【０１１４】
図２１の（Ｇ）は、前図（Ａ）、（Ｂ）、（Ｃ）、（Ｄ）、（Ｅ）、（Ｆ）の抜き差し部（３Ｅ）や対面部（３Ｆ）やこの付近を、ひき船本体部と分離形成した着脱部の実施例である。
代表例は、前図（Ａ）の抜き差し部を分離形成している。
【０１１５】
この分離形成部（３Ｅ１）の素材は、ひき舟本体部と同素材（例えばひき舟本体部と同種のプラステック）、或はひき舟本体部と異素材（例えばひき舟本体部と異種のプラステック、ゴム、繊維、金属、セラミックス、その他）が可能であり、着脱部のスムーズな操作、着脱部の確実な操作、着脱部の耐久性の向上、着脱部の緩衝、着脱部よりの水漏れの防止などを可能にする。
（これらの素材は、目的に応じて選択し用いる事が可能である。）
【０１１６】
分離形成部は、接着や接合により、ひき舟本体部との永久固定を可能にする。
或は、分解、組み立てを可能にする事により、着脱部の掃除を容易にし、消耗破損による交換を可能にする。
【０１１７】
図２１の（Ｈ）は、前図（Ａ）、（Ｂ）、（Ｃ）、（Ｄ）、（Ｅ）、（Ｆ）、（Ｇ）に軸を設けた着脱部の実施例である。
軸の種類は、蝶番、枢の他に、ポリプロピレン製などの曲げ疲労抵抗が大きい素材の折れ目を中心とし曲げ伸ばしによる、本体部と一体形成或は分離形成した着脱部、或は代表図が示すように、鉤（３Ｃ１）とこれを係止する軸（３Ｃ２）から成り、嵌め外しを自在にした蝶番等が可能である。
【０１１８】
着脱部の基本的形体（図２１）のその他の実施例として、ひき舟本体部の正面や背面に設けた蓋に限定するが、
溝やレールに嵌め滑らせて、開け閉てする引き戸。
一定場所に折りたたみ収納するアコーディオン戸。
観音開き、四方開き、八方開き等の開き戸。
カメラシャッターのように中心部より周方向に開口する戸。
その他。
を著す事ができる。
【０１１９】
着脱部の全般に於いて、着脱部の操作を容易にする為に、ひき舟本体部や蓋（或は前部本体部や後部本体部）の指を添える部分に細かいギザギザ、細かいブツブツ、へこみ等の形体や、ゴム等の弾性材等のすべり止めを設けることが可能である。
【０１２０】
着脱部の全般に於いて、合成樹脂材、油材、金属粉、セラミックス粉等の材料による塗装やコーティングにより、着脱操作を確実或はスムーズにすることが可能である。
【０１２１】
図２２は、着脱部とロック部の操作手順（作用）の関係を示す実施例である。
数多くの形態を可能にする為、この代表例は、図が示す着脱部とロック部に限定して概要を示すが、その他の多くの形態に適用が可能である。
尚、図の（  ）内の１、２、３は操作（作用）の順番を示す。
【０１２２】
図２２の（Ａ１）は、着脱部の着装により、自動でロック開始、
図２２の（Ａ２）は、ロック最中（閉塞の保持）、
図２２の（Ａ３）は、着脱部の離脱により、自動でロック解除。
である。
【０１２３】
図２２の（Ｂ１）は、着脱部の着装により、自動でロック開始、
図２２の（Ｂ２）は、ロック最中（閉塞の保持）、
図２２の（Ｂ３）は、手動でロック解除後、着脱部の離脱開始。
である。
【０１２４】
図２２の（Ｃ１）は、着脱部の着装後、手動でロック開始、
図２２の（Ｃ２）は、ロック最中（閉塞の保持）、
図２２の（Ｃ３）は、手動でロック解除後、着脱部の離脱開始。
である。
【０１２５】
尚、文章表現上に於いては、ロック操作が自動の場合は、着脱部の操作として著すこともある。
【０１２６】
≪１-２、ロック部の全般を統括した実施例≫
図２３は、ロック部の具体的形態を示す実施例であり、数多くの形態を可能にする為、この一部の概要を代表例として著す。
又、この解説を容易にするために、広く一般的に使用されている周知技術を用いて、これを著す。
【０１２７】
図２３の（Ａ）は、かんぬき金具内部に抜き差しするかんぬきである。
代表例は、ロック部の操作部（４Ａ１）であるつまみを上に向けて起こし、かんぬきを前後に移動させ、移動後、前後端の溝につまみを倒し、ロックを確実にする仕組みを備える。
【０１２８】
図２３の（Ｂ）は、スライドさせ操作するスライドボタンである。
前図２２の（Ｂ*）で著した押し込み操作する押しボタンと類似技術である。
【０１２９】
図２３の（Ｃ）は、鉤による掛け金である。
【０１３０】
図２３の（Ｄ）は、環による掛け金である。
【０１３１】
図２３の（Ｅ）は、打ち掛けによる掛け金である。
（Ｃ）、（Ｄ）、（Ｅ）の掛け金は、掛け金の相側に締め緩めできるネジや掛け外しできる鉤等のＷロック部を設ければ、更に確実なロックを可能にする。
尚、前記（Ａ）のかんぬき金具や、（Ｃ）、（Ｄ）、（Ｅ）の掛け金は、「金」と表現しているが、仕組みを示す為の代表例であり、素材を金属に限定するものではない。以降の記載についても、同様であり、素材を金属に限定するものではない。
【０１３２】
図２３の（Ｆ）、（Ｆア）は、周囲（前後左右）の囲みにより、周囲（前後左右）よりの誤操作を防止できる押しボタンである。
【０１３３】
図２３の（Ｇ）、（Ｇア）は、ロック時の引き寄せにより、鮎の取り出し口を強く密閉させる事ができる掛け金である。
パッキング（６）を設けた（水漏れを防止する為の）鮎の取り出し口に設けると効果的である。
【０１３４】
図２３の（Ｈ）（Ｈア）は、ロック部が２対からなり、２対のロック部の操作部を同時に押さえる事により解除できるロック部である。
不用意に、一方のロック部の操作部を押さえても、全体のロックが解除されることが無く誤操作を防止する。
【０１３５】
以上、ロック部の具体的形態を著したが、これに、既に著したロック部や以降に著すロック部やその他のロック部を付け加えることが可能である。
これらの代表例の多くは、取り付け方向により上、下、左、右、前、後など自由な方向よりのロック操作が可能である。
【０１３６】
図２４は、ロック部の材料とこの効果、作用の関係を示す実施例である。
数多くの形体を可能にする為、この形体を代表例が示す突部に限定して概要を著すが、その他の数多くの形体の適用が可能である。
【０１３７】
図２４の（Ａ）は、ロック部がひき舟本体部と同素材であり、一体形成されている。
【０１３８】
図２４の（Ｂ）は、ロック部がひき舟本体部と分離形成されている。
この分離形成部の素材は、ひき舟本体部と同素材（例えばひき舟本体部と同種のプラステック）、或はひき舟本体部と異素材（例えばひき舟本体部と異種のプラステック、ゴム、繊維、金属、セラミックス、その他）が可能であり、ロック部のスムーズな操作、ロック部の確実な操作、ロック部の耐久性の向上、ロック部の緩衝、ロック部よりの水漏れの防止などを可能にする。
（これらの素材は、目的に応じて選択し用いる事が可能である。）
【０１３９】
分離形成部は、接着や接合によりひき舟本体部に永久固定を可能にする。
或は分解、組み立てを可能にする事により、ロック部の掃除を容易にし、消耗破損による交換を可能にする。
【０１４０】
図２４の（Ｃ）は、前記（Ｂ）の「ロック部」の記載を「ロック部の表面」又は「ロック部の一部」に変更する。
前記（Ｂ）の加工方法に加え、合成樹脂材や油材や金属粉やセラミックス粉やその他の材料による塗装やコーティング、或は布材、皮材、薄板材、その他の材料の貼り付け、或は繊維の巻きつけ等が可能である。
【０１４１】
図２４の（Ｄ）は、前記（Ｂ）の「ロック部」の記載を「ロック部とこの周辺」に変更する。
前記（Ｂ）の効果に加え、この部の取り付け面積を広くすることにより、取り付けを容易にし、接着、接合、分解後の組み立てを確実にすることが可能である。
【０１４２】
図２４の（Ｅ）は、バネから成るロック部である。
前記（Ｂ）等のプラステック、ゴムなどの作用と比較して、強く、大きく作用させることが可能であり、確実、明確なロックが可能である。
加えて、前記（Ｂ）等と同様に、この部の永久固定或は分解、組み立てを可能にする。
【０１４３】
図２４の（Ｆ）は、前記（Ｂ）等の材料と前記（Ｅ）のバネの組み合わせから成るロック部である。
前記（Ｅ）加えて、前記（Ｂ）等の特性の活用を可能にする。
【０１４４】
図２４の（Ｇ）は、球や円柱やその他の回転体から成るロック部である。
回転体は、接面部との擦れ抵抗を小さくしロック操作をスムーズにする。
【０１４５】
図２４の（Ｈ）は、前記（Ｅ）等のバネと前記（Ｇ）の球や円柱やその他の回転体の組み合わせから成るロック部である。
前記（Ｅ）等に加えて、前記（Ｇ）の特性の活用を可能にする。
【０１４６】
尚、バネは弾性部材の種であり、弾性力を利用してエネルギーを吸収、蓄積、発散する為に用い、ねじりバネ、圧縮コイルバネ、引っ張りコイルバネ、円錐形コイルバネ、板バネ、波型バネ、重ね板バネ、輪バネ、渦巻きバネ、皿ばね、竹の子バネ、その他目的に応じ選択し用いる事が可能である。（図２４に限らず、発明の全般に於いて選択し用いる事が可能である。）
【０１４７】
図２５は、ロック部の噛み合わせ形体と、作用の確実性の関係を示す実施例である。
数多くの形体を可能にする為、この形体を代表例が著す突部と溝部の組み合わせに限定しこの概要を著すが、その他の数多くの形体の適用が可能である。
【０１４８】
図２５の符号タは、抜き取り角度を示す。
図２５の符号チは、挿入角度を示す。
変形する素材に於いては、噛み合わせ角度が（１８０度以内に於いて）大きいと稼動が容易であり、噛み合わせ角度が（１８０度以内に於いて）小さいと容易でなくなる。
変形しない素材に於いては、変形する素材と同様であるが、噛み合わせ角度が９０度以下になると稼動しなくなる。
即ち、代表例の突部の挿入（符号Ｒ方向）は、容易であり、
突部の抜き取り（符号Ｌ方向）は、確実なロック状態にある。
【０１４９】
図２５の符号ツは、高さを示す。
低いとロック操作は容易であるが、ロックの確実性は減り、高いとロック操作は困難であるが、ロックの確実性が増す。
【０１５０】
図２５の符号テは、長さ（或は、広さ）を示す。
短い（或は、狭い）と擦れ抵抗を少なくし、長い（或は、広い）と擦れ抵抗を多くする。
【０１５１】
図２５の符号トは、表面形体を示す。
ツルツル形体は、稼動が容易であり、ザラザラ形体、ブツブツ形体などは稼動が容易でなくなる。
【０１５２】
図２５の符号ナは、隙間（密着状態）を示す。
ロック時に隙間が生じる状態はガタツキ易く、隙間を無くした状態はロックの確実性を増加させる。
弾性材により、噛み合わせ部分の全て或は一部を圧迫したり隙間を狭くしたりすることを可能にする。又溝部の口を広狭させる事を可能にする。
【０１５３】
図２６は、ロック部の操作部形態と効果の関係を著す実施例である。
数多くの形態を可能にする為、操作部（４Ａ１）の形態を代表例が著す押しボタンに限定しこの概要を著すが、その他の数多くの形態の適用が可能である。
【０１５４】
図２６の（Ａ）は、操作部（４Ａ１）の指を添える部分に細かいギザギザ（或はブツブツやへこみやその他の形体、或はゴムやその他の弾性材等）の滑り止め（４Ｇ）を設けている。
この滑り止めは、ロック操作を容易にし好感触を付与する。
尚、代表例は、上面（押し込み用）と側面（引き上げ用）に滑り止めを設けている。
【０１５５】
図２６の（Ｂ）は、ゴムや弾性系の合成樹脂や軟質系の合成樹脂やその他の材料のカバー（４Ｈ）を設けている。
この部よりの水漏れの防止や砂等異物の侵入の防止やこの部の滑り止めや好感触の付与等を可能にする。
更に、ゴムやプラステック等の弾性材の場合は、操作部と接着或は一体形成等して、反発力（復元力）を利用して、ロック操作の継続或はロック操作の簡略化或はロック部のガタツキ防止等を可能にする。〔反発力（復元力）が弱い場合は、バネを併設して、これを補うことが可能である。〕
尚、代表例は、弾性材であり、操作部（４Ａ１）に接着し、押し下げた操作部を自動で戻し、ガタツキを防止する。
【０１５６】
図２６の（Ｃ）は、バネ等の弾性部材（４Ｄ）を設けている。
バネ等の弾性部材の反発力（復元力）を利用して、ロック操作の継続或はロック操作の簡略化或はロック部のガタツキの防止等を可能にする。
尚、代表例は、押し下げた操作部を自動で戻し、ガタツキを防止する。
【０１５７】
図２６の（Ｄ）は、作用の伝動材（４Ｉ）を設けている。
伝動材は、ワイヤー、ベルト、棒材、板材、歯車、円形材、球形材、カム、てこ、クランク、バネ、その他から成り、既に決定されているロック部の作用に対して、ロック部の操作を容易な方法や容易な方向や容易な位置に転換する事を可能にする。
或は、複数の操作部を一つに集約したり、一つの操作部を複数に分割したりすることを可能にする。
尚、代表例は、摩擦で伝動する円形材と棒材により作用を逆方向に転換している。
【０１５８】
この伝動材を利用したロック部の、より具体的な操作方法は、数多くの形態を可能にする為全てを著すことは非常に困難であり、例えばこの参考例の一部として、一般的に周知されている電気の開閉器を引用して著せば次の通りである。
【０１５９】
タンブラースイッチのように、軸を中心として可動式に取り付けたシーソー形体の交互に高く上がる側を押し込むもの。
キースイッチのように、軸を中心に９０度の間隔で回転させるもの。
プルスイッチのように、紐を引っ張り（或は操作部を押し）順送りで回転させるもの。
ロータリースイッチのように、つまみを回転させるもの。
ペンダントスイッチのように、左右（又は前後又は上下）に稼動させ突き出た側を押し込むもの。
その他、ロック部の作用方法や取り付け条件などにより、数多くの選択が可能である。
【０１６０】
図２６の（Ｅ）は、Ｗロック部（４Ｗ）を設けている。
先の図２３（Ａ）（Ｈ）と、同様にロックを確実にする。
【０１６１】
尚、代表例のロックの解除方法は、Ｗロック部（４Ｗ）の操作部（４Ａ１Ｗ）である押しボタンを押す事により、Ｗロック部の止め部（４ＫＷ）が押しボタン（４Ａ１Ｗ）の内側方向に戻るように形状記憶された弾性部材（４ＪＷ）であるねじりバネにより、押しボタン（４Ａ１Ｗ）の内側方向に収納され（ロック部のロックが解除され）、ロック部（４）の操作部（４Ａ１）である押しボタンを押す事が可能になる。
【０１６２】
このまま、ロック部（４）の操作部（４Ａ１）である押しボタンを押し続ける事により、ロック部の突部（４Ａ）は、溝部（４Ｂ）より抜けロック解除される。
弾性部材（４ＤＷ）（４Ｄ）は、押しボタン（４Ａ１Ｗ）（４Ａ１）を外側方向に押し戻すように形状記憶された圧縮コイルバネであり、弾性部材の反発力（復元力）を利用してロック操作を簡単にし、押しボタンのがたつきを防止している。
【０１６３】
ロックをより確実にする方法として、図２６（Ｅ）、先の図２３（Ａ）（Ｈ）でロック部をロックするＷロックや２対様式のロック部を著したが、その他の実施例として、同種或は異種のロック部の複数箇所の取り付けが可能である。
【０１６４】
その他、ロック部の全般を統括した実施例の概要として、ロック部の変形側或は可動側は、溝部側或は突部側或は双方が可能である。
又、ロック部の変形側或は可動側は、前部本体部側或は後部本体部側（或は蓋側或は本体部側）或は双方が可能である。
【０１６５】
更に、ロック部は、本体部（或は前部本体部或は後部本体部或は蓋）の外部表面より飛び出して設けても或は埋め込み段差を無くしても或は埋め込み段差を少なくしても可能である。
同様に、ロック部は、本体部（或は前部本体部或は後部本体部或は蓋）の内部の表面より飛び出して設けても或は埋め込み段差を無くしても或は埋め込み段差を少なくしても可能である。
【０１６６】
≪１-３、パッキングの全般を統括した実施例≫
図２７は、パッキングの基本的形態を著す実施例である。
数多くの形態を可能にする為、代表例に形態を限定しこの概要を著すが、その他の数多くの形態の適用が可能である。
【０１６７】
パッキング（６）（６Ａ）の取り付け場所は、前部本体部或は後部本体部或は蓋或は本体部の着脱部が可能である。
図２７の代表例は、パッキング（６Ａ）を前部本体部（１Ａ）側、パッキング（６）を後部本体部（１Ｂ）側に設けている。
【０１６８】
パッキング（６）（６Ａ）の取り付け場所は、細口或は太口のどちらでも可能である。
図２７の代表例は、パッキング（６Ａ）を細口（３Ａ）側、パッキング（６）を太口（３Ｂ）側に設けている。
【０１６９】
パッキング（６）（６Ａ）の取り付け位置は、口先或は口の奥或は口先と口の奥の間と、どこでも可能である。
図２７の代表例は、パッキング（６Ａ）を口先と口の奥の間、パッキング（６）を口の奥に設けている。
尚、口先と口の奥の間に設けたパッキング（６Ａ）は、着脱部の抜き差し時等に太口側の内壁と擦れないように隙間（ナ）をあけ着脱を容易にしている。
【０１７０】
パッキング（６）（６Ａ）の取り付け方法は、接着、接合等による永久固定、或は老朽、摩耗、破損等の交換に対応する為に取り付け取り外しを自由にする装着、どちらでも可能である。
図２７の代表例は、パッキングを本体部に設けた溝にはめ込み、弾力を利用して装着し、取り付け取り外しを自由にしている。
【０１７１】
パッキング（６）（６Ａ）の断面形体は、多角形、山形、コ形、Ｏ形、Ｔ形、きのこ型、Ｗ形、Ｕ型、その他の数多くの形体が可能である。
図２７の代表例は、パッキング（６Ａ）をコ形、パッキング（６）を縦長の山形の形体を設けている。
【０１７２】
パッキング（６）（６Ａ）の取り付け個数は、単数、或は更に確実に水漏れを防止する為に、同種や異種の複数が可能である。
図２７の代表例は、複数に設けている。
【０１７３】
パッキング（６）（６Ａ）の素材は、ゴムが適するが、ひき舟本体部の素材により、各種プラステック、皮、布、等の一般的なパッキング素材が可能である。（着脱部が金属などの硬質材なら、アルミや銅などでも可能である。）
【０１７４】
その他のパッキング形態としては、ポリプロピレン等の弾性に優れた合成樹脂やゴムなどの弾性材で、抜き差し部や全体を形成した着脱部、或はバネ等の弾性部材によりパッキング部を水漏れ部に押し付ける構造部を著す事ができる。
【０１７５】
念の為に著せば、水漏れを防止する為の鮎の取り出し口の１つの方法とは、先の図２１で著した抜き差し部（３Ｅ）と対面部（３Ｆ）の双方を、途切れる事無く連続して一周させた着脱部を形成し、この部にパッキングを取り付けひき舟の内部と外部を遮断することである。
【０１７６】
パッキング以外の水漏れを防止する方法として、軸の周辺や押しボタンの周辺やその他の稼動範囲が小さい部に於いては、ひき舟本体部と同素材（例えばひき舟本体部と同種のプラステック）、或はひき舟本体部と異素材（例えば塩ビやその他の合成樹脂やゴムや撥水加工をした布や皮やその他の素材）で覆いを設け、ひき舟の内部と外部を遮断することが可能である。
【０１７７】
以上、鮎の取り出し口の全般を統括した実施例を著したが、細分化して示したこれらの各要素は、各種な組み合わせが可能であり、莫大な数の実施例を可能にする。
更に、以降に著す各要素を組み合わせれば、更に実施例の形態を広げることが可能である。
【０１７８】
＜２、個々の発明に適用した鮎の取り出し口の実施例＞
この項目は、個々の発明に関して、特に優れた適合性を具有する実施例（その他の実施例）など、鮎の取り出し口について著す。
図２８、図２９は、請求項４（水漏れを防止する云々）に特に優れた適合性を具有する実施例の代表例である。
【０１７９】
この代表例は、先の図２５で示した様に、ロック部（４）の突部（４Ａ）と溝部（４Ｂ）の噛み合わせを、挿入が容易な挿入角度（チ）と、挿入後戻らなくする抜き取り角度（タ）にして設け、更にこの噛み合わせを解除する為の操作部（４Ｂ１）である押しボタンを設けた鮎の取り出し口（２）を備えるひき舟である。
【０１８０】
即ち、挿入後、この口が戻らないロック機能を利用して、鮎の取り出し口内部に設けたパッキング（６）の圧迫状態を保持し、ひき舟の水より引き揚げての鮎の運搬時に於いて、水漏れを確実に防止するひき舟である。
【０１８１】
図２８の代表例は、ひき舟の水より引き揚げての鮎の運搬時や水に浮かべての使用時であり、鮎の取り出し口の閉塞により、ロック部（４）の突部（４Ａ）と溝部（４Ｂ）が戻らない様に噛み合い、閉塞時に圧迫されたパッキング（６）の状態を保持し、水漏れを防止した状態を示す。
【０１８２】
図２９の代表例は、鮎の取り出し時であり、押しボタン（４Ｂ１）の押し下げにより、ロック部（４）の溝部（４Ｂ）が突部（４Ａ）より外れ（噛み合わせが外れ）、ひき舟本体部の着脱部（３）の開口が可能な状態を示す。
【０１８３】
尚、代表例の着脱部（３）の開口は、後部本体部（１Ｂ）の太口（３Ｂ）より、前部本体部（１Ａ）の細口（３Ａ）を抜き取り行われる。
この際、単数或は複数の溝に突起を嵌め、滑らせて開け閉てする着脱部を設ける事により、ガタツキを抑制することが可能である。
【０１８４】
図３０は、前図２８、２９のその他の実施例の代表例である。
この噛み合わせを解除する為の操作部（４Ａ１）である爪を引き上げる事により、ロック解除を可能にする着脱部である。      
【０１８５】
図２８、２９、３０が示す代表例は、軸を中心として開閉する着脱部やその他の着脱部に適用が可能である。
【０１８６】
バネの弾力により開閉する着脱部に於いて、弾力が弱く開閉が中途で止まる場合は、これを手動により補い開閉を完全にする事が可能である。
この場合、つまみやひかかり等の滑り止めを設ける事により、この開閉操作を容易にする事が可能である。
【０１８７】
図２８、２９、３０の代表例のロック部の突部と溝部の噛み合わせは、天地逆にして設ける事が可能である。
図２８、２９、３０の代表例の操作部である押しボタン或は爪の取り付けは、後部本体部、前部本体部、蓋、本体部のいずれでも可能である。
図２８、２９、３０の代表例の操作部である押しボタン或は爪の取り付けは、溝部側、突側のいずれでも可能である。
【０１８８】
図２８、２９、３０の代表例のロック部の取り付けは、上向き（代表例が示す）、横向きのいずれも可能であり、横向きの場合は、（ロック部を２対にする事により）先の図２３の（Ｈ）で著した２対様式のロック部が可能である。
その他、鮎の取り出し口の全般を統括した実施例で著した各技術要素の多くの適用が可能である。
【０１８９】
図３１、図３２は、請求項４（水漏れを防止する云々）に特に優れた適合性を具有する実施例である。
図示する代表例は、前部本体部（１Ａ）と後部本体部（１Ｂ）を細口（３Ａ）と太口（３Ｂ）（或は太口と細口）にして、抜き差しする着脱部（３）と、この着脱部に設けた突部（４Ａ）とＬ形をした溝部（４Ｂ）（或はＬ形をした溝部と突部）のロック部（４）から成る鮎の取り出し口（２）を備えるひき舟である。
【０１９０】
太口（３Ｂ）内周に設けたＬ形をした溝部（４Ｂ）の着脱位置（ヌ）に、細口（３Ａ）外周に設けた突部（４Ａ）（図３１符号４Ａが示す点線は、透過部分である。）を合わせ、挿入後、細口の突部（４Ａ）をロック確定位置（二）まで回転させることにより、着脱部をロックし、鮎の取り出し口（２）に設けたパッキング（６）の圧迫状態を保持し、水漏れを防止するひき舟である。
【０１９１】
図３２は着脱部の操作手順を著す。
図３２（１）は、後部本体部の正面図である。
【０１９２】
図３２（２）は、前部本体部の細口（３Ａ）の突部（４Ａ）を後部本体部のＬ形をした溝部（４Ｂ）の着脱位置（ヌ）に合わせ、前部本体部の細口を後部本体部の太口内に挿入可能な状態にある。
【０１９３】
図３２（３）は、前部本体部の細口を後部本体部の太口内に挿入後、突起をＬ形をした溝部のロック確定位置まで回転しロックした状態である。
【０１９４】
この実施例は、正面断面が真円形に限らず、一部が欠損した円形のひき舟であっても回転による着脱部の取り付けが可能であることを著す。
この一部欠損した円形の回転による着脱部は、突部（４Ａ）とＬ形をした溝部（４Ｂ）の組み合わせの他に、ピッチが広く山谷を大きくした雄ネジと雌ネジの組み合わせを設ける事が可能である。
その他、鮎の取り出し口の全般を統括した実施例で著した各技術要素の多くの適用が可能である。
【０１９５】
図３３は請求項５（鮎の取り出し口の蓋をひき舟本体部の正面に設けた云々）の、鮎の取り出し口の蓋の取り付けに関する実施例を著す。
図示する代表例は、鮎の取り出し口（２）の蓋（１Ｃ）を細口（３Ａ）にし、本体部（１）を太口（３Ｂ）にして、抜き差し可能にした着脱部（３）を上寄りに設けたひき舟である。
【０１９６】
蓋の細口の外周と接面するひき舟本体部の太口の内壁は、蓋をスムーズに着脱する為に、蓋の外周に太さを合わせ盛り上げ囲み、抜き差し部（３Ｅ）を設けている。
この抜き差し部（３Ｅ）の下部とひき舟本体部の底面（ク）の内壁側を結ぶスロープは、段差を無くし緩やかにする事により、鮎の取り出しを鮎が引っ掛かる事無くスムーズにする。
【０１９７】
代表例は、盛り上げたひき舟本体部の内壁内を中空にし、通水孔（７）として活用している。
具体的に著せば、通水孔（７）の入り口（７ア）は、広口にし、格子（７Ｅ）（或は網やブラインド様式の水量調節器、その他鮎の逃げ出しの防止やごみの侵入を防止する為の構造物）を設け、又通水孔の内部は、堰（７Ｆ）を設け、更に通水孔の出口（７イ）は、多方向に分散した小口（或は各方向に水を誘導する為の角度調節器）を設けている。その他、通水孔は、大量に取り入れた新鮮な水の水流を和らげ、ひき舟内部（鮎の活かし部）に広く分散させ、鮎の活力を保つ為の構造物を設ける事が可能である。
【０１９８】
代表例は、盛り上げた内壁内を中空にし、通水孔（７）として活用しているが、その他の実施例として、例えばロック部の構造物、或はひき舟と釣り人を結ぶ腰紐を短縮し収納する為の巻き上げ器、或は水に浮かべての使用時の安定を図るための安定板、或は新鮮な水を積極的、効果的に供給する為のファン、或は小物入れ、或はその他の収納部として活用することが可能である。
【０１９９】
代表例は、盛り上げた内壁内を中空にし、スロープで結んでいるが、短距離であればスロープを設けなくても可能で有り、盛り上げた内壁を中空にしなくても可能である。又中空は、上部や左部や右部にも設けることが可能である。
【０２００】
代表例は、抜き差しする着脱部として著しているが、軸を中心として開閉する着脱部やその他の着脱部に適用が可能である。
その他、鮎の取り出し口の全般を統括した実施例で著した各技術要素の多くの適用が可能である。
【０２０１】
図３４、図３５は、請求項６（鮎の取り出し口の蓋をひき舟本体部の背面に設けた云々）に特に優れた適合性を具有する実施例である。
図示する代表例は、鮎の取り出し口にネジの回転による着脱部を設け、更にロック部を設けたひき舟である。
【０２０２】
ネジの回転による着脱は、確実性が高く、ロック部を設けないのが一般的であるが、あえて、これを実施例として著す理由は、ネジの締め付け不十分や老朽摩耗により、ひき舟の使用時に着脱部が緩み、水漏れや鮎の逃げ出しや蓋の紛失等の発生を防止する為である。
【０２０３】
図３４、図３５の代表例が著す鮎の取り出し口の着脱部（３）は、蓋（１Ｃ）側と本体部（１）側に雄ネジ（３ＡＡ）と雌ネジ（３ＢＢ）を設け、着脱操作専用の外側つまみ（１Ｃ２Ａ）〔図３４（ア）の符号１Ｃ２Ａが示す点線は、重ね合せ部分である。〕と着脱操作とロック操作を兼用可能な内側ハンドル（１Ｃ２Ｂ）からなる。
【０２０４】
ロック部（４）は、先の図２５、２８、２９、３０で示した様に、蓋側の突部（４Ａ）と本体部側の溝部（４Ｂ）の噛み合わせを挿入が容易な挿入角度と挿入後戻らなくする抜き取り角度にして設け、着脱部のネジの締め付けが可能であり、緩まないようにしている。
更に、突部（４Ａ）に操作部（４Ａ１）であるつまみを設け、溝部（４Ｂ）より突部（４Ａ）を抜き取り可能にして、ロック解除を可能にしている。
又、解除されたロック状態を自動的に復活させる為に、〔溝部（４Ｂ）内部に突部（４Ａ）を押し戻す為の〕弾性部材（４Ｄ）である圧縮バネを設けている。
ロック開始部（４Ｅ）や開放開始部（４Ｆ）は、内側ハンドル（１Ｃ２Ｂ）の回転運動を受け止め、雄ネジ部（３ＡＡ）に連動させ鮎の取り出し口（２）の着脱を可能にする。
【０２０５】
図３４は、内側ハンドル（１Ｃ２Ｂ）をロック開始部（４Ｅ）に接触するまで回転させる事により、突部（４Ａ）がひき舟本体部（１）に設けた溝部（４Ｂ）に挿入され、ネジの噛み合せの遊びが無くなるまで蓋（１Ｃ）の締めつけが可能となり、尚且つ戻らない様にロックされた状態を示す。
【０２０６】
図３５は、突部（４Ａ）の操作部（４Ａ１）であるつまみを、軸（１ＣＣ）方向に引く事により溝部（４Ｂ）より突部（４Ａ）が外れ（着脱部のロックが解除され）、蓋（１Ｃ）の開放が可能となり、更に内側ハンドル（１Ｃ２Ｂ）を開放開始部（４Ｆ）に接触するまで回転し、この回転運動を継続すると、この作用は雄ネジ部（３ＡＡ）に受け継がれ、蓋（１Ｃ）が開口可能になることを著す。
【０２０７】
図３６、図３７は、前図３４、３５のその他の実施例であり、ロック解除のつまみ操作を手動式から自動式に変えた鮎の取り出し口を備えるひき舟である。
【０２０８】
即ち、図示する代表例の着脱部のロックの解除は、内側ハンドル（１Ｃ２Ｂ）を開放開始部（４Ｆ）に接触するまで回転する事により、弾性部材（４Ｄ）である圧縮バネにより突部（４Ａ）が自動的に溝部（４Ｂ）より外れ蓋（１Ｃ）の開放が可能となる。
着脱部の閉塞は、外側つまみ（１Ｃ２Ａ）〔図３６（ア）の符号１Ｃ２Ａが示す点線は、重ね合せ部分である。〕を回転させる。
又、内側ハンドル（１Ｃ２Ｂ）による着脱部の閉塞は、突部（４Ａ）或は溝部（４Ｂ）周辺を弾性部材にする事により可能にする。
【０２０９】
図３４から図３７のその他の実施例として、外側つまみ（１Ｃ２Ａ）を設けず、〔例えば図３４（イ）の点線Ｂより外側部分をなくして、〕閉塞時に本体部（１）内側に蓋（１Ｃ）全体を埋め込むことが可能である。
【０２１０】
図３４から図３７の実施例は、請求項５（鮎の取り出し口の蓋をひき舟本体部の正面に設けた云々）にも適用が可能である。
その他、鮎の取り出し口の全般を統括した実施例で著した各技術要素の多くの適用が可能である。
【０２１１】
図３８は、請求項８、９のその他の実施例であり、先の図１５、１６、１７の鮎の取り出し口（２）の蓋（１Ｃ）のロック部（４）、即ち突部（４Ａ）、溝部（図示省略。先の図１５、１６、１７参照）、操作部（４Ｂ１）を仕切り壁（１Ｃ１）の内側方向より外側方向に変えて設けたひき舟の代表例である。
【０２１２】
図３９は、請求項８、９のその他の実施例であり、先の図１５、１６、１７の鮎の取り出し口（２）の蓋（１Ｃ）のロック部（４）及び蓋の開放角度の制御部（１０）を仕切り壁（１Ｃ１）の真上方向に変えて設けたひき舟の代表例である。
【０２１３】
蓋（１Ｃ）のロック部（４）は、突部（４Ａ）及び溝部（４Ｂ）及び操作部（４Ａ１）である押しボタンから構成され、蓋の開放角度の制御部（１０）は、突部（１０Ａ）及び突部と噛み合う突部形の相（１０ＡＡ）及び操作部（１０Ａ１）である押しボタンから構成される。
【０２１４】
蓋のロック部の突部（４Ａ）と蓋の開放角度の制御部の突部（１０Ａ）、及び蓋のロック部の押しボタン（４Ａ１）と蓋の開放角度の制御部の押しボタン（１０Ａ１）は、それぞれを本体部（１）側に横方向に並べて設け、ロック部（４）の溝部（４Ｂ）は、蓋（１Ｃ）の閉塞に合わせ仕切り壁（１Ｃ１）の上面前方に設け、蓋の開閉角度の制御部（１０）の突形の相（１０ＡＡ）は、鮎の投入の開放に合わせて仕切り壁（１Ｃ１）の上面後方に設けている。
【０２１５】
図４０は、前図３９の鮎の取り出し口の蓋の着脱及びロック手順を著す。〔尚、手順を示す符号（１）、（２）、（３）、（４）は、各図の左上に付す。〕
図４０の（１）は、ひき舟の水に浮かべての使用時やひき舟の水より引き揚げての鮎の運搬時であり、ロック部（４）の突部（４Ａ）が溝部（４Ｂ）と噛み合い鮎の取り出し口がロックされた状態である。
【０２１６】
図４０の（２）は、鮎の取り出し口の開放開始時であり、ロック部（４）の押しボタン（４Ａ１）を押し溝部（４Ｂ）より突部（４Ａ）を引き上げ離し、着脱部のロックを解除する事により、蓋（１Ｃ）がバネ（３Ｄ）により前方に押され開口を開始する。
【０２１７】
図４０の（３）は、鮎の投入時であり、蓋（１Ｃ）の開口後、蓋の開閉角度の制御部（１０）の突部（１０Ａ）が突部形の相（１０ＡＡ）と噛み合い、鮎の投入に適した広さと角度の口を保持した事を示す。
【０２１８】
図４０の（４）は、鮎の取り出し時であり、蓋の開閉角度の制御部（１０）の押しボタン（１０Ａ１）を押し、突部（１０Ａ）を突部形の相（１０ＡＡ）から引き上げ離し、この部のロックを解除する事により、蓋（１Ｃ）がバネ（３Ｄ）により更に前方に押され口が全開する。
【０２１９】
ロック部及び蓋の開閉角度の制御部の取り付け位置は、右の仕切り壁側、左の仕切り壁側どちら側でも可能である。
ロック部の取り付け位置は、蓋の開閉角度の制御部の右或は左のどちら側でも可能である。
ロック部及び蓋の開閉角度の制御部の本体部側と蓋側の構成は、突部と溝部或は溝部と突部或は突部と突部形の相が可能である。
ロック部或は蓋の開閉角度の制御部或は双方は、横方向に取り付けが可能であり、ひき舟の側面よりの操作が可能である。
【０２２０】
代表例の押しボタン（４Ａ１）（１０Ａ１）に取り付けた弾性部材（４Ｄ）（１０Ｄ）は、真直ぐに形状記憶された板バネを著しているが、その他の各種弾性材の取り付けが可能である。
その他、鮎の取り出し口の全般を統括した実施例で著した各技術要素の多くの適用が可能である。
【０２２１】
図４１は、前図３９、４０（請求項９）のその他の実施例であり、図示する代表例は、ロック部の突部（４Ａ）の後方に突き出した伝達部（１０Ｃ）を蓋の開放角度の制御部の突部（１０Ａ）後方に取り付け、蓋の開閉角度の制御部（１０）の押しボタン（１０Ａ１）を押す事により、伝達部（１０Ｃ）を介してロック部の突部（４Ａ）に作用させ、蓋の開放角度の制御部の突部（１０Ａ）及びロック部の突部（４Ａ）を同時に引き上げを可能にする。
【０２２２】
図４１（１）は、ひき舟の水に浮かべての使用時やひき舟の水より引き揚げての鮎の運搬時であり、鮎の取り出し口の閉塞のロック状態である。
【０２２３】
図４１（２）は、鮎の投入時であり、ロック部の押しボタン（４Ａ１）の押し下げにより、押しボタン（４Ａ１）は単独で下がり、ロック部の突部（４Ａ）が単独で持ち上がることを示す。
【０２２４】
図４１（３）は、鮎の取り出し時であり、蓋の開閉角度の制御部の押しボタン（１０Ａ１）を押し下げる事により、蓋の開閉角度の制御部の突部（１０Ａ）は持ち上がり、同時に、押しボタン（１０Ａ１）の作用が伝達部（１０Ｃ）からロック部の突部（４Ａ）に伝わり、ロック部の突部（４Ａ）も同時に持ち上げる事を示す。
【０２２５】
即ち、蓋の開閉角度の制御部の押しボタン（１０Ａ１）を１プッシュするだけで、閉塞のロック状態にある鮎の取り出し口を全開させ、機敏な鮎の取り出しを可能にすることを著す。
【０２２６】
代表例は、伝達部（１０Ｃ）を蓋の開放角度の制御部の突部（１０Ａ）後方に取り付けているが、その他の実施例として、伝達部（１０Ｃ）を蓋の開閉角度の制御部の押しボタン（１０Ａ１）の上部の後部に取り付け、ロック部の押しボタン（４Ａ１）の上部の後部に突き出して設けても可能である。
【０２２７】
代表例は、伝達部（１０Ｃ）を固定式で設けているが、その他の実施例として、例えばカンヌキやスライドボタン等のロック部の技術を用いて、伝達部を左右（或は前後或は上下）に出し入れ可能な切替式にすれば、この作用の伝達の切替が可能になる。
【０２２８】
図４２、４３は、先の図１５、１６、１７、３８、３９（請求項９）のその他の実施例であり、鮎の投入時の鮎の逃げ出しを更に防止する為に、鮎の取り出し口（２）の蓋（１Ｃ）の上部に補助壁（１Ｅ）を設けたひき舟の代表例である。
【０２２９】
図４２、４３が示す代表例の鮎の取り出し口（２）の蓋（１Ｃ）は、正面壁（１Ｃ３）と上面壁（１Ｃ４）から構成され（側面断面をＬ状に形成し）、軸（３Ｃ）を中心に回転可能にひき舟本体部（１）に取り付け、ひき舟の正面と上面の一部を開閉可能に取り付けている。
【０２３０】
更に、上面壁（１Ｃ４）には、補助壁（１Ｅ）を軸（１Ｅ３Ｃ）を中心に回転可能に設け、更に補助壁（１Ｅ）よりわずかに狭くして補助壁がひかかり停止するように段型の蓋止め（１ＥＤ）を設け、弾性部材（１Ｅ３Ｄ）であるバネが補助壁（１Ｅ）を蓋止め（１ＥＤ）に押し当て、補助壁（１Ｅ）の閉塞状態を保っている。
【０２３１】
図４２は、ひき舟の水に浮かべての使用時やひき舟の水より引き揚げての鮎の運搬時であり、鮎の取り出し口（２）の閉塞状態を示している。
尚、蓋（１Ｃ）のロック部（４）は、先の図２３（Ｆ）で示したロック部を設けている。
【０２３２】
図４３は、鮎の投入時であり、鮎の取り出し口（兼鮎の投入口）の蓋（１Ｃ）を小さく抑え開口し、更に鮎の投入の瞬間に合わせ補助壁（１Ｅ）を押し下げ開口する事により、鮎の逃げ出しを更に防止できる事を示している。
【０２３３】
尚、図４２、４３が示す代表例は、着脱部（３）にパッキング（６）や、軸（３Ｃ）周りにカバー（３Ｈ）を設け、水漏れを防止している。
代表例が示すパッキング（６）の取り付け方法は、仕切り壁（１Ｃ１）の外周を囲むように（パッキングの外周を大きくし）本体側に設けているが、その他の実施例として、正面壁外周や正面壁外周付近、或は蓋の外周や蓋の外周付近、或は本体部側のこの正面壁や蓋を囲む部分等にパッキングを設けることが可能である。
【０２３４】
図４２、４３が示す代表例の補助壁（１Ｅ）は、先の段落（番号０１１７）で著したポリプロピレン製などの曲げ疲労抵抗が大きい素材の折れ目を軸（１Ｅ３Ｃ）として、軸を中心に曲げ伸ばしによる着脱部を設けているが、その他の着脱部を設けることが可能である。
【０２３５】
図４２、４３が示す代表例の弾性部材（１Ｅ３Ｄ）は、ポリプロピレン等の弾力の強いプラスティクで示しているが、軸（１Ｅ３Ｃ）と同素材にしても異素材にしても、或は一体形成しても分離形成しても可能であり、金属バネやその他の弾性部材を用いることも可能である。
【０２３６】
図４４は、前図４２、４３のその他の実施例であり、上面壁（１Ｃ４）の蓋止め（１ＥＤ）に前方より後方に向け下げた傾斜を設け補助壁（１Ｅ）を傾斜させる事により、ひき舟内部に鮎を誘引しやすくし、鮎の収容を確実、容易にしたひき舟の代表例である。
【０２３７】
図４５は、前図４２、４３、４４のその他の実施例であり、上面壁（１Ｃ４）に、前方より後方に向け下げ、又左右方向より中央に向け下げた（即ち後方の中央を下げた）傾斜を設け、更にひき舟内部に鮎を誘引しやすくし、鮎の収容を確実、容易にしたひき舟の代表例である。
【０２３８】
更に、図４５の代表例は、本体部（１）側の上面を後方より前方に向け下げ、又左右方向より中央に向け下げた（即ち前方の中央を下げた）傾斜を設け、更にひき舟内部に鮎を誘引しやすくし、鮎の収容を容易にしている。
又、図４５の代表例は、補助壁（１Ｅ）を設けず前記（段落番号０２３７）の傾斜を直接上面壁（１Ｃ４）に設けているが、前記（段落番号０２３７）の傾斜を備える補助壁を上面壁（１Ｃ４）に設ける事が可能である。
【０２３９】
図４６の代表例は、本体側に設けた補助壁（１Ｅ）を引き戸にして開け閉てし、鮎の収容を確実にしたひき舟の代表例である。
代表例は、補助壁（１Ｅ）の着脱部に弾性部材（１Ｅ３Ｄ）である圧縮コイルバネと蓋止め（１ＥＤ）を設け、鮎の投入時に後方に移動させた補助壁をバネの復元力により前方に押し戻し閉口し、着脱操作を簡単にしている。
【０２４０】
図４２、４３、４４、４６が示す代表例は、バネ（１Ｅ３Ｄ）の弾力を弱くする事により軽く押さえるだけで補助壁（１Ｅ）を開口でき鮎の投入を容易にする。
【０２４１】
図４２、４３、４４、４６が示す代表例の補助壁（１Ｅ）の取り付けは、本体部（１）側の上面、蓋（１Ｃ）側の上面壁（１Ｃ４）、双方（１）（１Ｃ）が可能である。
図４２、４３、４４、４６が示す代表例の補助壁（１Ｅ）の取り付けは、前記（上面、上面壁、双方）の部分或は上面壁の全面が可能である。
図４２、４３、４４、４６が示す代表例の傾斜の設置は、補助壁（１Ｅ）側、上面壁（１Ｃ４）側、本体部（１）側、これらの複数（１Ｅ）（１Ｃ４）（１）が可能である。
図４２、４３、４４、４６が示す代表例の補助壁（１Ｅ）は、各種ロック部の取り付け、その他の着脱部の取り付けが可能である。
【０２４２】
図４２から図４６が示す代表例の各技術要素の多くは、相互に適用が可能であり、更に鮎の取り出し口の全般を統括した実施例で著した各技術要素の多くの適用が可能である。
図４２から図４６が示す代表例の補助壁（１Ｅ）は、その他の鮎の取り出し口や鮎の投入口に応用することが可能である。
【０２４３】
図４７は、先の図１８、１９、２０（請求項１０、１１）のその他の実施例である。
図４７の代表例は、ロック部（４）の操作部（４Ｂ１）を前後方向に稼動させるスライドボタンにしたひき舟であり、ロック操作を簡単にするひき舟である。
【０２４４】
即ち、この代表例の鮎の取り出し時の蓋（１Ｃ）の開放状態状態のロック方法は、蓋（１Ｃ）の先端をロック部（４）の溝部（４Ｂ）のひかかり部分の表面に押し付ける事により、溝部（４Ｂ）のひかかり部分が後方（イ）に押され、蓋（１Ｃ）の先端が溝部（４Ｂ）内に招き入れ、弾性部材（４Ｄ）であるねじりバネの復元力により蓋（１Ｃ）を保持する。
又、ロック部の解除方法は、スライドボタン（４Ｂ１）をひき舟の前方（ア）にスライドさせる事により、蓋（１Ｃ）の先端がロック部（４）の溝部（４Ｂ）のひかかり部分より外れ、鮎の取り出し口（２）の蓋（１Ｃ）が閉塞される。
【０２４５】
図４８は、先の図１８、１９、２０、前図４７（請求項１０、１１）のその他の実施例であり、蓋止め（１Ｄ）を可動式にして蓋止め作用の切り替えを可能にするひき舟の代表例である。
蓋止めの作用が及ばない状態に切り替える事により、鮎の取り出し口の蓋（１Ｃ）を口の外方向に開口させ、鮎の取り出しやひき舟内部の洗浄を容易にする。
【０２４６】
図４８の（１）は、蓋止め（１Ｄ）が蓋（１Ｃ）を止め、鮎の取り出し口が閉塞した状態を示す。
【０２４７】
図４８（２）は、蓋止め（１Ｄ）を口の内側方向に倒し収納する事により、蓋（１Ｃ）のひかかりが無くなり、蓋（１Ｃ）が口の外方向に開口した状態を示す。
【０２４８】
尚、代表例は、先の段落（番号０１１７）で著した曲げ疲労抵抗が大きい素材の折れ目を軸（１Ｄ３Ｃ）として、軸を中心に曲げ伸ばしによる着脱部を設けているが、その他の着脱部でも可能である。
【０２４９】
又、口の内側方向に倒し収納した蓋止め（１Ｄ）の状態をロックする為のロック部の設置、或は口の内側方向に倒し収納した蓋止めの状態を復元する為の弾性部材の設置が可能である。
【０２５０】
更に、〔代表例の蓋止め（１Ｄ）のロック部（１Ｄ４）は、先の図２３（Ｄ）の環による掛け金を図示しているが、〕その他の実施例として、図２３などで著したその他の各種ロック部の取り付けが可能であり、又〔代表例は、蓋止め（１Ｄ）を口の内側方向に倒しているが、〕外側方向に倒すことが可能であり、本体側に設けた蓋止めを蓋（１Ｃ）側に設けることが可能である。
【０２５１】
図４９は、図４８（請求項１０、１１）のその他の実施例であり、蓋止め（１Ｄ）のロック部をかんぬき様式にして蓋止め作用の３用途切り替え（ロック、着脱、水洗）を可能にするひき舟の代表例である。
【０２５２】
即ち、蓋止め（１Ｄ）のロック部の操作部（１Ｄ４Ａ１）であるつまみを、ロック確定位置（二）に移動する事により、かんぬきの先端（１Ｄ４Ａ）がかんぬき金具（１Ｄ４Ｂ）内に収納され、鮎の取り出し口（２）の蓋（１Ｃ）の閉口状態をロックして、ひき舟の水に浮かべての使用時やひき舟の水より引き揚げての鮎の運搬時に、不用意な鮎の取り出し口（２）の開放を防止し、鮎の逃げ出しを防止する。
【０２５３】
蓋止め（１Ｄ）のロック部のつまみ（１Ｄ４Ａ１）を着脱位置（ヌ）に移動する事により、蓋（１Ｃ）の閉口時に、かんぬきの先端（１Ｄ４Ａ）が本体部（１）の鮎の取り出し口（２）の口元でひかかり停まり、鮎の取り出し口の閉口を可能にする。
【０２５４】
蓋止め（１Ｄ）のロック部のつまみ（１Ｄ４Ａ１）を水洗位置（ネ）に移動する事により、かんぬきの先端（１Ｄ４Ａ）は、蓋（１Ｃ）の内部にすっぽり収納され、鮎の取り出し口の閉口時に、蓋（１Ｃ）は、ひかかりを無くし口の外側方向に開口が可能となり、鮎の取り出しやひき舟内部の水洗を容易にする。
【０２５５】
図５０は、先の図１８、１９、２０（請求項１０、１１）に水漏れを防止する為に、パッキング（６）を設けたひき舟の実施例の代表例であり、念の為に著す。
【０２５６】
その他、先の図１８、１９、２０、前図４７から５０（請求項１０、１１）に関して念の為著せば、代表例の鮎の取り出し口の着脱部（軸、蓋止め、ロック部など）を天地逆或は縦横方向の置換等、向きを変えて設ける事により、蓋の上方向の押し込み、蓋の右方向の押し込み、蓋の左方向の押し込み等による鮎の投入を可能にする。
或は、着脱部を２対にした観音開き、補助壁の取り付け、各種ロック部や各種Ｗロック部の取り付け、着脱部の着脱時の衝撃を吸収する為のゴムやその他の緩衝材による蓋止めや蓋の設置、その他鮎の取り出し口の全般を統括した実施例で著した各技術要素の多くの適用が可能である。
【０２５７】
以上、鮎の取り出し口について各種実施例を著したが、鮎の取り出し口は１つであると言う既存概念にこだわる必要性は無く、鮎の取り出し口を複数設けることも可能である。これにより、其々の鮎の取り出し口の長所を生かし、更にひき船内部の洗浄を容易にする。
【０２５８】
＜３、鮎の取り出し口に大きく係わる他の部分の実施例＞
本項目は、更に、次の項目に細分化して著す。
《３−１、鮎の取り出し口に大きく係わる鮎の投入口の形態》
《３−２、鮎の取り出し口に大きく係わる通水孔の形態》
【０２５９】
《３−１、鮎の取り出し口に大きく係わる鮎の投入口の形態》
従来ひき舟は、大型で重量である為水よりの引き揚げが容易でなく、ひき舟を水に浮かべたままの状態で鮎の収容ができるように、鮎の投入口をひき舟本体部の上面に上向きに設けていた。
反面、小型（軽量）化を可能にする本発明のひき舟は、水面よりの持ち上げや手に持っての操作などの扱いが容易であり、（鮎の投入口は、従来の形態にこだわる必要性が無く、）
（１）鮎の投入口の形態の変更。
（２）鮎の投入口を廃止し、鮎の取り出し口がこれを兼用。
等させることが可能である。
【０２６０】
具体的に著せば、
（１）鮎の投入口の形態の変更。に関しては、
例えば、水漏れを防止する（鮎の投入口の）着脱部や、本願書で著してきたの着脱部やロック部の応用を含め数多くの形態が可能となり、又鮎の投入口を鮎の取り出し口の蓋の内部に設けたり、鮎の取り出し口の口元に隣接させたりと、更に広範囲の設置が可能となる。
【０２６１】
（２）鮎の投入口を廃止し、鮎の取り出し口がこれを兼用。することに関しては、
請求項の１から６、及び８、１０、１２の発明に適用が可能であり、この一部を代表例として図示すれば
図５１は、請求項４に関する代表例であり、
図５２は、請求項５に関する代表例である。
鮎の投入口を廃止し、鮎の取り出し口が鮎の投入口を兼用することにより、水位上限（ソ）を更に引き上げ、貯水部を更に大きくし更に小型（軽量）化を可能にする。
【０２６２】
《３−２、鮎の取り出し口に大きく係わる通水孔の形態》
小型（軽量）化を可能にする本発明のひき舟は、水より引き揚げての鮎の運搬を機敏に行うことを目的の１つとしており、図５３、５４は、この便宜を図る為の実施例であり、鮎の取り出し口（２）に通水孔（７）を併設し、鮎の取り出し口（２）の開閉操作の一部に合わせて通水孔（７）の開閉操作を可能にするひき舟の代表例である。
【０２６３】
図５３は、ひき舟の水に浮かべての使用時であり、蓋（１Ｃ）を緩め通水孔（７）の口がのぞき通水した状態である。或は水抜き状態のひき舟の携帯時であり、不用意にひき舟内部に浸入した水の抜き取りが可能な状態である。
【０２６４】
図５４は、ひき舟の水より引き揚げての鮎の運搬時であり、蓋（１Ｃ）の閉塞により通水孔（７）が塞がれ止水した状態である。
【０２６５】
代表例は、蓋（１Ｃ）の紛失防止の為、鮎の取り出し口（２）の口元に弾性材からなる蓋止め（１Ｄ）を示しているが、その他の実施例を著せば、先の図３４、３５、３６、３７、２３等のロック部の取り付け或は本体部（１）と蓋（１Ｃ）をつなぐ紐により、蓋（１Ｃ）の紛失を防止することが可能である。
【０２６６】
代表例は、抜き差しによる着脱部（３）を図示しているが、着脱部（３）にネジを設け、ネジの締め緩めで水漏れを確実に防止することが可能である。
着脱部（３）の操作部（１Ｃ２）であるつまみは、これら操作を容易にする。
【０２６７】
代表例の通水孔（７）は、蓋（１Ｃ）の側面を前後方向に貫通しているが、その他の実施例として、ひき舟の側面（或は上面或は底面）を左右（或は上下）方向に貫通させることが可能である。
又取り付け個所数や大きさは、（代表例は通水孔を２箇所にして設けているが、）これより多くても少なくても、或は代表例より大きくても小さくても可能である。
【０２６８】
代表例は、請求項６の実施例として示しているが、請求項５のひき舟にも適用が可能である。
その他鮎の取り出し口の全般を統括した実施例で著した、各技術要素の多くの適用が可能である。
【０２６９】
＜４、鮎の取り出し口以外の実施例＞
この項目は、本発明のひき舟の目的に応じ、選択して設けることが可能な各部の技術について、次に細分して著す。
《４−１、通水孔》（請求項１３から１５に関する技術。）
《４−２、安定板》（請求項１６から２２に関する技術。）
《４−３、装着部》（請求項２３から２７に関する技術。）
《４−４、取っ手》（請求項２８から３２に関する技術。）
《４−５、本体部》
（尚、通水孔、本体部に関しては、既にこの一部を示している為、その他の通水孔、その他の本体部として著す。）
【０２７０】
《４−１、通水孔》
本発明に関する通水孔の要約は、次の通りである。
１、本発明の通水孔は、広く一般的に市販され、広く一般的に使用されている従来ひき舟と同じ形態の通水孔の取り付けが可能である。
２、加えて、開閉自在とし、水に浮かべての使用時にはひき舟内部に通水させ、ひき舟の水より引き揚げての鮎の運搬時には水漏れを防止できる構造を備える通水孔の取り付けが可能であり、ひき舟の水より引き揚げての鮎の運搬時には、更に貯水量（貯水率）を増加させ、更に小型化や鮎の活力の衰えを防止しする。
３、上記２の通水孔の貫通穴の取り付け個数は、多数であっても可能であるが、この開閉操作部を１、２個所に集約して設けることにより、釣り最中での切り替え動作を短縮し、機敏な動作を可能にする。
４、更に、開閉操作は、例えばひと押し、ひと引き、ひとひねり、ひと挟み、ひと掛け、ひと外しなどの１つの動作で行うことにより、更に釣り最中での機敏な動作を可能にする。
５、又、有効的にひき舟内部に水を供給できる通水孔は、鮎の活力を永く保つことができる。
等。
【０２７１】
本項目は、前記（段落番号０２７０）の詳細について著すが、図５５、５６は、開閉できる部を備える通水孔（７）の実施例であり、複数の貫通穴（７Ｂ）を備える通水孔（７）の開閉操作部（７Ａ１）を１、２箇所に集約した（通水孔の）実施例であり、１つの動作で操作できる開閉操作部を設けた通水孔（７）の実施例である。
図が示す代表例は、ひき舟本体部（１）と蓋（１Ｃ）の双方に密接させ設けた止水体（７Ａ）の貫通穴（７Ｂ）と、ひき舟本体部（１）と蓋（１Ｃ）の双方に設けた貫通穴（７Ｂ）のずれ合わせにより開閉する通水孔（７）であり、止水体（７Ａ）に開閉操作部（７Ａ１）であるつまみを設けた通水孔である。（尚、図は、解説を容易にする為、ひき舟本体部（１）より蓋（１Ｃ）を抜いた状態で示す。）
【０２７２】
図５５は、ひき舟の水に浮かべての使用時であり、双方（７Ａと、１や１Ｃ）の貫通穴（７Ｂ）が合わさり、通水孔（７）が開口し、通水した状態を示す。
【０２７３】
図５６は、ひき舟の水より引き揚げての鮎の運搬時であり、止水体のつまみ（７Ａ１）を回転させ双方（７Ａと、１や１Ｃ）の貫通穴（７Ｂ）をずらし、通水孔（７）を閉塞し、止水した状態を示す。
【０２７４】
図５５、５６が示す代表例のロック部（７４）は、通水孔（７）の開閉操作に合わせ、つまみ（７Ａ１）側に設けた突部（７４Ａ）が蓋（１Ｃ）側に設けた２ヶ所の溝部（７４Ｂ）の其々に自動的に軽く噛み合い通水孔の開閉状態をロックするが、その他、本書で著した数多くのロック部の適用が可能である。
【０２７５】
図５５、５６が示す代表例の貫通穴（７Ｂ）は、上下に２箇所と左右各２箇所、計６箇所に設けているが、代表例より多くても少なくても可能であり、上下のみであっても左右のみであっても斜め（上下と左右の間）のみであっても其々に併設しても可能である。
【０２７６】
図５５、５６が示す代表例の貫通穴（７Ｂ）は、ひき舟本体部と蓋の双方に設けているが、（前部本体部と後部本体部の双方であっても可能であり、）其々の片方であっても可能である。
即ち、図５５、５６が示す代表例の貫通穴（７Ｂ）は、ひき舟本体部の正面であっても側面であっても底面であっても背面であっても其々に併設しても可能である。
【０２７７】
図５５、５６が示す代表例の通水孔（７）の開閉方法は、回転によるが、その他ネジを設けネジの締め緩めによる開閉、抜き差しによる開閉、軸を設け軸を中心にした開閉等、本願書で著した着脱部の適用、応用が可能である。
【０２７８】
図５５、５６が示す代表例の通水孔（７）の開閉方法は、２段階（開ける、閉める）で示しているが、ロック部の突部と溝部の噛み合わせを２段階より多くする事により（溝部の数を２箇所より多くする事により）、水量調節式の通水孔を可能にする。
【０２７９】
水量調節式の通水孔は、急流では口を狭くし水流を和らげ、トロ場では口を広くし水をひき舟内部に多く供給し、鮎の活力の衰退を抑制することが可能である。
【０２８０】
図５７、５８は、ひと押しで開閉可能な通水孔(７)の実施例の代表例であり、前図５５、５６より更に機敏な動作を可能にし、鮎の取り込み時や釣りトラブル発生時に、更にすばやく通水孔（７）を開閉し、機敏な対応を可能にする。
【０２８１】
図５７は、ひき舟の水より引き揚げての鮎の運搬時であり、通水孔を閉塞した状態である。
通水状態にある通水孔のロック部（７４）側の開閉操作部（７４Ａ１）である押しボタンを押す事により、止水体（７Ａ）側に設けた弾性部材（７Ｄ）である圧縮コイルバネに押された止水体（７Ａ）が貫通穴（７Ｂ）を塞ぎ止水した状態を示す。
尚、代表例の止水体（７Ａ）は、パッキング（７Ａ６）を設けて止水を確実にしている。
【０２８２】
図５８は、ひき舟の水に浮かべての使用時であり、通水孔を開放した状態である。
通水孔（７）の開閉操作部（７Ａ１）である押しボタンを押す事により、止水体（７Ａ）が貫通穴（７Ｂ）より離れ通水状態となり、この時、ロック部（７４）の突部（７４Ａ）が、ロック部の弾性部材（７４Ｄ）である圧縮コイルバネにより押され、ロック部の溝部（７４Ｂ）と噛み合いこの通水状態はロックされる。
【０２８３】
図５９は開閉できる部を備える通水孔の実施例であり、複数の貫通穴を備える通水孔の開閉操作部を１、２箇所に集約した（通水孔の）実施例であり、中空部をひき舟の内部奥まで伸ばした通水孔（７）の実施例である。
貫通穴（７Ｂ）を広範囲（代表例は、前部、中部、後部）に設け、ひき舟内部の広範囲に給水し、鮎の活力の衰退を抑制する。
【０２８４】
代表例は、ひき舟の水に浮かべての使用時に、別位置に保管した止水体（７Ａ）であるキャップを通水孔（７）の口元に嵌め水漏れを防止する開閉操作部を備えるが、保管場所を通水孔の口元近くに設け、キャップと本体部を紐でつなぎキャップの紛失を防止することが可能である。
又、キャップ以外の開閉方法が多数可能である。
【０２８５】
図６０は、前図５９のその他の実施例であり、１つの動作で操作できる開閉操作部を設けた通水孔（７）の実施例であり、二重筒体にし、外部筒体と内部筒体の双方に貫通穴（７Ｂ）を設け、内部筒体或は外部筒体を回転させ其々の貫通穴（７Ｂ）のずれ合わせにより、水流調節を可能にし、開閉を可能にする開閉操作部を備える通水孔（７）である。
尚、代表例は、内部筒体を回転可能にしている。
又、キャップ（７Ａ）は、二重の水漏れ防止構造を可能にする。
【０２８６】
図６１、６２は、開閉できる部を備える通水孔の実施例であり、複数の貫通穴を備える通水孔の開閉操作部を１、２箇所に集約した（通水孔の）実施例であり、１つの動作で操作できる開閉操作部を設けた通水孔の実施例であり、其々の開閉部を伝動材で連動させた通水孔（７）の実施例である。〔伝動材は、先の段落（番号０１５７から０１５９）で著す通りである。〕
【０２８７】
即ち、代表例の貫通穴（７Ｂ）に設けた開閉部は、軸（７Ｃ）を中心として回転する複数のＬ型の開き戸様式の止水体（７Ａ）であり、伝動材（７Ｇ）である棒（７Ｇ２）を介して連動させ開閉し、又開閉操作部（７４Ａ１）である押しボタンで溝部（７４Ｂ）と突部（７４Ａ）から成るロック部（７４）を解除する通水孔（７）である。
【０２８８】
図６１は、ひき舟の水に浮かべての使用時であり、通水孔（７）の開放順序は次の通りである。
押しボタン（７４Ａ１）を押す。
押しボタンを押す事により、円板（７Ｇ１）に設けた溝部（７４Ｂ）から突部（７４Ａ）がはずれロック部（７４）のロックが解除される。
ロック部のロック解除により、棒（７Ｇ２）と接触し連動する伝動材（７Ｇ）である円板（７Ｇ１）が、弾性部材（７Ｄ）である圧縮コイルバネの作用により回転し、棒（７Ｇ２）も下降する。
棒の下降により、棒と連結した複数の止水体（７Ａ）が前方に押し上げられ貫通穴（７Ｂ）を開放し、ひき舟内部に水を送る。
【０２８９】
図６２は、ひき舟の水より引き揚げての鮎の運搬時であり、通水孔（７）の閉塞を示す。
通水孔（７）の閉塞は、止水体（７Ａ）を手で押し貫通穴（７Ｂ）を閉じることにより、溝部（７４Ｂ）が、ロック部（７４）の弾性部材（７４Ｄ）であるバネに押された突部（７４Ａ）と噛み合いロックされる。
【０２９０】
図６３の実施例は、前図６１、６２の開閉部に前図５７、５８のロック部（７４）を設けた通水孔の代表例である。
通水孔の開放は、ロック部（７４）の開閉操作部（７４Ａ１）である押しボタンを押し込み、閉塞のロック状態を解除する。
通水孔の閉塞は、止水体（７Ａ）を手で押し貫通穴（７Ｂ）を閉じることにより、溝部（７４Ｂ）がロック部（７４）の弾性部材（７４Ｄ）である圧縮コイルバネに押された突部（７４Ａ）と噛み合いロックされる。
【０２９１】
以上、開閉技術を中心にして通水孔について著したが、通水孔全般（開閉技術を含めた）については、ひき舟本体部の正面、背面、側面、底面、或は前部、後部、前部と後部の間、或は上部、下部、上部と下部の間に取り付け可能であり、前向き、後向き、上向き、下向き、右向き、左向き、其々の斜め向きなどに設けることが可能である。
【０２９２】
通水孔の取り付け個数は、単数、複数、いずれも可能であり、開閉操作部を備える通水孔の各部の構成個数は、下記の取り付けが可能である。
入り口が１個、開閉操作部が１個、出口が１個で構成される通水孔。
入り口が複数、開閉操作部が１個、出口が１個で構成される通水孔。
入り口が１個、開閉操作部が複数、出口が１個で構成される通水孔。
入り口が１個、開閉操作部が１個、出口が複数で構成される通水孔。
入り口が複数、開閉操作部が複数、出口が１個で構成される通水孔。
入り口が１個、開閉操作部が複数、出口が複数で構成される通水孔。
入り口が複数、開閉操作部が１個、出口が複数で構成される通水孔。
入り口が複数、開閉操作部が複数、出口が複数で構成される通水孔。
【０２９３】
止水体や貫通穴の全て、或は止水体や貫通穴の一部（閉塞時に止水体と貫通穴が接触する部分など）に、ゴムやプラステックなどの弾性材を設けることにより通水孔の止水を確実にすることを可能にする。
【０２９４】
通水孔の開閉部の多くは、ロック構造、Ｗロック構造を設けることを可能にする。
【０２９５】
通水孔の開閉部の多くは、この部或はこの部とこの周辺をひき舟本体部と分離形成し分解組み立てを可能にする事により、この部の掃除を容易にし、消耗破損による交換を可能にする。
【０２９６】
通水孔（或はひき舟本体部）に、水流等により回転するファンを取り付ける事が可能である。
ファンは、給水部、排水部、水の循環部、動力の起動部として、ひき舟内部に水を効果的に供給し、更に鮎の活力の衰退を抑制する。
【０２９７】
ファンの取り付けは、ひき舟の内部、外部、内部と外部の双方に設けることが可能である。
ファンの周囲にカバーを設けることにより、事故を防止し扱いを容易にする。
又、ファンを電池等電動式にする事により、水の循環部として、ひき舟の水より引き揚げての鮎の運搬時に於いて鮎の活力の衰退を更に抑制する。
【０２９８】
水より引き揚げての鮎の運搬時に於いて、ひき舟の全ての水漏れ部（例えば通水孔と鮎の取り出し口と鮎の投入口、或は通水孔と鮎の投入口を兼用する鮎の取り出し口等）の水漏れを防止するひき舟が可能であり、ひき舟本体部と別位置（例えばベルトやベストのポケット等）に収納した電池式送風用ポンプ等により、酸素を供給し、鮎の活力の衰退を抑制することが可能である。
【０２９９】
本願書内で著した通水孔（図３３、図５３から６３など）の各技術要素の多くは、相互に適用が可能であり、通水孔の開閉技術の多くは、本願書で著した鮎の取り出し口の着脱技術やロック技術の適用が可能である。
その他、本発明のひき舟には、各種通水孔の取り付けが可能である。
【０３００】
《４−２、安定板》
概して、安定板は、腰紐に曳航されるひき舟が船首の持ち上げ、沈み込み、左右の首振り、傾斜等をするのを抑制し、転覆、回転するのを防止し、釣り人の動作を大きく制限する事無く、安定した航行を可能にするものであり、特に小型軽量化したひき舟に効果的である。
【０３０１】
図６４は、水平安定板（１１）と垂直安定板（１２）の実施例である。
代表例は、水平安定板（１１）をひき舟本体部（１）の前部底面に、垂直安定板（１２）をひき舟本体部（１）の前部底面よりに設けている。
【０３０２】
水平安定板（１１）は、ひき舟正面、背面に向けては狭く、上面、底面に向けては広い面積を占め、正面方向から受ける水流抵抗を大きく増加させること無く、上下方向の安定を保ち、主に縦揺れを抑制するものである。
特に、ひき舟前部底面に設けた代表例は、腰紐に曳かれ水流に押されたひき舟の船首の持ち上げ、沈み込みを効果的に抑制する。
【０３０３】
垂直安定板（１２）は、ひき舟正面、背面に向けては狭く、側面に向けては広い面積を占め、正面方向から受ける水流抵抗を大きく増加させること無く、左右方向の安定を図り、主に横揺れを抑制するものである。
【０３０４】
図６５から６８までは、垂直安定板（１２）を可動式にした舵を著す実施例の代表例である。
図６５が示すように、舵の調節により、ひき舟の航行進路を強い流れと弱い流れに使い分けが可能である。
釣り人が、流れの強い瀬などに入っての釣りに於いては、（舵の調節により）ひき舟を流れの弱い瀬脇の留める事により釣り人の危険や疲労を防止し、逆に、釣り人が、流れの弱い瀬脇などに入っての釣りに於いては、（舵の調節により）ひき舟を流れの強い流芯に近づける事により新鮮な水をひき舟内に充分供給し、鮎の体力の衰退を防止する。
【０３０５】
図６６の代表例は、可動式の垂直安定板（１２）即ち舵の構造を著している。
舵（１２）の内側方向は、ひき舟本体部（１）に、軸（１２Ｃ）を中心に回転可能に取り付けられている。
舵（１２）の外側方向は、上方向に戻るように形状記憶された弾性部材（１２４Ｄ）である板バネを介して突部（１２４Ａ）を設け、この突部（１２４Ａ）にはロック部（１２４）の操作部（１２４Ａ１）であるつまみを設けている。
更にひき舟本体部（１）のこの突部（１２４Ａ）と対面する部分には、この舵の回転に合わせ半円形状に多数の溝部（１２４Ｂ）を設けている。
【０３０６】
即ち、代表例の舵（１２）の方向調節は、舵に設けたつまみ（１２４Ａ１）を下方に押し舵をロック解除し、（舵を可動状態にし）ひき舟本体部に設けた多数の溝部（１２４Ｂ）の中から希望する角度の溝部を選択後、舵を回転させつまみを開放すると、板バネ（１２４Ｄ）の弾力により突部（１２４Ａ）の先端が溝部（１２４Ｂ）内部に挿入され舵がロックされる。
【０３０７】
図６７は、前図６６のその他のロック部を示す実施例の代表例である。
図６７の（Ａ）は、突部（１２４Ａ）を本体部（１）側に設け、溝部（１２４Ｂ）と操作部（１２４Ｂ１）を舵（１２）側に設けたロック部（１２４）の代表例である。
【０３０８】
図６７の（Ｂ）は、かんぬき等の手動で操作するその他のロック部（１２４）の代表例である。
尚、代表例の操作部（１２４Ａ１）は、舵の背面に設けているが舵の側面に設けることも可能である。又操作部を本体側に設けることも可能である。
【０３０９】
図６７の（Ｃ）は、先の図２２（Ａ＊）で示した通り、舵（１２）の回転により自動でロック、自動でロック解除するロック部（１２４）の代表例である。
【０３１０】
図６７の（Ｄ）は、舵の一部が操作部（１２４Ａ１）を兼ねるロック部（１２４）であり、代表例は、舵の背面上部を前方に押す事によりロック解除される。
【０３１１】
図６８は、前図６６、６７のその他の実施例であり、舵の上面（又は底面又は上面と底面の間）に円板（１２Ｈ）（又は円盤又は扇形板又は扇形状板等）を設け、これをつまみとして回転させ方向転換を容易に行う舵（１２）の代表例である。
【０３１２】
代表図は、円板（１２Ｈ）側に設けた多数の溝部の中の１つと本体部（１）側に設けた突部（１２４Ａ）が噛み合いロックされた状態である。（多数の溝部は、円板側の上面に設けてあり、図面上では見えない位置にある。）
舵の方向転換は、本体側に設けた操作部（１２４Ａ１）である押しボタンを上方に押し上げ（溝部と突部の噛み合わせを外し）ロック解除し、円板を回転させ希望する舵の角度を選択する。
【０３１３】
図６９は、水平安定板（１１）を可動式にした舵の実施例である。
水平安定板の角度を調節する事により、正面から受ける水平安定板の水流抵抗を調節し、ひき舟の航行進路を決定する舵である。
【０３１４】
図６９の代表例が示すように、例えば、右側の可動式水平安定板（１１）である舵を正面に向け水流抵抗を左側より大きくすれば、ひき舟本体部（１）は、人の左側に移動して流れる。
【０３１５】
更に、可動式水平安定板（１１）である舵の傾斜角度を左右同一にし角度調節する事により、水流の緩急に合わせひき舟本体部（１）の浮き沈み具合を調節する昇降舵として用いることが可能である。
【０３１６】
図７０は、前図６９の可動式水平安定板である舵（１１）と、本体部（１）に設けた溝部（１１４Ｂ）と噛み合うロック部（１１４）を示す実施例の代表例である。
図７０の（Ａ）は、舵（１１）全体をひき舟本体部の横方向（ノ）に抜き差しするロック部の代表例である。
【０３１７】
図７０の（Ｂ）は、舵（１１）全体をひき舟本体部の前方向（ア）（又は後方向又は上方向又は下方向）に抜き差しするロック部の代表例である。
【０３１８】
図７０の（Ｃ）は、溝部（１１４Ｂ）全体を軸（１１４ＢＣ）を中心にして回転させ抜き差しするロック部の代表例である。
【０３１９】
図７０の代表例は、舵全体或は溝部全体を操作させるロック部として著しているが、前図６６から６８の代表例が示すように、専用の操作部を設けたロック部や円板等を舵に設けたロック部の取り付けが可能であり、図６６から７０のロック部の各技術要素の多くは、其々の代表例に相互に適用する事が可能である。
【０３２０】
図７１は、水平安定板や垂直安定板以外の舵の実施例である。
ひき舟本体部に軸を中心にして回転できるように取り付けた抵抗板（１５）を、ひき舟本体部の側面に接触させたり前方に広げたりして、水流抵抗の受ける面を広狭させ方向調節を可能にする舵の代表例である。
【０３２１】
図６６から７０のロック部の各技術要素の多くを、図７１に適用することが可能である。
【０３２２】
その他の舵の実施例として、舵の軸にネジを設け、ネジの締め緩めにより舵を可動状態と固定状態に切り替えたり、或は舵の軸にギザギザ形体や弾性材などからなる滑り止め座金を設け、水流に対して稼動しにくくしたり、或はウォームギャを設け、ウォーム側に操作部を設け歯車側に舵を設け、操作部の回転により舵を回転させることなどが可能である。
【０３２３】
更に、本願書で著してきたロック部や、着脱部の適用、応用が可能であり、その他、各種舵の取り付けが可能である。
【０３２４】
図７２より図７７までは、使用しない時には邪魔にならない様、収める事が出来る安定板の実施例である。
安定板が数多くの形態を可能にする為、代表例が示す水平安定板に限定してこの概要を著すが、この多くは、その他の水平安定板や垂直安定板に適用が可能である。
【０３２５】
図７２、７３は、ひき舟本体部に収納庫を設け、これに抜き差しする安定板を示す実施例の代表例である。
【０３２６】
即ち、この代表例は、水平安定板（１１）に形体を合わせ、水平安定板を抜き差しできる収納庫（１１Ｆ）をひき舟の底面に設け、水平安定板（１１）の抜き出し時と差し込み時の其々に突部（１１４Ａ）と溝部（１１４Ｂ１）（１１４Ｂ２）が自動で噛み合うロック部（１１４）を設けたひき舟である。
【０３２７】
図７２は、ひき舟の水に浮かべての使用時に於いての水平安定板（１１）の使用時であり、水平安定板（１１）が収納庫（１１Ｆ）より抜き出され、水平安定板の後部に設けた溝部（１１４Ｂ２）と本体部（１）に設けた突部（１１４Ａ）が噛み合いロックされた状態を示す。
【０３２８】
図７３は、ひき舟の水より引き揚げての鮎の運搬時などの水平安定板（１１）を使用しない時であり、水平安定板を後方に押すことにより、水平安定板の後部に設けた溝部（１１４Ｂ２）と本体部（１）に設けた突部（１１４Ａ）が自動的にロック解除され、水平安定板は収納庫に収められ、水平安定板の前部に設けた溝部（１１４Ｂ１）と本体部に設けた突部（１１４Ａ）が噛み合い収納がロックされた状態を示す。
【０３２９】
図７４、７５は、軸（１１Ｃ）を中心に回転する水平安定板（１１）に、水平安定板の使用時と使用しない時の其々に突部（１１４Ａ）と溝部（１１４Ｂ）が噛み合うロック部（１１４）を設けたひき舟である。
【０３３０】
図７４は、水平安定板（１１）を使用しない時であり、水平安定板をひき舟の上面に収めた状態である。
【０３３１】
図７５は、水平安定板の使用時であり、弾性部材（１１Ｄ）であるねじりバネにより水平安定板が押されひき舟本体部の上面より飛び出し広がった状態である。
（ねじりバネは、解説を容易にする為表面にむき出して設けているが、カバーや内蔵等により事故の防止を図ることが可能である。）
【０３３２】
尚、代表例が示すロック部（１１４）の解除方法は、ロック部の突部兼操作部であるスライドボタン（１１４Ａ）を後方に押す事により、水平安定板（１１）に設けた溝部（１１４Ｂ）よりスライドボタン（１１４Ａ）が外れる。
又、ロックは、スライドボタン（１１４Ａ）を離す事により、前方に戻るように形状記憶された弾力により、水平安定板（１１）に設けた溝部（１１４Ｂ）にスライドボタン（１１４Ａ）が挿入される。
【０３３３】
図７６、７７は、軸（１１Ｃ）である蝶番を中心に回転する水平安定板（１１）に、水平安定板の使用時と使用しない時の其々に噛み合う鉤（１１４Ｂ）によるロック部を設けたひき舟である。
【０３３４】
図７６は、水平安定板（１１）を使用しない時であり、水平安定板をひき舟の上面に収めた状態である。
【０３３５】
図７７は、水平安定板の使用時であり、水平安定板がひき舟本体部の上面より飛び出し広がった状態である。
【０３３６】
尚、ロック部の鉤（１１４Ｂ）は、先の図２５で示すように安定板の挿入が容易な挿入角度と安定板の抜き取りが困難な抜き取り角度にして設け、安定板の稼動に合わせ自動でロックし、ロック解除時のみ手動で操作するロック部を可能にする。
【０３３７】
以上、図７２から７７までに著した各技術要素の多くは、其々の代表例に相互に適用が可能であり、更に本書で著したロック部や着脱部の適用が可能であり、その他広く一般的な収める為の技術の利用が可能である。
【０３３８】
図７８は、水平安定板（１１）の側面形体の一部を示す実施例である。
図７８の（Ａ）の代表例は、水平安定板（１１）がひき舟本体部（１）の周囲を囲み設けている。
図７８の（Ｂ）の代表例は、水平安定板（１１）をひき舟本体部（１）の正面に設けている。
図７８の（Ｃ）の代表例は、水平安定板（１１）をひき舟本体部（１）の背面に設けている。
図７８の（Ｄ）の代表例は、水平安定板（１１）をひき舟本体部（１）の上部又は上面に設けている。
図７８の（Ｅ）の代表例は、水平安定板（１１）をひき舟本体部（１）の上部と下部の間に設けている。
図７８の（Ｆ）の代表例は、水平安定板（１１）をひき舟本体部（１）の下部又は底面に設けている。
図７８の（Ｇ）の代表例は、水平安定板（１１）をひき舟本体部（１）の前部に設けている。
図７８の（Ｈ）の代表例は、水平安定板（１１）をひき舟本体部（１）の前部と後部の間に設けている。
図７８の（Ｉ）の代表例は、水平安定板（１１）をひき舟本体部（１）の後部に設けている。
図７８の（Ｊ）の代表例は、水平安定板（１１）をひき舟本体部（１）に傾斜させて設けている。
又、水平安定板（１１）の側面断面を、水流抵抗を軽減する流線型にして設けている。
〔尚、図７８の（Ａ）の代表例は、水平安定板（１１）をひき舟本体部（１）の上面に対して平行に設けている。又水平安定板の側面断面を形成が容易な長方形にして設けている。〕
【０３３９】
図７９は、水平安定板（１１）の正面形体の一部を示す実施例である。
図７９の（Ａ）の代表例は、水平安定板（１１）を長くして設けている。
図７９の（Ｂ）の代表例は、水平安定板（１１）を短くして設けている。
図７９の（Ｃ）の代表例は、水平安定板（１１）を厚くして設けている。
図７９の（Ｄ）の代表例は、水平安定板（１１）を薄くして設けている。
図７９の（Ｅ）の代表例は、水平安定板（１１）を傾斜させて設けている。
〔尚、図７９の（Ａ）の代表例は、水平安定板（１１）をひき舟本体部（１）の上面に対して平行にして設けている。〕
図７９の（Ｆ）の代表例は、水平安定板（１１）の正面断面を山形（或は半山形や三角形など）にして設けている。
〔尚、図７９の（Ａ）の代表例は、水平安定板（１１）の正面断面を形成が容易な長方形にして設けている。〕
図７９の（Ｇ）の代表例は、水平安定板（１１）を複数段にして設けている。
〔尚、図７９の（Ａ）の代表例は、水平安定板（１１）を一段にして設けている。〕
図７９の（Ｈ）の代表例は、水平安定板（１１）をＣ形にして設けている。
図７９の（Ｉ）の代表例は、水平安定板（１１）をＬ形にして設けている。
即ち、図７９の（Ｈ）（Ｉ）は、水平安定板に折れや曲げを加えている。
【０３４０】
図８０は、水平安定板（１１）の平面形体（Ａ）（Ｂ）（Ｃ）や下面形体（Ｄ）（Ｅ）の一部を示す実施例である。
図８０の（Ａ）の代表例は、水平安定板（１１）を長方形にして設けている。
図８０の（Ｂ）の代表例は、水平安定板（１１）を半ハート形（或は半山形や三角形などの流線型に近くする形）にして設けている。
図８０の（Ｃ）の代表例は、水平安定板（１１）を複数の対にして設けている。
図８０の（Ｄ）の代表例は、水平安定板（１１）を正面（或は背面）に設けている。
図８０の（Ｅ）の代表例は、水平安定板（１１）を正面（或は背面）に対（或は複数の対）にして設けている。
【０３４１】
図８１は、垂直安定板（１２）の側面形体の一部を示す実施例である。
図８１の（Ａ）の代表例は、垂直安定板（１２）がひき舟本体部（１）の正面、底面、背面を囲み設けている。
図８１の（Ｂ）の代表例は、垂直安定板（１２）をひき舟本体部（１）の底面の全長に設けている。
図８１の（Ｃ）の代表例は、垂直安定板（１２）をひき舟本体部（１）の底面の一部に設けている。
図８１の（Ｄ）の代表例は、垂直安定板（１２）をひき舟本体部（１）の正面又は前部に設けている。
図８１の（Ｅ）の代表例は、垂直安定板（１２）をひき舟本体部（１）の正面又は前部の上部に設けている。
図８１の（Ｆ）の代表例は、垂直安定板（１２）をひき舟本体部（１）の正面又は前部の上部と下部の間に設けている。
図８１の（Ｇ）の代表例は、垂直安定板（１２）をひき舟本体部（１）の正面又は前部の下部に設けている。
図８１の（Ｈ）の代表例は、垂直安定板（１２）をひき舟本体部（１）の背面又は後部に設けている。
図８１の（Ｉ）の代表例は、垂直安定板（１２）をひき舟本体部（１）の背面又は後部の上部に設けている。
図８１の（Ｊ）の代表例は、垂直安定板（１２）をひき舟本体部（１）の背面又は後部の上部と下部の間に設けている。
図８１の（Ｋ）の代表例は、垂直安定板（１２）をひき舟本体部（１）の背面又は後部の下部に設けている。
その他、一般船舶や模型の舟に用いられている舵の形体の一部の利用が可能である。
【０３４２】
図８１が示す各代表例は、垂直安定板が一列であっても複数列であっても、或は長さを長短させたり、幅を広狭させたり、高さを高低させたり、その他の形体に変化させたりと、水平安定板の各形体要素の多くの適用が可能である。
【０３４３】
以上、安定板の代表例を著したが、安定板は、ひき舟本体部と同素材（例えば、ひき舟と同種のプラステック）、或はひき舟本体部と異素材（例えば、ひき舟と異種のプラステック、ゴム、金属、セラミックス、その他の材料）の単独、或は複数の組み合わせが可能であり、緩衝材、衝撃保護材、消音材として兼用することが可能である。
【０３４４】
安定板は、ひき舟本体部と一体形成或は分離形成が可能である。
更に分離形成は、接着、接合等による永久固定、或は分解組み立てを可能にする事により、安定板の掃除を容易にし消耗破損による交換等を可能にする。
【０３４５】
水平安定板と垂直安定板は、片方或は双方を設けることが可能であり、其々は、単独、或は同種や異種を複数設けることが可能である。
【０３４６】
本願書で著した水平安定板と垂直安定板（図６４から８１まで）の各技術要素の多くは、相互に適用が可能であり、又本願書で著した着脱部やロック部の技術の多くを適用することが可能である。
その他、本発明のひき舟には、各種安定板を設けることが可能である。
【０３４７】
《４−３、装着部》
概して、装着部は、ひき舟を身につける為の技術であり、ひき舟本体部に設けた鉤等で腰のベルトに引っ掛けて使用するものや、ひき舟本体部側と身体側（腰のベルトや、肩や首のストラップや、ベストなど）の双方に設けた鉤や環やロック部やその他の用具を組み合わせ使用するものなどからなる。
特に、鉤で腰のベルトに引っ掛けて使用する装着部は、嵌め外しを容易にする。
【０３４８】
装着部は、次の便宜性を備え必要に応じて取り付けることが可能である。
１、鮎が掛かるまでは、水切り状態でひき舟を身につけ携帯する事により、手を塞ぐ事無く、自由自在に安全で疲労を抑えた釣りを可能にする。
２、ひき舟の水に浮かべての使用時に於いては、鮎の取り込み、鮎の送り出し、鮎の海老状態、異物のひかかりなど、急ぎ、ひき舟を装着し、手を空け、釣り場を自由に移動し、思い通りのテクニックを可能にする。
３、釣り場変更や釣り場と車の往来を楽にする。
４、従来ひき舟の取っ手により兼用する場合と比較した場合、専用の装着部は、装着時のひき舟の保持位置を高くし、釣り最中にひき舟が水に漬かり難くする事により、装着時のひき舟が水流に押され難くし、水切り状態のひき舟内部に水が流入するのを抑え重量が急変し難くする。
【０３４９】
図８２は、鉤型装着部の実施例の代表例である。
図８２の鉤型装着部（８Ａ）は、ベルト（１３）の隙間に挿入し、ひき舟本体部（１）を身体に保持する為のへら部（８Ａ１）と、このへら部を支える為の基礎部（８Ａ２）から成る。
【０３５０】
装着部は、ひき舟本体部と一体形成、或は分離形成が可能である。
更に分離形成は、接着、接合等による永久固定、或は分解組み立てを可能にする事により、装着部の掃除を容易にし消耗破損による交換等を可能にする。
又、分離形成部は、装着部の全体或は一部が可能である。
【０３５１】
図８３は、鉤型装着部のその他の実施例であり、へら部（８Ａ１）先端にベルト内部より抜け出すのを防止する為のつめ形体の抜け止め部（８Ａ３）を設けた鉤型装着部（８Ａ）の代表例である。
【０３５２】
その他、抜け止め部（８Ａ３）は、ギザギザ、ブツブツ等の形体や、ゴム、合成樹脂、バネ等の弾性材が可能である。
【０３５３】
図８４は、鉤型装着部のその他の実施例であり、つめ形体の抜け止め部（８Ａ３）を可動式にしロック部（８Ａ４）を設けた鉤型装着部（８Ａ）の代表例である。
【０３５４】
図８４（１）は、ひき舟の装着時であり、へら部（８Ａ１）をベルトの隙間に挿入した状態である。
代表例が示す抜け止め部（８Ａ３）は、挿入角度が緩やかに設けられており、装着を容易にし、又抜き取り角度は、ひかかりが生じベルトからの離脱が困難な状態にある。
【０３５５】
更に、抜け止め部（８Ａ３）は、回転可能に軸（８Ａ３Ｃ）でへら部（８Ａ１）に取り付け、弾性部材（８Ａ４Ｄ）である圧縮コイルバネの弾力により、ストッパー（８Ａ４Ｂ）が抜け止め部の接面部（８Ａ４Ａ）を押さえ、抜け止め部が回転しないようにロック状態にある。
【０３５６】
図８４（２）は、装着部のベルトからの離脱時を示す。
ストッパーの操作部(８Ａ４Ｂ１)である押しボタンを押す事により、ストッパー(８Ａ４Ｂ)が抜け止め部の接面部（８Ａ４Ａ）から離れ（即ちロック解除され）、抜け止め部（８Ａ３）が可動状態となり、ベルトから装着部のへら部（８Ａ１）が抜き取り可能となる。
尚、弾性部材（８ＡＤ）であるねじりバネは、抜き取り後の抜け止め部（８Ａ３）を復元させる。
【０３５７】
図８５は、鉤型装着部のその他の実施例であり、基礎部（８Ａ２）に設けた軸（８Ａ２Ｃ）とひき舟本体部（１）に設けたこの軸の軸受けにより、装着部を横方向（ノ）に回転可能にした鉤型装着部（８Ａ）の代表例であり、釣り最中に生じるひき舟の揺れや傾斜を重力により是正し、水もれを抑制する。
【０３５８】
更に、図８５（イ）の代表例の透過部分（点線）が示すように、基礎部の軸に設けた溝（８Ａ８Ｂ）と本体側に設けた突起（８Ａ８Ａ）から成る制御部（８Ａ８）を設けるより、へら部（８Ａ１）の首振り幅を制御することが可能である。
この制御部（８Ａ８）の溝（８Ａ８Ｂ）と突起（８Ａ８Ａ）が接触する部分に、ゴムや弾性系合成樹脂やその他の緩衝材を設けることにより、揺れや傾斜の衝撃を吸収し水漏れを抑制する。
【０３５９】
この制御部は、（制御部を設けない場合との比較に於いて、）大きな揺れや傾斜に対しては是正することが困難であり、又構造を複雑にする為形成が容易ではない。
反面、ひき舟の扱いを容易にする。
この為、この制御部の取り付けは、ひき舟の目的に応じて選択が可能である。
【０３６０】
図８５の他の実施例として、例えば図示符号Ａの位置に軸と軸受けを設け、へら部より回転させる事が可能である。
【０３６１】
図８６は、鉤型装着部のその他の実施例であり、基礎部（８Ａ２）に軸（８Ａ２ＣＣ）を設け、装着部を上下方向（ハ）に回転可能にした鉤型装着部（８Ａ）の代表例であり、釣り最中に生じるひき舟の揺れや傾斜を重力により是正し水もれを抑制する。
【０３６２】
図８６の代表例の透過部分（点線）が示すように、制御部（８Ａ８）を設ける事により、へら部（８Ａ１）の首振り幅を制御することが可能であり、この制御部（８Ａ８）やこの制御部に接触する部分に、ゴムや弾性系合成樹脂やその他の緩衝材を設けることにより、大きな揺れや傾斜の衝撃を吸収し、水漏れを抑制する。
この制御部の取り付けは、ひき舟の目的に応じて選択が可能である。（前記段落０３５９参考。）
【０３６３】
図８５と図８６の可動部にロック部を設け作用（可動状態と固定状態）の切り替えを可能にする。
又、図８５と図８６の双方の可動部を併設する事により、横方向（ノ）と上下方向（ハ）の双方を回転可能にする。
【０３６４】
念のために著せば、図８５の代表例は、ギザギザ形体の抜け止め部（８Ａ３）を設け、図８６の代表例は、へら部（８Ａ１）にゴムを貼り付けた抜け止め部（８Ａ３）を設けている。（抜け止め部は、他の形態であっても可能である。）
【０３６５】
図８７は、装着時以外に、装着部がひかかり邪魔にならないように、収めることができる鉤型装着部（８Ａ）の実施例であり、基礎部（８Ａ２）に形体を合わせひき舟本体部（１）に設けた収納部（８Ａ５）に、基礎部を出し入れする鉤型装着部（８Ａ）の代表例である。
【０３６６】
図８７は、装着部の使用時であり、ひき舟本体部（１）の収納部（８Ａ５）に収められている基礎部（８Ａ２）を引き出した状態である。
尚、装着部の操作部（８Ａ６）であるつまみは、装着部の出し入れを容易にする。
【０３６７】
図８８の代表例は、本体部から飛び出したガイド突部（８Ａ７Ａ）と装着部側に設けたガイド溝部（８Ａ７Ｂ）からなる収納部のガイド（８Ａ７）を設け、装着部のがたつきを防止し、基礎部（８Ａ２）や収納部（８Ａ５）の長さを短縮することを可能にする鉤型装着部（８Ａ）である。
尚、図８８（イ）の代表例の透過部分（点線）は、本体部から飛び出したガイド突部（８Ａ７Ａ）を収納時に収納する為の溝である。
【０３６８】
前図８７の代表例は、基礎部（８Ａ２）のみを収納し、又図８８の代表例は、基礎部（８Ａ２）全体とへら部（８Ａ１）の一部を収納可能にしているが、図８７、８８のその他の実施例として、装着部の全てを収納する事が可能である。
【０３６９】
前図８７、８８の装着部の可動部分（８Ａ２、８Ａ７Ｂ）や可動部分の接触部分（８Ａ５、８Ａ７Ａ）に、ゴムやバネ等の弾性材を設け、この部を圧迫し、装着部のがたつきを防止する事が可能である。
又、装着部の収納位置や引き出し位置にロック部を設け、収納状態や引き出し状態をロックすることが可能である。
更に、収納部内に弾性部材であるバネを設け、弾力により装着部の取り出しや収納を自動にする事が可能である。
【０３７０】
図８９は、広く一般的に使用されている鉤であり、身体側のベルトやベストやストラップなどに設けた環体などに引っ掛けて使用する鉤型装着部である。
装着部の着脱は、操作部（８Ｊ）である弾性部材を押し込み使用する。
【０３７１】
図９０は、広く一般的に使用されている鉤であり、身体側のベルトやベストやストラップなどに設けた環体などに引っ掛けて使用する鉤型装着部である。
装着部の着脱は、操作部（８Ｊ）であるかんぬきのつまみを上下に操作して使用する。
【０３７２】
先の図８２から８８の鉤型装着部（８Ａ）は、へら部を細くし環体等に掛け易い形体にすれば、前図８９、９０と同様に身体側に設けた環体等に引っ掛けて使用する装着部を可能にする。
【０３７３】
図９１、９２は、ベルトやベストやストラップなど身体側に設けた鉤などに止めて使用する環状装着部（８Ｂ）の実施例であり、環状装着部の環体（８Ｂ１）を収納可能にした実施例である。
【０３７４】
図示する代表例の環状装着部（８Ｂ）は、環体軸受け部（８Ｂ３）を中心として環体（８Ｂ１）を回転させ、ひき舟本体部の収納部（８Ｂ５）である収納溝内に倒したり収納溝の外に起こしたりする事を可能にする。
【０３７５】
図９１はひき舟の装着時以外であり、環体（８Ｂ１）がひかかり邪魔にならないように収納溝（８Ｂ５）内に収めた状態である。
環体（８Ｂ１）は、双方より突き出した突起形状の弾性材からなるロック部（８Ｂ４）で挟み固定されている。
【０３７６】
図９２は、ひき舟の装着時であり、収納溝（８Ｂ５）の起こし部（８Ｂ５Ａ）に指の爪を挿入して、環体（８Ｂ１）を収納溝（８Ｂ５）内のロック部（８Ｂ４）より外し起こし、更に突っ支い部（８Ｂ２）を支えとして環体が前傾しないように立てかけている。
又、環体軸受け部内（或は環体）に弾性材を設け、環体軸受け部内を締め、釣最中に生じる振動、傾斜で環体が倒れにくくすることが可能である。
【０３７７】
図９３は、ベルトやベストやストラッフ゜など身体側に設けた鉤などに止める為の環状装着部（８Ｂ）のその他の実施例の代表例であり、装着時以外には、環体を収納し、飛び出し部分を小さくしできる環状装着部（８Ｂ）の実施例の代表例である。
更に、収納時でも装着可能な環状装着部（８Ｂ）の実施例の代表例である。
【０３７８】
図９３の（１）は、環状装着部（８Ｂ）の環体（８Ｂ１）をフルに引き出した状態であり、環体の口を大きく開け身体側に取り付けた鉤を引っ掛け易くしている。
（尚代表例が示す環体（８Ｂ１）の実形体はＵ形であるが、収納部より外部に飛び出す部分が環状形体の一部分であり、これを呼称名としている。）
【０３７９】
図９３の（２）は、ひき舟の装着時以外であり、環体（８Ｂ１）を邪魔にならないように収納部（８Ｂ５）に収納した状態である。
或は、ひき舟の装着時であり、ひき舟本体部の先端に設けた鉤が通る程度の溝（８Ｂ５Ｂ）により、環体の収納状態でも装着が可能である事を示す。
【０３８０】
即ち、ひき舟のベルト等装着時に於いて、図９３の（２）は、図９３の（１）よりひき舟本体部の保持位置を高くし、更に装着後の鉤を外れにくくする。
【０３８１】
環体（８Ｂ１）の出し入れは、環体が、弾性力に優れた合成樹脂や金属バネ等の外側方向に跳ね返るように形状記憶された素材で形成されており、内側方向（ヒ）に力を加えることにより〔図９３（２）の点線の透過部分が収納部の内部を示すように〕、収納部（８Ｂ５）内のロック部（８Ｂ４）の溝部（８Ｂ４Ｂ）より環体（８Ｂ１）に設けたロック部の突部（８Ｂ４Ａ）が外れ、環体が可動状態になる。
【０３８２】
図９４は、前図９３のその他の実施例であり、ひき舟先端に設けた溝（８Ｂ５Ｂ）に変えて、環体（８Ｂ１）の先端に鉤が通る程度の溝（８Ｂ１Ｂ）を設けた環状装着部（８Ｂ）の実施例であり、更に収納部（８Ｂ５）を覆うカバー上方に突き出したつまみ（８Ｂ４Ａ１）で環体（８Ｂ１）の出し入れ操作を行う環状装着部（８Ｂ）の実施例である。
【０３８３】
図示する代表例は、収納部を覆うカバーにロック部の前後の溝（８Ｂ４Ｂ）とこれをつなぐ溝（即ちコ形をした溝）を左右対称に設け、又、外側方向に跳ね返るように形状記憶された素材で形成された環体（８Ｂ１）の双方の先端に、ロック部（８Ｂ４）の突部を兼ねる操作部（８Ｂ４Ａ１）であるつまみを、手で押し操作が可能な程度に上方に突き出して設けており、このつまみ（８Ｂ４Ａ１）を内側方向（ヒ）に押しロック解除し、このつまみを前後に移動する事により、環体（８Ｂ１）の出し入れを可能にする。
【０３８４】
環体装着部の環体（８Ｂ１）の外側方向の先端（例えば、図９４の場合は、符号８Ｂ１Ｂ）に鉤を取り付ける事により、身体側のベルトや環体等に引っ掛けて使用する鉤型装着部として使用することが可能である。
【０３８５】
又環体装着部の環体（８Ｂ１）を広げ握り易くする事により、ひき舟の取っ手として兼用することが可能である。
【０３８６】
図９５、９６は、鉤型や環状以外の装着部の実施例の代表例であり、本体部側の装着部（８Ｃ１）や身体側のホルダー（８Ｃ２）の其々に本願書で著してきた着脱部やロック部、更に一般分野で使用されている着脱部やロック部を分けて設け、装着時に双方を組み合わせて使用する、着脱・ロック式装着部（８Ｃ）の実施例の代表例である。
【０３８７】
図９５の代表例は、きのこ型断面（或はТ型断面など）をした本体部側の装着部（８Ｃ１）である。  
【０３８８】
図９６の代表例は、本体部側の装着部（８Ｃ１）の一部又は全てを収納し、出し入れを可能にする係止部（８Ｃ２Ｂ）を備える、ベルトやベストやストラップに設けた身体側のホルダー（８Ｃ２）である。
【０３８９】
この係止部（８Ｃ２Ｂ）の（腰のベルトの装着時に於いての）前部の上部は、口を広く開け本体部側の装着部（８Ｃ１）の挿入を容易にし、またこの係止部の前部の下部は、口を狭め本体部側の装着部の挿入後、本体部側の装着部の抜け落ちを防止している。
【０３９０】
更に、図９６のその他の実施例の代表例である図９７の係止部（８Ｃ２Ｂ）には、軸（８Ｃ４Ｃ）を中心に回転可能にロック部（８Ｃ４）の突部（８Ｃ４Ａ）を設けている。この突部（８Ｃ４Ａ）は、弾性部材（８Ｃ４Ｄ）であるバネにより係止部を閉じ（或は狭め）、係止部に装着した本体部側の装着部をロックし、更に操作部（８Ｃ４Ａ1）である両脇に設けた双方の押しボタンを同時に押すことにより突部が開き、ロック解除できるロック部（８Ｃ４）を設けている。
【０３９１】
図９７のその他の実施例として、双方に設けた押しボタンと双方に設けた突部（即ち２対）の其々片側のみ（即ち１対）を設け、ひとつの操作部で開閉する係止部を設けることが可能である。
或は、双方の押しボタンを伝動材でつなぎ、片方の押しボタンの操作により他方の押しボタンや突部を連動させることが可能である。
【０３９２】
図９６の代表例は、身体側のホルダー（８Ｃ２）の（腰のベルトの装着時に於いての）背面に、ベルト通し用の穴（８Ｃ９）を設けているが、その他の実施例として、先の図８２から９０で著した鉤などや、先の図９１から９４などで著した環などが可能である。
又、図９７の代表例にもこれを適用する事が可能である。
【０３９３】
その他、装着部全般の実施例として、抜け落ち防止用のこぶや止め具の付いた紐、或は腰紐を輪にする為の止め具（この輪を肩に掛けひき舟を吊り下げ可能にする。）、或は布製や皮製や合成樹脂製や金属製やその他の素材で形成した収納専用ケースなどでひき舟全体或は一部を収納する装着部を挙げる事ができる。
【０３９４】
尚、本発明のひき舟の全般に関して、収める事ができる技術の概要は、次の通りである。
収める事ができる技術は、原型のまま収めるもの或は小さくして収めるものなど目的に応じて選択が可能である。
【０３９５】
原型のまま収めるもの多くは、収納部内部に押し込むもの、軸を中心に回転させるもの、止めてあるネジやつめを外し取り外し後邪魔にならない位置に移動させるもの、その他が可能である。
【０３９６】
小さくして収めるもの多くは、任意の位置で巻上げや折り曲げるもの、折れ目に沿って折りたたむもの、軸を中心として折りたたむもの、太口内部に細口を挿入するもの、その他が可能である。
【０３９７】
収める事ができる技術の多くは、全て或は一部を収める事が可能であり、収納部にロック部や引き戸や開き戸や蓋を設けることが可能であり、バネ等の弾性材を設けて収納や取り出しを簡単にしたりガタツキを防止したり事が可能である。
又、収める場所の多くは、ひき舟の上面、底面、前部、後部、中央など目的に応じて選択可能である。
〔以上（段落番号０３９４から０３９７）の収める技術の多くは、当装着部や安定板やや取っ手やひき舟本体部などひき舟全般の収める部に適用が可能である。〕
【０３９８】
本願書で著した装着部（図８２から図９７）の各技術要素の多くは、各代表例に相互に適用が可能であり、又本願書で著した着脱部やロック部の多くの適用が可能である。
その他、本発明のひき舟には、各種装着部を設けることが可能である。
【０３９９】
《４−４、取っ手》
図９８は、取っ手の形態を示す実施例である。
図示する代表例は、ひき舟の水に浮かべての使用時には、形体を一定に保持でき、握り部（９Ａ）とアーム部（９Ｂ）の内側に一挙に手を挿入し握り締めることが出来るスペースを備え、更に握り部を前方に向け水面より上方に保持し、鮎の取り込みやトラブル発生時に、持ち上げ易くして、機敏な釣り対応を可能にする取っ手（９）である。
尚、代表例が示す釣り人とひき舟をつなぐ腰紐は、取っ手の握り部の両端に接続部を設け接続している。
【０４００】
代表例の取っ手（９）は、ひき舟本体部（１）と一体形成或は分離形成が可能である。
更に、分離形成は、分解組み立てを可能にする事により、取っ手の掃除を容易にし、消耗破損による交換を可能にする。
又、分離形成した取っ手（９）の素材はひき舟本体部と同素材或は異素材が可能である。
【０４０１】
図９９は、前図９８との比較の為、アーム部（９ＢＸ）が紐製の従来ひき舟（１Ｘ）の取っ手（９Ｘ）を示す参考例である。
従来の紐製アーム部は、腰紐や水流の揺れに起因する張り緩みの発生や、左右の均衡の喪失により、握り部（９ＡＸ）は、安定せず、手を挿入する為のスペースは狭められ、とっさに、狙って掴み持ち上げる事が容易でないことを示す。
【０４０２】
図１００は、前図９８のその他の実施例であり、水平安定板（１１）を設けたひき舟本体部（１）の上部に設け、水に浮かべての使用時には、ひき舟本体部の上面と平行に保持した取っ手（９）の実施例の代表例である。
（更に、その他の実施例として、水平安定板を設けず、直接ひき舟本体部の上部に設け、水に浮かべての使用時には、ひき舟本体部の上面と平行に保持した取っ手を設ける事が可能である。）
代表例の握り部（９Ａ）の前部形体は、山形（或は半円形）等流線形に近くする形体にして水流抵抗を軽減し、握り部の後部形体は、波形（或はブツブツやザラザラ形体、或はゴムや合成樹脂等の弾性材やその他）の滑り止めに因り握りを安定させている。
【０４０３】
代表例の釣り人とひき舟をつなぐ腰紐（１４）の接続方法は、取っ手の握り部（９Ａ）の中央に可動式に嵌め込んだ環体金具に取り付けている。
（その他の実施例として、ひき舟本体部の両端に接続部を設け腰紐を接続する方法や、環体金具を用いず直接腰紐を結ぶ方法が可能である。）
【０４０４】
図１０１、１０２は、保持位置の切り替えを可能にした取っ手の実施例である。
アーム部（９Ｂ）を軸（９Ｃ）によりひき舟本体部（１）に回転可能に取り付け、ひき舟の水に浮かべての使用時には、持ち上げ易い位置にロックし、更にひき舟の水より引き揚げての鮎の運搬時には、水がこぼれ難い位置に切り替え可能にした取っ手（９）の代表例である。
【０４０５】
即ち、ひき舟の水より引き揚げての鮎の運搬時にひき舟本体部（１）が自然にぶら下がる状態に取っ手のアーム部（９Ｂ）を回転させた後、固定することにより、ひき舟本体部と取っ手のアーム部は、一直線となり運び易くなり、更に静止状態において、ひき舟本体部（１）は、水面に対して直角となり運搬時の水がこぼれにくくなる。
【０４０６】
尚、代表例が示す取っ手の保持位置の切り替えは、ひき舟の水に浮かべての使用時にアーム部の位置をロックする為に、本体部（１）側に設けた突起状の停止部（９４Ａ）と、ひき舟の水より引き揚げての鮎の運搬時にアーム部の位置をロックする為に、本体部（１）側に設けた突起状の停止部（９４ＡＡ）と、其々の停止部（９４Ａ）（９４ＡＡ）に引っ掛け保持する為に、アーム部（９Ｂ）側に軸（９４Ｃ）により回転可能に設けた鉤（９４Ｂ）から成るロック部（９４）による。
【０４０７】
図１０１は、ひき舟の水に浮かべての使用時であり、停止部（９４Ａ）に鉤（９４Ｂ）を掛け、取っ手位置をロックした状態である。（符号９４Ａ、９４Ｂは、図１０２参照。）
【０４０８】
図１０２は、ひき舟の水より引き揚げての鮎の運搬時であり、停止部（９４ＡＡ）に鉤（９４Ｂ）を掛け、取っ手位置をロックした状態である。
【０４０９】
尚、代表例には、軸（９４Ｃ）や軸と接触する部分に、各種座金、或はゴムや弾性系合成樹脂やバネ等の弾性材、或はギザギザやブツブツ等の形体などの摩擦効力が作用する滑り止めを設けて、鉤（９４Ｂ）の回転を制御することが可能である。
又、取っ手のロック部は、本願書で著してきたロック部や広く一般的に使用されている各種ロック部の適用が可能である。
【０４１０】
図１０３は、前図１０２との比較の為、取っ手のアーム部が固定されたひき舟の、水より引き揚げての鮎の運搬時を示す参考例である。
取っ手のアーム部が固定されたひき舟本体部（１ＸＸ）は、図が示すように、取っ手（９ＸＸ）のアーム部（９ＢＸＸ）とひき舟本体部（１ＸＸ）が、くの字に折れた格好となり、安定を欠き、運搬しにくくなり、又、ひき舟本体部（１ＸＸ）は、傾斜した格好となり、水がこぼれやすくなる。
【０４１１】
図１０４は、ひき舟の水に浮かべての使用時には、持ち上げ易い位置にロックした取っ手（９）を、ひき舟の水より引き揚げての鮎の運搬時には、水をこぼれ難くする為に可動状態に切り替え可能にした実施例の代表例である。（図１０４はひき舟の水より引き揚げての鮎の運搬時を示す。）
【０４１２】
即ち、前図１０１のロック部が示すように、ひき舟の水に浮かべての使用時に固定状態にあったアーム部（９Ｂ）をひき舟の水より引き揚げての鮎の運搬時にロック解除し、軸（９Ｃ）を中心として回転させることにより、取っ手を握る手の振りや手の傾きなどの運搬時に生じる揺れ運動を、重力（下向きの力）で吸収し、ひき舟の安定を保ち、水漏れを抑制する。
【０４１３】
図１０５は、前図１０４との比較の為、運搬時にアーム部が固定されたひき舟（前図１０２）の運搬時を示す参考例である。
運搬時にアーム部が固定されたひき舟は、図が示すように、取っ手を握る手の振りや手の傾きなどの運搬時に生じる揺れ運動が、そのまま、ひき舟本体部に伝導される為、水がこぼれやすくなる。
【０４１４】
図１０５は、前図１０４との比較に於いて、揺れ運動に対して劣るが、扱いが容易であり、其々は、目的に応じて選択が可能である。
【０４１５】
図１０６は、前図１０４のその他の実施例である。
図１０６（ア）の代表例は、取っ手の可動範囲を制限する為の壁を設けている。
（その他の実施例として、壁の他に突起を設けたり溝を掘ったりして可動範囲を制限する事が可能である。）
壁の内側やアーム部の壁に当たる部分に、ゴムや弾性系合成樹脂やバネやその他の緩衝材を設ける事により、揺れ衝撃を吸収し、ひき舟の水漏れを抑制する。
【０４１６】
図１０６（イ）の代表例は、取っ手アーム部の軸より先を扇型にしこの両端を高くし（停止部とし）、本体部に設けた突起によりこの両端間を往復させ、可動範囲を制限する取っ手である。
加えて、扇型の円周面や突起の円周面に接触する部を弾性材等で形成し、摩擦効力が作用する滑り止めを設ける事により、揺れ等の外力の大きさにより、可動状態の調整を可能にする。
【０４１７】
図１０７の実施例は、握り部（９Ａ）に回転可能なカバー（９Ａ１）を設ける事により、（アーム部を固定しひき舟本体部に取り付けても、）取っ手を握る手の振りや、手の傾きなどの運搬時に生じる揺れ運動を重力（下向きの力）で吸収し、ひき舟の安定を保ち、水漏れを抑制する取っ手（９）の代表例である。
【０４１８】
図１０８の実施例は、握り部（９Ａ）の幅をひき舟本体部の横幅より狭くし、アーム部（９Ｂ）の軸方向の先端をひき舟本体部（１）内に収納した取っ手（９）の代表例である。
【０４１９】
代表例は、ひき舟本体部の前部の両脇をアーム部の軸方向を収納できるように開口し、アーム部の軸をひき舟内部で止め、取っ手を可動式にしている。
又、代表例は、軸の取り付け部であるひき舟内部に水流が激しく流入するのを防止する為に、この入り口には、止水部材（９Ｅ）を設けている。
【０４２０】
この止水部材（９Ｅ）は、ゴムや弾性系合成樹脂等の弾性材で形成し、取っ手の稼動に合わせ湾曲させる仕組みや、バネ等の弾性材に押され突き出した止水部材を、取っ手の稼動に合わせ、押し戻す仕組み等が可能である。
【０４２１】
又、代表例は、軸の取り付け部であるひき舟内部に内壁を設け、止水或は水流を和らげることが可能である、或はこの口を新鮮な水をひき舟内部に取り入れる為の通水孔として兼用することが可能である。
【０４２２】
図１０９、１１０、１１１は、ひき舟の水に浮かべての使用時には、水面より持ち上げ易い位置にロックした取っ手（９）を、使用しない時には邪魔にならないように収める事ができる取っ手の実施例である。
【０４２３】
この技術は、例えば、釣り最中には、装着部の使用を容易にし、ひき舟の携帯を便利にし、鮎の出し入れ時に取っ手自体が障害物として支障が生じる場合は、これを解消し、釣りの開始前や釣りの終了時には、バック等に収納しやすくしひき舟の持ち運びを便利にする。
【０４２４】
この技術の多くについては、既に本願書内で著した収納する為の技術やその他の関連技術の多くの適用が可能であるが、念の為に著すものである。
【０４２５】
図１０９の実施例は、軸を中心に回転させ邪魔にならないように収める事ができる取っ手（９）の代表例である。
【０４２６】
ひき舟の水に浮かべての使用時には、取っ手のアーム部（９Ｂ）を軸（９Ｃ）を始点としてひき舟本体部の上方前方に傾け、ロック部（９４）の停止部（９４Ａ）に鉤（９４Ｂ）を掛け、取っ手位置をロックする。（図１０９参照。）
【０４２７】
取っ手を邪魔にならないように収める時は、取っ手のアーム部（９Ｂ）を軸（９Ｃ）を始点としてひき舟本体部の下方後方に傾け、ロック部（９４）の停止部（９４Ｆ）に鉤（９４Ｂ）を掛け、取っ手位置をロックする。
【０４２８】
図１０９のその他の実施例として、ロック部は、本願書で著したロック部の多くや広く一般的に用いられているロック部の多くの適用が可能であり、ロック部の選択（例えばひき舟本体部側に設けた溝部にアーム側に設けた突部を抜き差しするロック部など）により、取っ手のアーム部の軸を始点としてひき舟本体部の上方後方に傾け、取っ手を邪魔にならないように収める事が可能である。
【０４２９】
図１１０の実施例は、２つに分割したアーム部（９Ｂ）を短縮させ、邪魔にならないように収める事ができる取っ手（９）の代表例である。
【０４３０】
ひき舟の水に浮かべての使用時には、取っ手のアーム部（９Ｂ）の細径側（９Ｂ３Ａ）の外径を太径側（９ＢＢ）の前部（９Ｂ３Ｂ）の内径に密着固定する。
即ち、アーム部（９Ｂ）を伸長し、握り易くする。（図１１０参照。）
【０４３１】
取っ手を邪魔にならないように収める時は、取っ手のアーム部（９Ｂ）の細径側（９Ｂ３Ａ）の外径を太径側（９ＢＢ）の後部（９Ｂ３ＢＢ）の内径に密着固定する。
即ち、アーム部（９Ｂ）を短縮する。
尚、水抜き穴（９Ｂ１）は、アーム部（９Ｂ）内部に浸入した水の抜き取りを可能にする。
【０４３２】
図１１０のその他の実施例として、先の図２８、２９、３０で著したロック技術を活用して、（即ち突部と溝部の噛み合わせをアーム部に設け、この噛み合わせを抜き取りが容易な抜き取り角度と抜き取り後挿入が出来なくなる挿入角度にして設け、更にこの噛み合わせを解除するための操作部を設け、）鮎が掛かった際に、収納状態の取っ手を素早く伸長させ、これをロックすることを可能にする。
【０４３３】
或は、図１１０のその他の実施例として、先の図２８、２９、３０で著したロック技術を活用して、（即ち突部と溝部の噛み合わせをアーム部に設け、この噛み合わせを挿入が容易な挿入角度と挿入後抜き取りが出来なくなる抜き取り角度にして設け、更にこの噛み合わせを解除するための操作部を設け、）ひき舟の装着時の際に、伸長状態の取っ手を素早く短縮させ、これをロックすることを可能にする。
【０４３４】
前々段落（番号０４３２）と前段落（番号０４３３）の二つの技術は、目的に応じ使い分けが可能である。
又、念の為著すが、この図２８、２９、３０の技術活用は、通水孔、安定板、装着部などひき舟全般の着脱部の多くに用いる事が可能であり、同様に、目的に応じて選択が可能である。
【０４３５】
又、図１１０のその他の実施例として、図１１０のひき舟本体部に固定されているアーム部の太径側（９ＢＢ）の後部に軸を設け、太径側を回転可能に設けることにより、運搬時の揺れや傾斜を重力で吸収し、水漏れを抑制する可動式の取っ手として用いる事が可能である。
【０４３６】
更に、図１１０のその他の実施例として、２分割しているアーム部（９Ｂ）を３分割、４分割にして設けることが可能である。
【０４３７】
図１１１の実施例は、アーム部（９Ｂ）を目的に応じ設けた其々の専用収納部（９Ｇ）に抜き差しできる取っ手（９）の代表例である。
【０４３８】
ひき舟の水に浮かべての使用時（９Ｇ１）、ひき舟の水より引き揚げての鮎の運搬時（９Ｇ２）、取っ手を邪魔にならないように収める時（９Ｇ３）と、アーム部（９Ｂ）を専用収納部（９Ｇ）に抜き差しし使い分けが可能である。
更に、代表例の其々の収納部にロック部を設け着脱を確実にすることが可能である。
【０４３９】
以上、取っ手の可動技術（収める技術を含む）について著したが、其々の技術要素の多くは、各代表例に相互に適用することが可能であり、又本願書で著した着脱部やロック部の技術の多くを適用することが可能である。
本発明のひき舟には、その他、各種取っ手を設けることが可能である。
【０４４０】
《４−５、本体部》
本発明に関して、数多くの技術を著してきたが、この概要は、次の通りである。
本発明は、「鮎の取り出し口を前方又は後方に向けて設け、小型化を可能にし、釣り人の機敏な動作を可能にする」等の独自技術である。
加えて、「ひき舟の水に浮かべての使用時に於いて、ひき舟の安定を図り、鮎の活力を保つ」等の従来ひき舟の優れた性能の多くを喪失する事無く継承し、これを基盤とする事が可能な技術でもある。
（或は、従来技術を更に進歩させた技術の多くを基盤とする事が可能な技術でもある。）
【０４４１】
後者については、本発明の実施にともない、従来の優れた技術を喪失しないようにと、この対応技術や、更に進歩させた技術を本願書内で、随時、著してきたが、本項目は、この件の総括として、再度ひき舟本体部の形態について著す（補足する）。加えて、その他のひき舟本体部の形態について補足する。
【０４４２】
即ち、この項目の説明手順は、次の通りである。
＜４−５−１、従来の優れた技術を喪失させない為の対応技術について。＞
＜４−５−２、その他のひき舟本体部の形態について。＞
【０４４３】
＜４−５−１、従来の優れた技術を喪失させない為の対応技術について。＞
この項目は、更に次に細分して著す。
≪４−５−１−Ａ、本発明のひき舟本体部に関して、従来ひき舟の優れた性能の一部について。≫
≪４−５−１−Ｂ、本発明の実施にともない、前記４−５−１−Ａの一部が喪失するのではないかと思われる懸念について。≫
≪４−５−１−Ｃ、前記４−５−１−Ｂに対応する為の（本願書内で著していない）技術について。≫
【０４４４】
≪４−５−１−Ａ、本発明のひき舟本体部に関して、従来ひき舟の優れた性能の一部について。≫
概して、従来ひき舟本体部は、水に浮かべての使用時に次の優れた性能を具有する。
１、水流抵抗を軽減でき、ひき舟が下流に強く引っ張られるのを防止し、釣り人の疲労、危険を防止し、鮎の活力の衰退を防止する。
２、前後左右の均衡を保ち、水面を安定して曳くことができ、ひき舟が大きく浮き上がり、大きく沈み込み、大きく傾斜し転覆するのを防止し、釣り人の煩わしさを無くし、鮎の活力の衰退を防止する。
３、ひき舟内部に大量の空気が溜まるのを防止でき、水不足による鮎の体力の衰退を防止し、鮎の収容効率を良くする。
４、ひき舟の潜水を防止でき、水流抵抗の増加や水中内部での回転や水中内部での首振りなどを防止し、釣り人の危険、疲労、煩わしさの発生を防止し、鮎の活力の衰退を防止する。
【０４４５】
≪４−５−１−Ｂ、本発明の実施にともない、前記４−５−１−Ａの一部が喪失するのではないかと思われる懸念について。≫
本発明の実施にともなう形態変化により、水に浮かべての使用時に発生するひき舟の性能上の懸念は、次の通りである。
１、特に、請求項１、３のひき舟に関して、小型化（軽量化）により、腰紐に曳かれた船首が浮き上がりやすくなり、安定性が低下するのではないかという懸念。
２、特に、請求項１、３のひき舟に関して、小型化により、ひき舟内部の空気溜まりを少なくする或は完全に無くする為に、水面近くまで沈めたひき舟本体部が潜水するのではないかという懸念。
３、特に、請求項２のひき舟に関して、横幅を狭くする事により、左右の安定性が低下するのではないかという懸念。
４、特に、請求項２、３に係わる、請求項５、８、９、１０、１１のひき舟の一部に関して、蓋の開閉を容易にする為や鮎の投入時の誘導を容易にする為に、ひき舟前部の流線形の一部の崩す度合いを従来ひき舟より大きくする事により、安定性が低下するのではないかという懸念。
【０４４６】
≪４−５−１−Ｃ、前記４−５−１−Ｂに対応する為の（本願書内で著していない）技術について。≫
図１１２、１１３、１１４は、前記４−５−１−Ｂの対応技術の一部を示す実施例であり、図１１２は、ひき舟の安定を図る為のひき舟本体部の素材や正面断面形体を示す代表例である。
【０４４７】
図１１２（Ａ）、（Ｂ）は、上面又は上部に浮きを設けている。
浮きは、固体、気体、液体が可能である。
図１１２（Ｃ）は、水より軽い素材で上面又は上部を形成している。
図１１２（Ｄ）は、水より軽い素材で上面又は上部を厚く形成している。
（或は、他の部分を薄く形成している。）
図１１２（Ｅ）は、本体部と分離形成した浮きや水より軽い素材を、上面又は上部に取り付けている。
水流の揺れに対応する為の可動式、又は固定式の選択が可能である。
更に、老朽、破損、掃除などに対応する為の分解組み立て式、或は接着や接合などによる永久固定式の選択が可能である。
図１１２（Ｆ）は、底面又は下部に重りを設けている。
図１１２（Ｇ）は、水より重い素材で底面又は下部を形成している。
（水より重い素材を厚くして底面又は下部を形成する事が可能である。
或は、他の部分を薄く形成する事が可能である。）
図１１２（Ｈ）は、本体部と分離形成した重りや水より重い素材を、底面又は下部に取り付けている。
水流の揺れに対応する為の可動式、又は固定式の選択が可能である。
更に、老朽、破損、掃除などに対応する為の分解組み立て式、或は接着や接合などによる永久固定式の選択が可能である。
図１１２（Ｉ）は、底面を角形にして傾斜、転覆をしにくくしている。
図１１２（Ｊ）は、底面の両隅に丸みをつけ傾斜後の復元を容易にしている。
図１１２（Ｋ）は、空気抜き穴を設け、ひき舟内部の余分な空気溜まりを防止している。
空気抜き穴は、開閉部を設けることが可能である。
【０４４８】
図１１３は、ひき舟本体部（１）を完全な流線形に近づけることにより、巻き込む渦を抑制し、ひき舟の安定を図ることが可能である事を示す。（図中、符号スは、水流を示す。）
図１１３の（Ａ）は、背面の隅を丸めないひき舟であり、巻き込む渦が大きく発生し、ひき舟の左右方向が不安定になることを示す。
図１１３の（Ｂ）は、背面の隅を丸めたひき舟の実施例の代表例であり、巻き込む渦発生の発生を抑制し、安定したひき舟の航行を可能にすることを示す。
図１１３の（Ｃ）は、更に全体（正面と側面と背面）を流線形に近づけたひき舟の実施例の代表例であり、更に巻き込む渦発生の発生を抑制し、更に安定したひき舟の航行を可能にすることを示す。
【０４４９】
図１１４は、潜水を防止する為に中央より両脇に向け（前方より後方に向け）広げた水切り板の実施例の代表例である。水きり板は、ひき舟の上面に設けひき舟の上面に覆い被る波を左右に散らし潜水を防止する。
水切り板は、ひき舟最前部に設けるのが効果的であり、後方に設けるとこの効果は低下する。
【０４５０】
水切り版は、傾斜角度や高さや長さを調節可能にする事により、水流の緩急によるひき舟の浮き沈み具合の調節を可能にする。
又、水切り板の収納機能の付与により、持ち運びなどの便宜を図ることが可能である。
（これらを実施する為の技術に関しては、既に本願書で著した数多くの技術の適用が可能であり、これ以上の詳細説明は不要と判断する。）
【０４５１】
以上、従来ひき舟の優れた性能の多くを喪失する事無く継承する為著したこれらの各要素は、（図１１２、１１３、１１４以前に著した各要素を含めて、）ひき舟の目的に応じて選択し用いる事が可能である。
【０４５２】
又、従来ひき舟の優れた性能の多くを喪失する事無く継承する為著したこれらの各要素は、（図１１２、１１３、１１４以前に著した各要素を含めて、）複数を組み合わせ用いる事が可能であり、この効果を大きくする。
【０４５３】
又、これらの各要素が従来ひき舟の既存技術として用いられている場合に於いては、取り付ける量や用いる割合や形状の変化の度合いなどを、更に大きくすることにより、明確な対応技術として効果をあらわす。
【０４５４】
＜４−５−２、その他のひき舟本体部の形態について。＞
その他のひき舟本体部の実施例としてひき舟本体部の材料を著せば、耐衝突衝撃性や耐磨耗性や耐光性などの耐久性に優れ、また水面を安定して曳くのに適した従来ひき舟に使用されている合成樹脂が一般的である。
【０４５５】
更に、ひき舟本体部の材料のその他の実施例として、各材料の従来ひき舟との比較に於いて代表例を著せば、
ひき舟内部の水温上昇防止の更なる向上。（例えば、ステンレス、その他。）
更なる軽量化。（例えば、アルミ合金、その他。）
船首の浮き上がり防止などの為の更なる重量化。（例えば、セラミックス、その他。）
更なる衝撃保護及び耐摩耗性の向上。（例えば、チタン、その他の金属、その他。）
更なる衝撃時の緩衝及び消音。（例えば、ゴム、弾性系合成樹脂、軟性系合成樹脂、その他。）
折り曲げや折りたたみ等による更なる小型化。（例えば、塩ビ、その他の軟性系合成樹脂、弾性系合成樹脂、布、皮、その他。）
折り曲げや、折りたたみ等による更なる小型化、及び使用時の形体安定。（例えば、塩ビ、その他の軟性系合成樹脂、弾性系合成樹脂、布、皮、その他に加えて、使用時の形体に形状記憶したバネ等の弾性材や折りたたみ収納可能な骨組み材、その他の組み合わせ。）
内部確認の容易化。（例えば、透明合成樹脂、その他。）
低価格化や使い捨て。（例えば、ＰＥТ樹脂や撥水加工をした紙、その他。）
環境に優しい材料の採用（例えば、木材、竹材、その他。）
その他、目的に応じた材料を選択し用いる事が可能である。
【０４５６】
即ち、各種材料の単独或は複数の組み合わせにより、幅広い目的に対応した各種材料の選択、使用が可能である。
尚、前記（段落番号０４５５）の代表例が示す各材料の多くは、目的を１つに限定する事無く多目的に対応が可能である。
【０４５７】
以上、非常に多くの実施例を著したが、これら多くの技術要素の一つ一つを組み合わせれば、本発明のひき舟は、莫大な数の形態の実施例を可能にする。
或は、本発明は、莫大な数の形態のひき舟に適用することを可能にする。
【０４５８】
念の為に付け加えれば、請求項１２のひき舟に関しても、従来ひき舟との比較に於いて、明確に「機敏な動作を可能にする」莫大な数の形態の技術が可能である。
或は、従来ひき舟との比較に於いて、明確に「機敏な動作を可能にする」莫大な数の形態のひき舟に適用することを可能にする。
【０４５９】
更に、本発明に関わる実施例については、以上に記載しただけで終わる事無く、まだまだ、実施例として著すことが出来る技術が数多く存在する。
この一部（まだ著していない数多くの技術の一部）を要約し、これに加え著せば、例えば、「小型化を可能にする本発明のひき舟」は、ひき舟本体部を二つ或は三つ或は四つに分割したり折りたたんだり曲げたり等して、使用しない時には、邪魔にならないように更に小さく収め、更に携帯に便利にする事を可能にする。
（概して、この収める為の技術は、本願書内で著した数多くの関連技術の適用が可能である。）
【０４６０】
或は、「小型化を可能にする本発明のひき舟」は、従来に比べ、自重や水流抵抗を軽減する為、従来に比べ、ひき舟と釣り人を結ぶ腰紐を、細くする事が可能である。（例えば、腰紐は、直径２、３ミリのステンレスワイヤーなどが可能である。）
【０４６１】
更に、細い腰紐の使用を可能にする事により、腰紐を巻き上げる為の巻き上げ器も小さくすることが可能であり、ひき舟側或は身体側に設け、便利に携帯することが可能であり、手動巻き上げ或は自動巻上げが可能である。
【０４６２】
（概して、この巻き上げる為の技術については、軸により取り付けた回転体を回転操作し、腰紐を回転体に巻き上げるものであり、先の図２５や２８で著したように、巻き上げが容易な挿入角度と、送り出しが困難な抜き取り角度の噛み合わせと、この解除部から成るロック部を設ける事により、扱いや操作を便利にする。
又、自動巻き上げは、ゼンマイバネや電動モーターなどを原動力とする事が可能である。）
【０４６３】
或は、「小型化を可能にする本発明のひき舟」は、従来に比べ、自重や水流抵抗を軽減する為、鮎を収容したひき舟をつり人の身体から外し停泊させる為の道具（例えば、錨、引っ掛け用鉤、引っ掛け用棒、引っ掛け用環、くいなど）を従来に比べ小さくする事が可能である。
【０４６４】
更に、この小さく出来る道具は、ひき舟本体部や、取っ手や装着部や腰紐の巻き上げ器や腰紐を身体に留める為の鉤などに内蔵、或は取っ手や装着部や腰紐の巻き上げ器や腰紐を身体に留める為の鉤などが兼用すること可能である。
（概して、この収める為の技術は、本願書内で著した数多くの関連技術の適用が可能である。）
【０４６５】
或は、「小型化を可能にする本発明のひき舟」は、盗難が懸念されるが、「前方又は後方に向けて設けた鮎の取り出し口」に番号認識式鍵やキー式鍵などを設けることが容易である。
【０４６６】
或は、一目で自分の持ち物であることを識別できる住所や名前のプレートを設けることが可能である。
【０４６７】
或は、抗菌加工、防臭加工、撥水加工、防汚加工などが可能である。
等々。
【０４６８】
この項目の最後に、念の為に、ひき舟本体部の前部形態の一部を著しておく。
図１１５は、ひき舟本体部前部の平面形体の一部を示す実施例である。
図１１５（Ａ）の代表例が示すように、曲線で成っても可能である。
図１１５（Ｂ）の代表例が示すように、直線で成っても可能である。
図１１５（Ｃ）の代表例が示すように、急で成っても可能である。
図１１５（Ｄ）の代表例が示すように、緩やかで成っても可能である。
図１１５（Ｅ）の代表例が示すように、緩急で成っても可能であり、曲線と直線で成っても可能である。
図１１５（Ｆ）の代表例が示すように、鮎の投入口や通水孔の入り口やその他の設置により、前記１１５（Ａ）（Ｂ）（Ｃ）（Ｄ）（Ｅ）の形体の一部を崩しても（本願書で著した技術により）可能である。
【０４６９】
図１１６は、ひき舟本体部前部の側面形体の一部を示す実施例である。
図１１６（Ａ）の代表例が示すように、曲線で成っても可能である。
図１１６（Ｂ）の代表例が示すように、直線で成っても可能である。
図１１６（Ｃ）の代表例が示すように、急で成っても可能である。
図１１６（Ｄ）の代表例が示すように、緩やかで成っても可能である。
図１１６（Ｅ）の代表例が示すように、緩急で成っても可能であり、曲線と直線で成っても可能である。
その他ひき舟を安定させる各種前部形体が可能である。
【図面の簡単な説明】
【０４７０】
【図１】（ア）は、ひき舟の側面図。（イ）は、ひき舟の平面図。
【図２】（ア）は、ひき舟の側面図。（イ）は、ひき舟の平面図。
【図３】鮎の取り出しに関するひき舟の側面図。
【図４】鮎の取り出しに関するひき舟の側面図（断面図）。
【図５】（ア）は、鮎の姿勢に関するひき舟の側面図。（イ）は、鮎の姿勢に関するひき舟の平面図。
【図６】（ア）は、鮎の姿勢に関するひき舟の側面図。（イ）は、鮎の姿勢に関するひき舟の平面図。
【図７】貯水した容器。
【図８】貯水した容器。
【図９】水流との関係を示すひき舟の平面図。
【図１０】水流との関係を示すひき舟の平面図。
【図１１】（ア）は、ひき舟の側面図。（イ）は、ひき舟の平面図。
【図１２】（ア）は、ひき舟の側面図。（イ）は、ひき舟の平面図。（ウ）は、ひき舟の正面図。
【図１３】（ア）は、ひき舟の側面図（断面図）。（イ）は、ひき舟の平面図。（ウ）は、ひき舟の背面図。
【図１４】（ア）は、ひき舟の側面図（断面図）。（イ）は、ひき舟の平面図。
【図１５】（ア）は、（イ）のＡ−Ａに沿う断面図。（イ）は、ひき舟前部の平面図。（ウ）は、ひき舟の正面図。
【図１６】（ア）は、（イ）のＡ−Ａに沿う断面図。（イ）は、ひき舟前部の平面図。
【図１７】（ア）は、（イ）のＡ−Ａに沿う断面図。（イ）は、ひき舟前部の平面図。
【図１８】（ア）は、ひき舟前部の側面図（断面図）。（イ）は、ひき舟前部の平面図。（ウ）は、ひき舟の正面図。
【図１９】ひき舟前部の側面図（断面図）。
【図２０】（ア）は、ひき舟前部の側面図（断面図）。（イ）は、ひき舟前部の平面図。
【図２１】着脱部の側面図（断面図）。
【図２２】着脱部の側面図（断面図）。
【図２３】（Ａ）は、ロック部の側面図。（Ｂ）は、ロック部の側面図（断面図）。（Ｃ）は、ロック部の平面図。（Ｄ）は、ロック部の平面図。（Ｅ）は、ロック部の平面図。（Ｆ）は、ロック部の側面図（断面図）。（Ｆア）は、（Ｆ）の平面図。（Ｇ）は、ロック部の側面図（断面図）。（Ｇア）は、（Ｇ）のロック最中の平面図。（Ｈ）は、ロック部の平面図。（Ｈア）は、（Ｈ）の内部構造を示す（断面図）。
【図２４】ロック部の突部の側面図（断面図）。
【図２５】ロック部の噛み合わせを示す側面図。
【図２６】ロック部の側面図（断面図）。
【図２７】パッキングを設けた着脱部の側面図（断面図）。
【図２８】ロック部を設けた鮎の取り出し口の側面図（断面図）。
【図２９】ロック部を設けた鮎の取り出し口の側面図（断面図）。
【図３０】図２８、２９のその他のロック部の側面図（断面図）。
【図３１】ひき舟前部の側面図（断面図）（一部透過図）。
【図３２】（１）は、後部本体部の正面図。（２）と（３）は、図３１のＡ−Ａに沿う断面図の操作手順。
【図３３】ひき舟前部の側面図（断面図）。
【図３４】（ア）は、（イ）のＡ−Ａに沿う断面図（一部重ね合せ図）。（イ）は、ひき舟後部側面図（断面図）。
【図３５】図３４（イ）のＡ−Ａに沿う断面図の蓋の開放操作時。
【図３６】（ア）は、（イ）のＡ−Ａに沿う断面図（一部重ね合せ図）。（イ）は、ひき舟後部側面図（断面図）。
【図３７】図３６（イ）のＡ−Ａに沿う断面図の蓋の開放操作時。
【図３８】ひき舟前部の平面図。
【図３９】（ア）は、（イ）のＡ−Ａに沿う断面図。（イ）は、ひき舟前部の平面図。（ウ）は、（イ）の蓋を示す。
【図４０】鮎の取り出し口の着脱、ロック手順を示す側面図（断面図）。
【図４１】伝達部の作用を示す側面図（断面図）。
【図４２】（ア）は、ひき舟前部の側面図（断面図）。（イ）は、ひき舟前部の平面図。
【図４３】（ア）は、ひき舟前部の側面図（断面図）。（イ）は、ひき舟前部の平面図。
【図４４】ひき舟前部の側面図（断面図）。
【図４５】ひき舟前部の側面図（断面図）。
【図４６】ひき舟前部の側面図（断面図）。
【図４７】ひき舟前部の側面図（断面図）。
【図４８】蓋止めの作用を示す側面図。
【図４９】（ア）は、蓋止めを示す側面図（断面図）。（イ）は、蓋止めを示す平面図。
【図５０】ひき舟前部の側面図（断面図）。
【図５１】（ア）は、ひき舟の側面図。（イ）は、ひき舟の平面図。
【図５２】（ア）は、ひき舟の側面図。（イ）は、ひき舟の平面図。（ウ）は、ひき舟の正面図。
【図５３】（ア）は、ひき舟後部の側面図（断面図）。（イ）は、ひき舟の背面図。
【図５４】ひき舟後部の側面図（断面図）。
【図５５】（ア）は、通水孔を示すひき舟の正面図。（イ）は、通水孔を示すひき舟前部の側面図（断面図）。
【図５６】（ア）は、通水孔を示すひき舟の正面図。（イ）は、通水孔を示すひき舟前部の側面図（断面図）。
【図５７】通水孔を示すひき舟前部の側面図（断面図）。
【図５８】通水孔を示すひき舟前部の側面図（断面図）。
【図５９】通水孔を示すひき舟の側面図（断面図）。
【図６０】通水孔を示すひき舟の側面図（断面図）。
【図６１】通水孔を示すひき舟前部の側面図（断面図）。
【図６２】通水孔を示すひき舟前部の側面図（断面図）。
【図６３】通水孔を示すひき舟前部の側面図（断面図）。
【図６４】（ア）は、安定板を示すひき舟の側面図。（イ）は、安定板を示すひき舟の下面図。
【図６５】釣り人と舵の関係を示す平面図。
【図６６】（ア）は、舵を示すひき舟後部の側面図（断面図）。（イ）は、舵を示すひき舟後部の下面図。
【図６７】舵を示すひき舟後部下部の側面図（断面図）。
【図６８】（ア）は、舵を示すひき舟後部の側面図。（イ）は、舵を示すひき舟後部の下面図。
【図６９】（ア）は、釣り人と舵の関係を示す平面図。（イ）は、釣り人と舵の関係を示す正面図。
【図７０】（Ａ）、（Ｂ）、（Ｃ）は、舵を示す側面図。（Ａア）は、舵を示す平面図。
【図７１】（ア）は、釣り人と舵の関係を示す平面図。（イ）は、釣り人と舵の関係を示す正面図。
【図７２】（ア）は、水平安定板を示すひき舟前部の側面図（断面図）。（イ）は、水平安定板を示すひき舟前部の下面図。
【図７３】水平安定板を示すひき舟前部の側面図（断面図）。
【図７４】水平安定板を示すひき舟の平面図。
【図７５】水平安定板を示すひき舟の平面図。
【図７６】水平安定板を示すひき舟の平面図。
【図７７】水平安定板を示すひき舟の平面図。
【図７８】水平安定板を示すひき舟の側面図。
【図７９】水平安定板を示すひき舟の正面図。
【図８０】（Ａ）、（Ｂ）、（Ｃ）は、水平安定板を示すひき舟の平面図。（Ｄ）、（Ｅ）は、水平安定板を示すひき舟の下面図。
【図８１】垂直安定板を示すひき舟の側面図。
【図８２】（ア）は、装着部を示すひき舟の側面図。（イ）は、装着部を示すひき舟の平面図。
【図８３】装着部を示す側面図。
【図８４】装着部を示す側面図（断面図）。
【図８５】（ア）は、装着部を示す側面図（断面図）。（イ）は、装着部を示す平面図（一部透過図）
【図８６】装着部を示す側面図（一部透過図）。
【図８７】（ア）は、装着部を示す側面図（断面図）。（イ）は、装着部を示す平面図。
【図８８】（ア）は、装着部を示す側面図（断面図）。（イ）は、装着部を示す側面図（一部透過図）
【図８９】装着部を示す側面図。
【図９０】装着部を示す側面図。
【図９１】（ア）は、装着部を示す側面図。（イ）は、装着部を示す平面図。
【図９２】装着部を示す側面図。
【図９３】装着部を示す平面図。〔（２）は、一部透過図〕。
【図９４】装着部を示す平面図。
【図９５】（ア）は、本体部側の装着部を示す側面図。（イ）は、本体部側の装着部を示す平面図。
【図９６】（ア）は、身体側のホルダーを示す側面図（断面図）。（イ）は、身体側のホルダーを示す下面図。
【図９７】（ア）は、身体側のホルダーを示す下面図。（イ）は、（ア）の内部構造を示す断面図。
【図９８】（ア）は、取っ手を示すひき舟の側面図。（イ）は、取っ手を示すひき舟の平面図。
【図９９】取っ手を示すひき舟の側面図。
【図１００】（ア）は、取っ手を示すひき舟の側面図。（イ）は、取っ手を示すひき舟の平面図。
【図１０１】取っ手を示すひき舟の側面図。
【図１０２】取っ手を示すひき舟の側面図。
【図１０３】取っ手を示すひき舟の側面図。
【図１０４】取っ手を示すひき舟の側面図。
【図１０５】取っ手を示すひき舟の側面図。
【図１０６】取っ手を示すひき舟前部の側面図。
【図１０７】取っ手を示すひき舟の側面図。
【図１０８】取っ手を示すひき舟の側面図。
【図１０９】取っ手を示すひき舟の側面図。
【図１１０】取っ手を示すひき舟の側面図（取っ手の部分は内部構造を示す断面図）。
【図１１１】取っ手を示すひき舟の側面図。
【図１１２】ひき舟の正面図（断面図）。
【図１１３】ひき舟と水流の関係を示す平面図
【図１１４】（ア）は、水切り板を示すひき舟の側面図。（イ）は、水切り板を示すひき舟の平面図。
【図１１５】ひき舟前部形体を示す平面図。
【図１１６】ひき舟前部形体を示す側面図。
【符号の説明】
【０４７１】
１          ひき舟（本体部）
１Ｘ        従来のひき舟（本体部）
１Ａ        前部本体部
１Ｂ        後部本体部
１Ｃ        蓋
１Ｃ１      仕切り壁
１Ｄ        蓋止め
２          鮎の取り出し口
２Ｘ        従来の鮎の取り出し口
３          着脱部
３Ａ        着脱部の細口
３Ｂ        着脱部の太口
３Ｃ        着脱部の軸
３Ｄ        着脱部の弾性部材
４          ロック部
４Ａ        ロック部の突部
４Ｂ        ロック部の溝部
４Ａ１      ロック部の突部側の操作部
４Ｂ１      ロック部の溝部側の操作部
４Ｃ        ロック部の軸
４Ｄ        ロック部の弾性部材
５          鮎の投入口
６          パッキング
７          通水孔
７Ａ        通水孔の止水体
７Ｂ        通水孔の貫通穴
８Ａ        鉤型装着部
８Ａ１      鉤型装着部のへら部
８Ａ２      鉤型装着部の基礎部
８Ｂ        環状装着部
８Ｂ１      環状装着部の環体
８Ｃ        着脱・ロック式装着部
８Ｃ１      着脱・ロック式装着部の本体部側の装着部
８Ｃ２      着脱・ロック式装着部の身体側のホルダー
９          取っ手
９Ｘ        従来ひき舟の取っ手
９Ａ        取っ手の握り部
９Ｂ        取っ手のアーム部
１０        蓋の開放角度の制御部
１０Ａ      蓋の開放角度の制御部のストッパー突部
１０Ｂ      蓋の開放角度の制御部のガイド溝部
１０Ａ１    蓋の開放角度の制御部のストッパー突部側の操作部
１１        水平安定板
１２        垂直安定板
１３        ベルト
１４        腰紐
【図１】
2006204105.tif 000003
【図２】
2006204105.tif 000004
【図３】
2006204105.tif 000005
【図４】
2006204105.tif 000006
【図５】
2006204105.tif 000007
【図６】
2006204105.tif 000008
【図７】
2006204105.tif 000009
【図８】
2006204105.tif 000010
【図９】
2006204105.tif 000011
【図１０】
2006204105.tif 000012
【図１１】
2006204105.tif 000013
【図１２】
2006204105.tif 000014
【図１３】
2006204105.tif 000015
【図１４】
2006204105.tif 000016
【図１５】
2006204105.tif 000017
【図１６】
2006204105.tif 000018
【図１７】
2006204105.tif 000019
【図１８】
2006204105.tif 000020
【図１９】
2006204105.tif 000021
【図２０】
2006204105.tif 000022
【図２１】
2006204105.tif 000023
【図２２】
2006204105.tif 000024
【図２３】
2006204105.tif 000025
【図２４】
2006204105.tif 000026
【図２５】
2006204105.tif 000027
【図２６】
2006204105.tif 000028
【図２７】
2006204105.tif 000029
【図２８】
2006204105.tif 000030
【図２９】
2006204105.tif 000031
【図３０】
2006204105.tif 000032
【図３１】
2006204105.tif 000033
【図３２】
2006204105.tif 000034
【図３３】
2006204105.tif 000035
【図３４】
2006204105.tif 000036
【図３５】
2006204105.tif 000037
【図３６】
2006204105.tif 000038
【図３７】
2006204105.tif 000039
【図３８】
2006204105.tif 000040
【図３９】
2006204105.tif 000041
【図４０】
2006204105.tif 000042
【図４１】
2006204105.tif 000043
【図４２】
2006204105.tif 000044
【図４３】
2006204105.tif 000045
【図４４】
2006204105.tif 000046
【図４５】
2006204105.tif 000047
【図４６】
2006204105.tif 000048
【図４７】
2006204105.tif 000049
【図４８】
2006204105.tif 000050
【図４９】
2006204105.tif 000051
【図５０】
2006204105.tif 000052
【図５１】
2006204105.tif 000053
【図５２】
2006204105.tif 000054
【図５３】
2006204105.tif 000055
【図５４】
2006204105.tif 000056
【図５５】
2006204105.tif 000057
【図５６】
2006204105.tif 000058
【図５７】
2006204105.tif 000059
【図５８】
2006204105.tif 000060
【図５９】
2006204105.tif 000061
【図６０】
2006204105.tif 000062
【図６１】
2006204105.tif 000063
【図６２】
2006204105.tif 000064
【図６３】
2006204105.tif 000065
【図６４】
2006204105.tif 000066
【図６５】
2006204105.tif 000067
【図６６】
2006204105.tif 000068
【図６７】
2006204105.tif 000069
【図６８】
2006204105.tif 000070
【図６９】
2006204105.tif 000071
【図７０】
2006204105.tif 000072
【図７１】
2006204105.tif 000073
【図７２】
2006204105.tif 000074
【図７３】
2006204105.tif 000075
【図７４】
2006204105.tif 000076
【図７５】
2006204105.tif 000077
【図７６】
2006204105.tif 000078
【図７７】
2006204105.tif 000079
【図７８】
2006204105.tif 000080
【図７９】
2006204105.tif 000081
【図８０】
2006204105.tif 000082
【図８１】
2006204105.tif 000083
【図８２】
2006204105.tif 000084
【図８３】
2006204105.tif 000085
【図８４】
2006204105.tif 000086
【図８５】
2006204105.tif 000087
【図８６】
2006204105.tif 000088
【図８７】
2006204105.tif 000089
【図８８】
2006204105.tif 000090
【図８９】
2006204105.tif 000091
【図９０】
2006204105.tif 000092
【図９１】
2006204105.tif 000093
【図９２】
2006204105.tif 000094
【図９３】
2006204105.tif 000095
【図９４】
2006204105.tif 000096
【図９５】
2006204105.tif 000097
【図９６】
2006204105.tif 000098
【図９７】
2006204105.tif 000099
【図９８】
2006204105.tif 000100
【図９９】
2006204105.tif 000101
【図１００】
2006204105.tif 000102
【図１０１】
2006204105.tif 000103
【図１０２】
2006204105.tif 000104
【図１０３】
2006204105.tif 000105
【図１０４】
2006204105.tif 000106
【図１０５】
2006204105.tif 000107
【図１０６】
2006204105.tif 000108
【図１０７】
2006204105.tif 000109
【図１０８】
2006204105.tif 000110
【図１０９】
2006204105.tif 000111
【図１１０】
2006204105.tif 000112
【図１１１】
2006204105.tif 000113
【図１１２】
2006204105.tif 000114
【図１１３】
2006204105.tif 000115
【図１１４】
2006204105.tif 000116
【図１１５】
2006204105.tif 000117
【図１１６】
2006204105.tif 000118
【手続補正書】
【提出日】平成17年3月1日(2005.3.1)
【手続補正１】
【補正対象書類名】図面
【補正対象項目名】図３
【補正方法】変更
【補正の内容】
【図３】
2006204105.tif 000119
【手続補正２】
【補正対象書類名】図面
【補正対象項目名】図４
【補正方法】変更
【補正の内容】
【図４】
2006204105.tif 000120
【手続補正３】
【補正対象書類名】図面
【補正対象項目名】図１１
【補正方法】変更
【補正の内容】
【図１１】
2006204105.tif 000121
【手続補正４】
【補正対象書類名】図面
【補正対象項目名】図１２
【補正方法】変更
【補正の内容】
【図１２】
2006204105.tif 000122
【手続補正５】
【補正対象書類名】図面
【補正対象項目名】図１３
【補正方法】変更
【補正の内容】
【図１３】
2006204105.tif 000123
【手続補正６】
【補正対象書類名】図面
【補正対象項目名】図１４
【補正方法】変更
【補正の内容】
【図１４】
2006204105.tif 000124
【手続補正７】
【補正対象書類名】図面
【補正対象項目名】図１５
【補正方法】変更
【補正の内容】
【図１５】
2006204105.tif 000125
【手続補正８】
【補正対象書類名】図面
【補正対象項目名】図１６
【補正方法】変更
【補正の内容】
【図１６】
2006204105.tif 000126
【手続補正９】
【補正対象書類名】図面
【補正対象項目名】図１７
【補正方法】変更
【補正の内容】
【図１７】
2006204105.tif 000127
【手続補正１０】
【補正対象書類名】図面
【補正対象項目名】図１８
【補正方法】変更
【補正の内容】
【図１８】
2006204105.tif 000128
【手続補正１１】
【補正対象書類名】図面
【補正対象項目名】図２０
【補正方法】変更
【補正の内容】
【図２０】
2006204105.tif 000129
【手続補正１２】
【補正対象書類名】図面
【補正対象項目名】図２１
【補正方法】変更
【補正の内容】
【図２１】
2006204105.tif 000130
【手続補正１３】
【補正対象書類名】図面
【補正対象項目名】図２２
【補正方法】変更
【補正の内容】
【図２２】
2006204105.tif 000131
【手続補正１４】
【補正対象書類名】図面
【補正対象項目名】図２３
【補正方法】変更
【補正の内容】
【図２３】
2006204105.tif 000132
【手続補正１５】
【補正対象書類名】図面
【補正対象項目名】図２４
【補正方法】変更
【補正の内容】
【図２４】
2006204105.tif 000133
【手続補正１６】
【補正対象書類名】図面
【補正対象項目名】図２５
【補正方法】変更
【補正の内容】
【図２５】
2006204105.tif 000134
【手続補正１７】
【補正対象書類名】図面
【補正対象項目名】図２６
【補正方法】変更
【補正の内容】
【図２６】
2006204105.tif 000135
【手続補正１８】
【補正対象書類名】図面
【補正対象項目名】図２７
【補正方法】変更
【補正の内容】
【図２７】
2006204105.tif 000136
【手続補正１９】
【補正対象書類名】図面
【補正対象項目名】図２８
【補正方法】変更
【補正の内容】
【図２８】
2006204105.tif 000137
【手続補正２０】
【補正対象書類名】図面
【補正対象項目名】図２９
【補正方法】変更
【補正の内容】
【図２９】
2006204105.tif 000138
【手続補正２１】
【補正対象書類名】図面
【補正対象項目名】図３１
【補正方法】変更
【補正の内容】
【図３１】
2006204105.tif 000139
【手続補正２２】
【補正対象書類名】図面
【補正対象項目名】図３２
【補正方法】変更
【補正の内容】
【図３２】
2006204105.tif 000140
【手続補正２３】
【補正対象書類名】図面
【補正対象項目名】図３３
【補正方法】変更
【補正の内容】
【図３３】
2006204105.tif 000141
【手続補正２４】
【補正対象書類名】図面
【補正対象項目名】図３４
【補正方法】変更
【補正の内容】
【図３４】
2006204105.tif 000142
【手続補正２５】
【補正対象書類名】図面
【補正対象項目名】図３５
【補正方法】変更
【補正の内容】
【図３５】
2006204105.tif 000143
【手続補正２６】
【補正対象書類名】図面
【補正対象項目名】図３６
【補正方法】変更
【補正の内容】
【図３６】
2006204105.tif 000144
【手続補正２７】
【補正対象書類名】図面
【補正対象項目名】図３７
【補正方法】変更
【補正の内容】
【図３７】
2006204105.tif 000145
【手続補正２８】
【補正対象書類名】図面
【補正対象項目名】図３８
【補正方法】変更
【補正の内容】
【図３８】
2006204105.tif 000146
【手続補正２９】
【補正対象書類名】図面
【補正対象項目名】図３９
【補正方法】変更
【補正の内容】
【図３９】
2006204105.tif 000147
【手続補正３０】
【補正対象書類名】図面
【補正対象項目名】図４０
【補正方法】変更
【補正の内容】
【図４０】
2006204105.tif 000148
【手続補正３１】
【補正対象書類名】図面
【補正対象項目名】図４１
【補正方法】変更
【補正の内容】
【図４１】
2006204105.tif 000149
【手続補正３２】
【補正対象書類名】図面
【補正対象項目名】図４４
【補正方法】変更
【補正の内容】
【図４４】
2006204105.tif 000150
【手続補正３３】
【補正対象書類名】図面
【補正対象項目名】図４５
【補正方法】変更
【補正の内容】
【図４５】
2006204105.tif 000151
【手続補正３４】
【補正対象書類名】図面
【補正対象項目名】図４６
【補正方法】変更
【補正の内容】
【図４６】
2006204105.tif 000152
【手続補正３５】
【補正対象書類名】図面
【補正対象項目名】図４７
【補正方法】変更
【補正の内容】
【図４７】
2006204105.tif 000153
【手続補正３６】
【補正対象書類名】図面
【補正対象項目名】図４８
【補正方法】変更
【補正の内容】
【図４８】
2006204105.tif 000154
【手続補正３７】
【補正対象書類名】図面
【補正対象項目名】図４９
【補正方法】変更
【補正の内容】
【図４９】
2006204105.tif 000155
【手続補正３８】
【補正対象書類名】図面
【補正対象項目名】図５１
【補正方法】変更
【補正の内容】
【図５１】
2006204105.tif 000156
【手続補正３９】
【補正対象書類名】図面
【補正対象項目名】図５２
【補正方法】変更
【補正の内容】
【図５２】
2006204105.tif 000157
【手続補正４０】
【補正対象書類名】図面
【補正対象項目名】図５３
【補正方法】変更
【補正の内容】
【図５３】
2006204105.tif 000158
【手続補正４１】
【補正対象書類名】図面
【補正対象項目名】図５５
【補正方法】変更
【補正の内容】
【図５５】
2006204105.tif 000159
【手続補正４２】
【補正対象書類名】図面
【補正対象項目名】図５６
【補正方法】変更
【補正の内容】
【図５６】
2006204105.tif 000160
【手続補正４３】
【補正対象書類名】図面
【補正対象項目名】図５７
【補正方法】変更
【補正の内容】
【図５７】
2006204105.tif 000161
【手続補正４４】
【補正対象書類名】図面
【補正対象項目名】図５８
【補正方法】変更
【補正の内容】
【図５８】
2006204105.tif 000162
【手続補正４５】
【補正対象書類名】図面
【補正対象項目名】図５９
【補正方法】変更
【補正の内容】
【図５９】
2006204105.tif 000163
【手続補正４６】
【補正対象書類名】図面
【補正対象項目名】図６０
【補正方法】変更
【補正の内容】
【図６０】
2006204105.tif 000164
【手続補正４７】
【補正対象書類名】図面
【補正対象項目名】図６１
【補正方法】変更
【補正の内容】
【図６１】
2006204105.tif 000165
【手続補正４８】
【補正対象書類名】図面
【補正対象項目名】図６２
【補正方法】変更
【補正の内容】
【図６２】
2006204105.tif 000166
【手続補正４９】
【補正対象書類名】図面
【補正対象項目名】図６３
【補正方法】変更
【補正の内容】
【図６３】
2006204105.tif 000167
【手続補正５０】
【補正対象書類名】図面
【補正対象項目名】図６４
【補正方法】変更
【補正の内容】
【図６４】
2006204105.tif 000168
【手続補正５１】
【補正対象書類名】図面
【補正対象項目名】図６５
【補正方法】変更
【補正の内容】
【図６５】
2006204105.tif 000169
【手続補正５２】
【補正対象書類名】図面
【補正対象項目名】図６６
【補正方法】変更
【補正の内容】
【図６６】
2006204105.tif 000170
【手続補正５３】
【補正対象書類名】図面
【補正対象項目名】図６７
【補正方法】変更
【補正の内容】
【図６７】
2006204105.tif 000171
【手続補正５４】
【補正対象書類名】図面
【補正対象項目名】図６８
【補正方法】変更
【補正の内容】
【図６８】
2006204105.tif 000172
【手続補正５５】
【補正対象書類名】図面
【補正対象項目名】図６９
【補正方法】変更
【補正の内容】
【図６９】
2006204105.tif 000173
【手続補正５６】
【補正対象書類名】図面
【補正対象項目名】図７０
【補正方法】変更
【補正の内容】
【図７０】
2006204105.tif 000174
【手続補正５７】
【補正対象書類名】図面
【補正対象項目名】図７１
【補正方法】変更
【補正の内容】
【図７１】
2006204105.tif 000175
【手続補正５８】
【補正対象書類名】図面
【補正対象項目名】図７２
【補正方法】変更
【補正の内容】
【図７２】
2006204105.tif 000176
【手続補正５９】
【補正対象書類名】図面
【補正対象項目名】図７３
【補正方法】変更
【補正の内容】
【図７３】
2006204105.tif 000177
【手続補正６０】
【補正対象書類名】図面
【補正対象項目名】図７４
【補正方法】変更
【補正の内容】
【図７４】
2006204105.tif 000178
【手続補正６１】
【補正対象書類名】図面
【補正対象項目名】図７５
【補正方法】変更
【補正の内容】
【図７５】
2006204105.tif 000179
【手続補正６２】
【補正対象書類名】図面
【補正対象項目名】図７６
【補正方法】変更
【補正の内容】
【図７６】
2006204105.tif 000180
【手続補正６３】
【補正対象書類名】図面
【補正対象項目名】図７７
【補正方法】変更
【補正の内容】
【図７７】
2006204105.tif 000181
【手続補正６４】
【補正対象書類名】図面
【補正対象項目名】図７８
【補正方法】変更
【補正の内容】
【図７８】
2006204105.tif 000182
【手続補正６５】
【補正対象書類名】図面
【補正対象項目名】図７９
【補正方法】変更
【補正の内容】
【図７９】
2006204105.tif 000183
【手続補正６６】
【補正対象書類名】図面
【補正対象項目名】図８０
【補正方法】変更
【補正の内容】
【図８０】
2006204105.tif 000184
【手続補正６７】
【補正対象書類名】図面
【補正対象項目名】図８１
【補正方法】変更
【補正の内容】
【図８１】
2006204105.tif 000185
【手続補正６８】
【補正対象書類名】図面
【補正対象項目名】図８２
【補正方法】変更
【補正の内容】
【図８２】
2006204105.tif 000186
【手続補正６９】
【補正対象書類名】図面
【補正対象項目名】図８３
【補正方法】変更
【補正の内容】
【図８３】
2006204105.tif 000187
【手続補正７０】
【補正対象書類名】図面
【補正対象項目名】図８４
【補正方法】変更
【補正の内容】
【図８４】
2006204105.tif 000188
【手続補正７１】
【補正対象書類名】図面
【補正対象項目名】図８５
【補正方法】変更
【補正の内容】
【図８５】
2006204105.tif 000189
【手続補正７２】
【補正対象書類名】図面
【補正対象項目名】図８６
【補正方法】変更
【補正の内容】
【図８６】
2006204105.tif 000190
【手続補正７３】
【補正対象書類名】図面
【補正対象項目名】図８７
【補正方法】変更
【補正の内容】
【図８７】
2006204105.tif 000191
【手続補正７４】
【補正対象書類名】図面
【補正対象項目名】図８８
【補正方法】変更
【補正の内容】
【図８８】
2006204105.tif 000192
【手続補正７５】
【補正対象書類名】図面
【補正対象項目名】図８９
【補正方法】変更
【補正の内容】
【図８９】
2006204105.tif 000193
【手続補正７６】
【補正対象書類名】図面
【補正対象項目名】図９０
【補正方法】変更
【補正の内容】
【図９０】
2006204105.tif 000194
【手続補正７７】
【補正対象書類名】図面
【補正対象項目名】図９１
【補正方法】変更
【補正の内容】
【図９１】
2006204105.tif 000195
【手続補正７８】
【補正対象書類名】図面
【補正対象項目名】図９２
【補正方法】変更
【補正の内容】
【図９２】
2006204105.tif 000196
【手続補正７９】
【補正対象書類名】図面
【補正対象項目名】図９３
【補正方法】変更
【補正の内容】
【図９３】
2006204105.tif 000197
【手続補正８０】
【補正対象書類名】図面
【補正対象項目名】図９５
【補正方法】変更
【補正の内容】
【図９５】
2006204105.tif 000198
【手続補正８１】
【補正対象書類名】図面
【補正対象項目名】図９６
【補正方法】変更
【補正の内容】
【図９６】
2006204105.tif 000199
【手続補正８２】
【補正対象書類名】図面
【補正対象項目名】図９７
【補正方法】変更
【補正の内容】
【図９７】
2006204105.tif 000200
【手続補正８３】
【補正対象書類名】図面
【補正対象項目名】図９８
【補正方法】変更
【補正の内容】
【図９８】
2006204105.tif 000201
【手続補正８４】
【補正対象書類名】図面
【補正対象項目名】図９９
【補正方法】変更
【補正の内容】
【図９９】
2006204105.tif 000202
【手続補正８５】
【補正対象書類名】図面
【補正対象項目名】図１００
【補正方法】変更
【補正の内容】
【図１００】
2006204105.tif 000203
【手続補正８６】
【補正対象書類名】図面
【補正対象項目名】図１０１
【補正方法】変更
【補正の内容】
【図１０１】
2006204105.tif 000204
【手続補正８７】
【補正対象書類名】図面
【補正対象項目名】図１０２
【補正方法】変更
【補正の内容】
【図１０２】
2006204105.tif 000205
【手続補正８８】
【補正対象書類名】図面
【補正対象項目名】図１０３
【補正方法】変更
【補正の内容】
【図１０３】
2006204105.tif 000206
【手続補正８９】
【補正対象書類名】図面
【補正対象項目名】図１０４
【補正方法】変更
【補正の内容】
【図１０４】
2006204105.tif 000207
【手続補正９０】
【補正対象書類名】図面
【補正対象項目名】図１０５
【補正方法】変更
【補正の内容】
【図１０５】
2006204105.tif 000208
【手続補正９１】
【補正対象書類名】図面
【補正対象項目名】図１０６
【補正方法】変更
【補正の内容】
【図１０６】
2006204105.tif 000209
【手続補正９２】
【補正対象書類名】図面
【補正対象項目名】図１０７
【補正方法】変更
【補正の内容】
【図１０７】
2006204105.tif 000210
【手続補正９３】
【補正対象書類名】図面
【補正対象項目名】図１０８
【補正方法】変更
【補正の内容】
【図１０８】
2006204105.tif 000211
【手続補正９４】
【補正対象書類名】図面
【補正対象項目名】図１０９
【補正方法】変更
【補正の内容】
【図１０９】
2006204105.tif 000212
【手続補正９５】
【補正対象書類名】図面
【補正対象項目名】図１１０
【補正方法】変更
【補正の内容】
【図１１０】
2006204105.tif 000213
【手続補正９６】
【補正対象書類名】図面
【補正対象項目名】図１１１
【補正方法】変更
【補正の内容】
【図１１１】
2006204105.tif 000214
【手続補正９７】
【補正対象書類名】図面
【補正対象項目名】図１１２
【補正方法】変更
【補正の内容】
【図１１２】
2006204105.tif 000215
【手続補正９８】
【補正対象書類名】図面
【補正対象項目名】図１１３
【補正方法】変更
【補正の内容】
【図１１３】
2006204105.tif 000216
【手続補正９９】
【補正対象書類名】図面
【補正対象項目名】図１１４
【補正方法】変更
【補正の内容】
【図１１４】
2006204105.tif 000217
【手続補正１００】
【補正対象書類名】図面
【補正対象項目名】図１１５
【補正方法】変更
【補正の内容】
【図１１５】
2006204105.tif 000218
【手続補正１０１】
【補正対象書類名】図面
【補正対象項目名】図１１６
【補正方法】変更
【補正の内容】
【図１１６】
2006204105.tif 000219